(57)【特許請求の範囲】
【請求項１】
他の装置と通信する通信装置であって、
予め行われた設定に基づいて、他の装置からの入力に対する応答を出力する実行部と、
前記実行部が出力した前記応答の妥当性を検証し、
前記応答が妥当ではないと判断した場合、前記応答を是正するための他の装置への入力を出力するよう前記実行部に指示する処理又は前記応答の次に出力すべき応答を前記実行部に設定する処理の少なくともいずれか一方を行い、
前記応答が妥当であると判断した場合、前記応答の次に出力すべき応答を前記実行部に設定する処理を行う又は何も指示しない指示部と、
を備えることを特徴とする通信装置。
【請求項２】
前記実行部は、前記指示部からの指示に基づいて、他の装置への入力を出力する、
ことを特徴とする請求項１に記載の通信装置。
【請求項３】
前記指示部は、前記実行部に対する前記指示を、妥当ではない応答が許容される期間内に前記実行部が応答を是正可能なタイミングまでに出力する、
ことを特徴とする請求項１又は請求項２のいずれか一項に記載の通信装置。
【請求項４】
前記実行部及び前記指示部はそれぞれ、他の装置と通信する通信部の内部又は外部に備えられる、
ことを特徴とする請求項１から請求項３のいずれか一項に記載の通信装置。
【請求項５】
他の装置と通信する通信装置が実行する通信方法であって、
実行部が、予め行われた設定に基づいて、他の装置からの入力に対する応答を出力し、
指示部が、前記実行部から出力された前記応答の妥当性を検証し、
前記応答が妥当ではないと判断した場合、前記応答を是正するための他の装置への入力を出力するよう前記実行部に指示する処理又は前記応答の次に出力すべき応答を前記実行部に設定する処理の少なくともいずれか一方を行い、
前記応答が妥当であると判断した場合、前記応答の次に出力すべき応答を前記実行部に設定する処理を行う又は何も指示しない、
ことを特徴とする通信方法。
【請求項６】
他の装置と通信する通信装置に用いられるコンピュータを、
予め行われた設定に基づいて、他の装置からの入力に対する応答を出力する実行手段、
前記実行手段が出力した前記応答の妥当性を検証し、
前記応答が妥当ではないと判断した場合、前記応答を是正するための他の装置への入力を出力するよう前記実行手段に指示する処理又は前記応答の次に出力すべき応答を前記実行部に設定する処理の少なくともいずれか一方を行い、
前記応答が妥当であると判断した場合、前記応答の次に出力すべき応答を前記実行手段に設定する処理を行う又は何も指示しない指示手段、
として機能させるための通信プログラム。
【発明の詳細な説明】
【技術分野】
【０００１】
本発明は、通信装置、通信方法及び通信プログラムに関する。
【背景技術】
【０００２】
通信装置を備える通信システムには、例えば、ＰＯＮ（Ｐａｓｓｉｖｅ  Ｏｐｔｉｃａｌ  Ｎｅｔｗｏｒｋ）システムがある。ＰＯＮシステムは、顧客の宅内等に設置されるＯＮＵ（Ｏｐｔｉｃａｌ  Ｎｅｔｗｏｒｋ  Ｕｎｉｔ：光加入者線終端装置）と、局舎に設置される通信装置であるＯＬＴ（Ｏｐｔｉｃａｌ  Ｌｉｎｅ  Ｔｅｒｍｉｎａｌ：光加入者線端局装置）と、光ファイバ網とを備える（非特許文献１参照）。光ファイバ網は、複数のＯＮＵと複数のＯＬＴとを接続する場合がある。
【０００３】
通信装置においては、装置を構成する機能同士が密結合である。そのため、アプリケーションプログラミングインタフェース（ＡＰＩ：Ａｐｐｌｉｃａｔｉｏｎ  Ｐｒｏｇｒａｍｍｉｎｇ  Ｉｎｔｅｒｆａｃｅ）等の入出力インタフェース（ＩＦ）が不明確なアーキテクチャが多い。少なくとも一部の機能モジュルの汎用性・移植性・拡張性を高めれば、準拠する規格、世代、方式、システム、機器種別、製造ベンダの少なくともいずれかが異なる機器間での共用や独自機能の追加を容易とすることがきできる。これを利用して、二重開発の低減、開発コストや調達コストの低減や差異化サービスのタイムリーな提供を可能とするためには、通信装置内を、準拠する規格、世代、方式、システム、機器種別、製造ベンダの少なくともいずれかに関して依存性の低い機能モジュルに分割し、それらの入出力ＩＦを定義することが望ましい。
【先行技術文献】
【非特許文献】
【０００４】
【非特許文献１】"ITU-T G.989.1"，International Telecommunication Union，2013年
【発明の概要】
【発明が解決しようとする課題】
【０００５】
しかしながら、通信装置内部のモジュル分割を行うと、それらモジュル間のやりとりが必要となる。これに加えて、モジュルとＩＦの汎用性を求めると、モジュル間やりとりによる遅延が増大する。その結果、装置外とのやりとりを規定時間内に収めることが困難になるという問題があった。
【０００６】
上記事情に鑑み、本発明は、装置内でモジュル間のやりとりがある場合でも、装置外とのやりとりを規定時間内に収めることが可能な通信装置、通信方法及び通信プログラムを提供することを目的としている。
【課題を解決するための手段】
【０００７】
本発明の一態様は、他の装置と通信する通信装置であって、予め行われた設定に基づいて、他の装置からの入力に対する応答を出力する実行部と、前記実行部が出力した前記応答の妥当性を検証し、前記応答が妥当ではないと判断した場合、前記応答を是正するための他の装置への入力を出力するよう前記実行部に指示する処理又は前記応答の次に出力すべき応答を前記実行部に設定する処理の少なくともいずれか一方を行い、前記応答が妥当であると判断した場合、前記応答の次に出力すべき応答を前記実行部に設定する処理を行う又は何も指示しない指示部と、を備える。
【０００８】
本発明の一態様は、上述する通信装置であって、前記実行部は、前記指示部からの指示に基づいて、他の装置への入力を出力する。
【０００９】
本発明の一態様は、上述する通信装置であって、前記指示部は、前記応答が妥当ではないと判断した場合、前記応答を是正するための他の装置への入力を出力するよう前記実行部に指示する処理に代えて、又は、加えて、前記応答の次に出力すべき応答を前記実行部に設定する処理を行う。
【００１０】
本発明の一態様は、上述する通信装置であって、前記指示部は、前記応答が妥当であると判断した場合、前記応答の次に出力すべき応答を前記実行部に設定する処理を行う。
【００１１】
本発明の一態様は、上述する通信装置であって、前記指示部は、前記実行部に対する前記指示を、妥当ではない応答が許容される期間内に前記実行部が応答を是正可能なタイミングまでに出力する。
【００１２】
本発明の一態様は、上述する通信装置であって、前記実行部及び前記指示部はそれぞれ、他の装置と通信する通信部の内部又は外部に備えられる。
【００１３】
本発明の一態様は、他の装置と通信する通信装置が実行する通信方法であって、実行部が、予め行われた設定に基づいて、他の装置からの入力に対する応答を出力し、指示部が、前記実行部から出力された前記応答の妥当性を検証し、前記応答が妥当ではないと判断した場合、前記応答を是正するための他の装置への入力を出力するよう前記実行部に指示する処理又は前記応答の次に出力すべき応答を前記実行部に設定する処理の少なくともいずれか一方を行い、前記応答が妥当であると判断した場合、前記応答の次に出力すべき応答を前記実行部に設定する処理を行う又は何も指示しない。
【００１４】
本発明の一態様は、他の装置と通信する通信装置に用いられるコンピュータを、予め行われた設定に基づいて、他の装置からの入力に対する応答を出力する実行手段、前記実行手段が出力した前記応答の妥当性を検証し、前記応答が妥当ではないと判断した場合、前記応答を是正するための他の装置への入力を出力するよう前記実行手段に指示する処理又は前記応答の次に出力すべき応答を前記実行部に設定する処理の少なくともいずれか一方を行い、前記応答が妥当であると判断した場合、前記応答の次に出力すべき応答を前記実行手段に設定する処理を行う又は何も指示しない指示手段、として機能させるための通信プログラムである。
【発明の効果】
【００１５】
本発明により、装置内でモジュル間のやりとりがある場合でも、装置外とのやりとりを規定時間内に収めることが可能となる。
【図面の簡単な説明】
【００１６】
【図１】実施形態における、他の装置への入力を出力する機能に関する通信装置の基本構成を示す図である。
【図２】実施形態における、通信装置のアーキテクチャの第１例を示す図である。
【図３】実施形態における、通信装置のアーキテクチャの第２例を示す図である。
【図４】実施形態における、通信装置のアーキテクチャの第３例を示す図である。
【図５】実施形態における、通信装置のアーキテクチャの第４例を示す図である。
【図６】実施形態における、通信装置のアーキテクチャの第５例を示す図である。
【図７】実施形態における、通信装置及び外部サーバの構成の例を示す図である。
【図８】実施形態における、通信システムの構成例を示す図である。
【図９】実施形態における、通信装置内の機能部間の信号／情報の流れを示す図である。
【図１０】実施形態における、ＰＯＮ主信号処理機能部が有する機能構成の例を示す図である。
【図１１】実施形態における、ＰＯＮアクセス制御機能部が有する機能構成の例を示す図である。
【図１２】実施形態における、Ｌ２主信号処理機能部が有する機能構成の例を示す図である。
【図１３】実施形態における、保守運用機能部が有する機能構成の第１例を示す図である。
【図１４】実施形態における、保守運用機能部が有する機能構成の第２例を示す図である。
【図１５】実施形態における、保守運用機能部が有する機能構成の第３例を示す図である。
【図１６】実施形態における、ＰＯＮマルチキャスト機能部が有する機能構成の例を示す図である。
【図１７】実施形態における、省電力制御機能部が有する機能構成の例を示す図である。
【図１８】実施形態における、周波数・時刻同期機能部が有する機能構成の例を示す図である。
【図１９】実施形態における、プロテクション機能部が有する機能構成の例を示す図である。
【図２０】実施形態における、通信装置のアーキテクチャの詳細の例を示す図である。
【図２１】実施形態における、通信装置が実行するアプリの例を示す図である。
【図２２】実施形態における、ＣＰＵパッケージの代わりにサーバ等にアプリを配置した例を示す図である。
【図２３】実施形態における、ＣＰＵ、スイッチ部（ＳＷ）及びＯＳＵの機能の例を示す図である。
【図２４】実施形態における、主要８機能のアプリの処理とＧ．９８９．３機能との対応の例を示す図である。
【図２５】実施形態における、ＰＬＯＡＭ及びＯＭＣＩをＳＷ経由で取得する構成の例を示す図である。
【発明を実施するための形態】
【００１７】
本発明の実施形態について、図面を参照して詳細に説明する。
【００１８】
（実施形態１）
図１は、他の装置への入力を出力する機能に関する通信装置１００の基本構成を示す図である。通信装置１００は、実行部３と、指示部５とを備える。通信装置１００は、外部の他の装置と通信する通信部（図示せず）を有するが、実行部３及び指示部５はそれぞれ、通信部の内部に備えられてもよく、通信部の外部に備えられてもよい。
【００１９】
通信装置１００は、ＰＯＮ（Ｐａｓｓｉｖｅ  Ｏｐｔｉｃａｌ  Ｎｅｔｗｏｒｋ）等の光ファイバ網等の通信網を経由する光信号等の信号によって、他の通信装置との通信を実行する装置である。通信装置１００は、例えば、ＯＬＴ（Ｏｐｔｉｃａｌ  Ｌｉｎｅ  Ｔｅｒｍｉｎａｌ：光加入者線端局装置）である。通信装置１００は、例えば、ＯＳＵ（Ｏｐｔｉｃａｌ  Ｓｕｂｓｃｒｉｂｅｒ  Ｕｎｉｔ）でもよい。通信装置１００は、例えば、光信号を切り替えるスイッチ部（ＳＷ）を備える又は備えないＯＬＴと、他のスイッチ部（ＳＷ）との組み合わせでもよい。通信装置１００は、例えば、ＯＬＴとＯＮＵ（Ｏｐｔｉｃａｌ  Ｎｅｔｗｏｒｋ  Ｕｎｉｔ：光加入者線終端装置）との組み合わせでもよい。通信装置１００は、複数の機器を備えてもよい。
【００２０】
実行部３は、主に単純な処理を行う。実行部３は、予め設定された設定内容に応じて、通信装置１００と通信する通信装置外の装置からの入力への応答を出力する。通信装置１００と通信する通信装置外の装置は直接対向して通信してもよいし、他の通信装置外の装置等を経由して通信してもよい。応答は、通信装置１００と通信する通信装置外の装置への入力である。応答の出力は、通信装置１００と通信する通信装置外の装置到達に要する時間を含めて、所定の時間までに実施する。所定の時間とは、例えば、通信装置１００と通信する通信装置外の装置に当該応答が入力されるまでに許容される最大の時間や、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等の上位のアプリケーションで通信断等の異常状態と識別されない時間である。また、実行部３は、指示部５からの指示に応じて、通信装置外の装置への入力を出力する。通信装置外の装置は、例えばＯＮＵ、又はＯＮＴ（Ｏｐｔｉｃａｌ  Ｎｅｔｗｏｒｋ  Ｔｅｒｍｉｎａｌ）、又はスイッチ、又はルーター、又は顧客側装置、又はアクセスポイント等である。指示部５の指示は、例えば、実行部３に予め設定する設定内容の設定、妥当でない応答を修正するための通信装置外の装置への入力を出力する指示、妥当でない応答が通信装置１００から発出以前であれば発出を停止する指示、妥当でない応答が通信装置１００から発出以前であれば発出を停止する指示と妥当な応答発出等である。
【００２１】
指示部５は、実行部３の応答が通信事業者やサービス等に応じた所望の応答となるように実行部３に指示する。指示部５は、実行部３が通信装置外の装置へ入力として出力した又は出力する応答の妥当性を検証する。指示部５は、実行部３が出力した応答が妥当であれば、何ら指示を行わずにそのままとするか、或いは、予想される通信装置外の装置からの次に入力に対する実行部３の応答を設定するための指示を実行部３に出力する。通信装置外の装置からの次の入力の予測は、例えば通信装置外の装置がＯＮＵであれば、ＯＮＵのステート等の状態遷移や、認証の要求等の今回の応答に基づいて行われる。指示部５は、実行部３の応答が妥当でなければ、応答を是正するための通信装置外の装置への入力を出力するよう実行部３に指示する。応答を是正するための入力は例えば、通信装置外の装置への複数の入力の内容の多数決の結果を入力とする装置であれば、多数決で妥当な入力内容となる回数の入力である。後からの入力を優先するのであれば、妥当な入力である。一部修正が可能であれば、修正する手順に従う入力である。或いは、指示部５は、実行部３の応答が妥当でなければ、応答を是正するための通信装置外の装置への入力を出力するよう実行部３に指示する処理に代えて、又は、加えて、妥当ではないその応答の次に予想される通信装置外の装置からの入力に対する実行部３の応答を設定するための指示を実行部３に出力する。通信装置１００は、妥当でない応答については破棄してもよく、破棄せずに通信装置外の装置へ出力してもよい。このように、通信装置１００は、実行部３に、他の装置とのやりとりに関して予め想定される入力に対する応答を予め設定しておき、指示部５は、応答中又は応答後に該応答の妥当性を判断し、妥当ではないと判断した場合には、応答を修正する。
【００２２】
通信装置１００の指示部５は、実行部３に対する指示を、妥当でない応答が許容される期間内に実行部３が応答を是正可能な時刻までに発出する。例えば、流量制御で１ＧＢ（ギガバイト）が許容される誤差とすると、１ＧＢの流量が発生する時刻までとなる。例えば、フレームロスレスであれば、フレームを保持できるバッファがあふれない時刻までとなる。許容される期間には、伝送時間や、伝送のためのフレーム化処理や、実行部３の処理や、通信装置外の装置との通信時間、それらが要する時間の開始時間や処理時間に時間変動（ジッタ）がある場合は、最大のジッタの遅延を乗せた時間分の配分も含める。
【００２３】
指示部５の指示は、通信装置１００の独自の転送経路や手段を用いてもよいし、ＯＰＥＮＦＬＯＷ（登録商標）や、ＮＥＴＣＯＮＦ／ＹＡＮＧや、ＳＮＭＰ（Ｓｉｍｐｌｅ  Ｎｅｔｗｏｒｋ  Ｍａｎａｇｅｍｅｎｔ  Ｐｒｏｔｏｃｏｌ）等の規格化された手段を用いてもよい。
【００２４】
ＯＬＴにおける実行部３の実行と指示部５の指示の例を示す。
プロテクション処理で例示する。実行部３に、通信装置外の装置であるＯＮＵからのプロテクションに係るＯＮＵ−ＯＬＴ間通知、例えばＰＬＯＡＭ（Ｐｈｙｓｉｃａｌ  Ｌａｙｅｒ  Ｏｐｅｒａｔｉｏｎ  Ａｄｍｉｎｉｓｔｒａｔｉｏｎ  ａｎｄ  Ｍａｉｎｔｅｎａｎｃｅ）やＯＭＣＩ（ＯＮＵ  Ｍａｎａｇｅｍｅｎｔ  ａｎｄ  Ｃｏｎｔｒｏｌ  Ｉｎｔｅｒｆａｃｅ）等のメッセージの応答が設定される。実行部３は、ＯＮＵ−ＯＬＴ間のリンク状態のモニタ結果や処理要求等のＯＮＵからの入力に対して、予めされた設定に従って応答する。応答には、ＯＮＵに対する入力の出力に加えて、０系１系の切替処理が含まれることが望ましいが、実行部３は、０系１系の切替処理を、指示部５の指示に従って実施してよい。指示部５は、実行部３の応答の妥当性を判断して、是正の必要があれば是正を実行部３に指示する。プロテクション無との是正であれば、実行部３は、指示部５の指示を受け、ＯＮＵへの入力として、妥当な入力を出力し直す。例えば、実行部３は、０系１系の切替処理をする前の状態となる入力を出力する。指示部５は、０系１系の切替処理として、実行部３に０系への切り戻しの指示をする。通信装置外の装置がＯＮＵではなく、ＯＮＵの先の顧客機器や上位ネットワーク側の装置であっても同様である。これは、以降の例でも同様である。
【００２５】
スリープ処理で例示する。実行部３に、通信装置外の装置であるＯＮＵからのスリープに係るＯＮＵ−ＯＬＴ間通知、例えばＰＳＭ（Ｐｏｗｅｒ  Ｓａｖｅ  Ｍｏｄｅ）ＰＬＯＡＭ等のＰＬＯＡＭや、ＯＭＣＩ等のメッセージの応答が設定される。実行部３は、ＯＮＵ−ＯＬＴ間のリンク状態のモニタ結果や処理要求等のＯＮＵからの入力に対して、予めされた設定に従って応答する。応答には、ＯＮＵに対する入力の出力に加えて、スリープ処理が含まれることが望ましいが、実行部３は、スリープ処理を指示部５の指示に従って実施してよい。指示部５は、実行部３の応答の妥当性を判断して、是正の必要があれば是正を実行部３に指示する。スリープ無との是正であれば、実行部３は、指示部５の指示を受け、ＯＮＵへの入力として、妥当な入力を出力し直す。例えば、実行部３は、スリープ前の状態となる入力を出力する。指示部５は、スリープ処理として、実行部３に起動指示をする。
【００２６】
動的波長切替（ＤＷＡ：Ｄｙｎａｍｉｃ  Ｗａｖｅｌｅｎｇｔｈ  Ａｓｓｉｇｎｍｅｎｔ）処理で例示する。実行部３に、通信装置外の装置であるＯＮＵからの、波長切替に係るＯＮＵ−ＯＬＴ間通知、例えばＰＬＯＡＭやＯＭＣＩ等のメッセージの応答が設定される。実行部３は、ＯＮＵ−ＯＬＴ間のリンク状態のモニタ結果や処理要求等のＯＮＵからの入力に対して、予めされた設定に従って応答する。応答には、ＯＮＵに対する入力の出力に加えて、波長切替処理が含まれることが望ましいが、実行部３は、波長切替処理を指示部５の指示に従って実施してよい。指示部５は、実行部３の応答の妥当性を判断して、是正の必要があれば是正を実行部３に指示する。切替無との是正であれば、実行部３は、指示部５からの指示を受け、ＯＮＵへの入力として、妥当な入力を出力し直す。例えば、実行部３は、切替前の状態となる入力を出力する。指示部５は、波長切替処理として、実行部３に波長切戻指示をする。
【００２７】
マルチキャスト機能で例示する。実行部３に、通信装置外の装置であるＯＮＵからの、マルチキャストに係るＯＮＵ−ＯＬＴ間通知、例えばＪｏｉｎやＬｅａｖｅ等のメッセージの応答が設定される。実行部３は、ＯＮＵ−ＯＬＴ間のリンク状態のモニタ結果や波長設定や処理要求等のＯＮＵからの入力に対して、予めされた設定に従って応答する。応答には、ＯＮＵに対する入力の出力に加えて、マルチキャストの対象／非対象設定処理が含まれることが望ましいが、実行部３は、マルチキャストの対象／非対象設定処理を指示部５の指示に従って実施してよい。指示部５は、実行部３の応答の妥当性を判断して、是正の必要があれば是正を実行部３に指示する。マルチキャストの対象／非対象設定変更無との是正であれば、実行部３は、指示部５からの指示を受け、ＯＮＵへの入力として、妥当な入力を出力し直す。例えば、実行部３は、マルチキャストの対象／非対象設定変更前の状態となる入力を出力する。指示部５は、マルチキャストの対象／非対象設定処理として、実行部３に設定変更前への波長切戻の指示をする。
【００２８】
次に、一例として、ＴＷＤＭ−ＰＯＮ（Ｔｉｍｅ  ａｎｄ  Ｗａｖｅｌｅｎｇｔｈ  Ｄｉｖｉｓｉｏｎ  Ｍｕｌｔｉｐｌｅｘｉｎｇ−Ｐａｓｓｉｖｅ  Ｏｐｔｉｃａｌ  Ｎｅｔｗｏｒｋ）システムのようなＩＴＵ−Ｔ勧告準拠のＰＯＮのＯＬＴを前提に、動作等を例示する。ここで、ＴＷＤＭ−ＰＯＮとしているが、ＰＯＮは、ＩＴＵ−Ｔ勧告準拠のＴＷＤＭ−ＰＯＮ以外のＰＯＮであってもよい。例えば、ＰＯＮは、ＧＥ−ＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）、１０ＧＥ−ＰＯＮ等のＩＥＥＥ規格準拠のＰＯＮであってもよい。ＴＣ（Ｔｒａｎｓｍｉｓｓｉｏｎ  Ｃｏｎｖｅｒｇｅｎｃｅ）レイヤやＰＭＤ（Ｐｈｙｓｉｃａｌ  Ｍｅｄｉｕｍ  Ｄｅｐｅｎｄｅｎｔ）レイヤは、標準規格において対応する層に読み替えれば同様である。
【００２９】
（実施形態１−１）
実施形態１−１では、ＴＷＤＭ−ＰＯＮに用いられる通信システムを構成する通信装置１００の構成について説明する。以下、通信装置１００のアーキテクチャの例として、第１例から第６例までを説明する。通信システムを構成する通信装置１００のアーキテクチャは、下記で説明する第１例から第６例まで以外のアーキテクチャであってよい。例えば、アーキテクチャの第１例から第６例における通信装置１００のソフトウェア部は、ハードウェア部でもよい。
【００３０】
（アーキテクチャの第１例）
図２は、通信装置１００のアーキテクチャの第１例を示す図である。アーキテクチャの第１例では、通信装置１００は、動作が機器に依存する非汎用の機器依存部１１０と、機器依存部１１０のハードウェアやソフトウェアの違いを隠蔽するミドルウェア部１２０と、動作が機器に依存しない汎用の機器無依存アプリ部１３０とを備える。したがって、機器依存部１１０（ベンダ依存部）は、通信装置１００の機器が準拠する標準規格や機器の製造ベンダに依存する機能部である。また、機器無依存アプリ部１３０は、通信装置１００の機器が準拠する標準規格や機器の製造ベンダに依存しない機能部である。
【００３１】
ミドルウェア部１２０と機器無依存アプリ部１３０とは、機器無依存ＡＰＩ（Ａｐｐｌｉｃａｔｉｏｎ  Ｐｒｏｇｒａｍｍｉｎｇ  Ｉｎｔｅｒｆａｃｅ）２１を介して接続される。機器無依存ＡＰＩ２１は、機器に依存しない入出力インタフェース（ＩＦ：Ｉｎｔｅｒｆａｃｅ）である。
【００３２】
機器依存部１１０は、例えばハードウェア部１１１（ＰＨＹ）、ハードウェア部１１２（ＭＡＣ）、ソフトウェア部１１３及びＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）部１１４を備えて構成される。ハードウェア部１１１、ハードウェア部１１２、ソフトウェア部１１３及びＯＡＭ部１１４と、ミドルウェア部１２０とは、機器依存ＡＰＩ２３を介して接続される。機器依存ＡＰＩ２３は、機器に依存する入出力インタフェースである。機器依存部１１０は、更にＮＥ（ＮＥ、Ｎｅｔｗｏｒｋ  Ｅｌｅｍｅｎｔ）管理・制御部１１５を備える。ＮＥ管理・制御部１１５とミドルウェア部１２０とは、機器依存ＡＰＩ２５を介して接続される。機器依存ＡＰＩ２５は、機器に依存する入出力インタフェースである。
【００３３】
どのような機能を機器依存部１１０又は機器無依存アプリ部１３０とするかは、ミドルウェア部１２０や機器無依存アプリ部１３０を実現するための処理に由来する制限、例えば、ソフトウェアの処理能力に由来する制限に加えて、機能の更新頻度や拡張機能の重要度等に応じて決められてもよい。これによって、通信装置１００は、機器無依存アプリ部１３０による拡張機能部（独自機能部）の柔軟かつ迅速な追加を容易にし、通信サービスをタイムリーに提供することができる。
【００３４】
例えば、主信号の優先処理や回線の利用効率を向上するＤＢＡ（Ｄｙｎａｍｉｃ  Ｂａｎｄｗｉｄｔｈ  Ａｓｓｉｇｎｍｅｎｔ）等の更新頻度が高い機能又は通信サービス差異化に寄与する機能を優先して、機器依存部１１０又は機器無依存アプリ部１３０とすることを決めてもよい。更に、共用化を図る機器の準拠する標準規格、世代、方式、システム、機器種別、製造ベンダの少なくともいずれかに関して差異の隔たりが小さいものから、機器無依存アプリ部１３０としてもよい。
【００３５】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦ（共通インタフェース）が用いられてもよい。共通ＩＦの中には、機器依存部１１０の準拠する標準規格、世代、方式、システム、機器種別、製造ベンダのいずれかにおいて使用されないＩＦやパラメータが含まれていてもよい。
【００３６】
図２及び後述する図３に示すミドルウェア部１２０と、後述する図４及び後述する図５に示す機器依存部１１０のドライバと、後述する図３及び後述する図５に示す機器依存アプリ部１５０（ベンダ依存アプリ部）との少なくともいずれかに、インタフェース（ＩＦ）やパラメータ等を機器依存部１１０に対応するように変換する変換機能部や、不足するＩＦやパラメータ等に対応して自動設定する機能部を更に備えてもよい。
【００３７】
図２では、機器依存部１１０は、ハードウェア部１１１（ＰＨＹ）及びハードウェア部１１２（ＭＡＣ）と、ソフトウェア部１１３とを備える。ハードウェア部１１１（ＰＨＹ）は、物理層から光送受信関連の処理まで（ＰＨＹｓｉｃａｌ  ｓｕｂｌａｙｅｒ処理）を実行する。ハードウェア部１１２（ＭＡＣ）は、ＭＡＣ（Ｍｅｄｉａ  Ａｃｃｅｓｓ  Ｃｏｎｔｒｏｌ）処理を実行する。ハードウェア部１１１及びハードウェア部１１２は、準拠する標準規格や製造ベンダに依存する。ソフトウェア部１１３は、機器依存のドライバ、ファームウェア、アプリケーション等を実行する。
【００３８】
機器依存部１１０のハードウェア部１１１及びハードウェア部１１２は、これら以外に汎用サーバやレイヤ２スイッチ等を備えてもよい。機器依存部１１０は、ハードウェア部１１２（ＭＡＣ）を備えなくてもよい。機器依存部１１０は、ハードウェア部１１１（ＰＨＹ）の一部を備えなくてもよい。例えば、機器依存部１１０は、変復調信号処理、前方誤り訂正（ＦＥＣ、Ｆｏｒｗａｒｄ  Ｅｒｒｏｒ  Ｃｏｒｒｅｃｔｉｏｎ）、符復号処理、暗号化処理等の低位の信号処理を備えずに、光関連の機能のみを備えてもよい。機器依存部１１０は、データを符号化する部分であるＰＣＳ（Ｐｈｙｓｉｃａｌ  Ｃｏｄｉｎｇ  Ｓｕｂｌａｙｅｒ）を備えなくてもよい。機器依存部１１０は、データのシリアル化を行うＰＭＡ（Ｐｈｙｓｉｃａｌ  Ｍｅｄｉｕｍ  Ａｔｔａｃｈｍｅｎｔ）とＰＣＳとを備えなくてもよい。機器依存部１１０は、物理媒体に接続するＰＭＤを備えなくてもよい。機器依存部１１０は、ミドルウェア部１２０がソフトウェア部１１３を介さずに機器依存部１１０のハードウェア部１１１及びハードウェア部１１２を直接に駆動、制御、操作又は管理する場合、ソフトウェア部１１３を備えなくてもよい。
【００３９】
機器無依存アプリ部１３０は、例えば、拡張機能部１３１−１〜１３１−３と、基本機能部１３２と、管理・制御エージェント部１３３とを備える。管理・制御エージェント部１３３は、ＥＭＳ（Ｅｌｅｍｅｎｔ  Ｍａｎａｇｅｍｅｎｔ  Ｓｙｓｔｅｍ）１４０からデータを取得する。以下、拡張機能部１３１−１〜１３１−３に共通する事項については、符号の一部を省略して、「拡張機能部１３１」と表記する。ＥＭＳは、例えば、ネットワーク・エレメント（ＮＥ、Ｎｅｔｗｏｒｋ  Ｅｌｅｍｅｎｔ）のコントローラである。なお、機器無依存アプリ部１３０は、拡張機能部１３１と基本機能部１３２と管理・制御エージェント部１３３とのうちいずれかを含まなくてもよいし、管理・制御エージェント部１３３が基本機能部１３２に含まれていてもよいし、管理・制御エージェント部１３３が基本機能部１３２やミドルウェア部１２０に含まれていてもよい。
【００４０】
機器無依存アプリ部１３０は、拡張機能部１３１、基本機能部１３２、及び管理・制御エージェント部１３３以外の構成を、更に含んでいてもよい。例えば、拡張機能部１３１が不要である場合、機器無依存アプリ部１３０は、拡張機能部１３１を備えなくてもよい。また、機器無依存アプリ部１３０は、１個以上の拡張機能部１３１を含んでもよい。
【００４１】
拡張機能部１３１は、他の機能に不要な影響を与えずに独立して追加、削除、入替又は変更が可能であることが好ましい。例えば、拡張機能部１３１は、サービス上の要求に合わせて、例えばマルチキャストサービス、省電力対応を実行する拡張機能部１３１が必要になった場合、適宜に追加、削除、入替又は変更されてもよい。
【００４２】
基本機能部１３２は、拡張機能部１３１の一部として機器無依存アプリ部１３０に含まれてもよいし、ミドルウェア部１２０よりも下位の機能部によって代替されてもよい。拡張機能部１３１が基本機能部１３２を含む場合、機器無依存アプリ部１３０は基本機能部１３２を含まなくてもよい。ミドルウェア部１２０よりも下位の機能部が基本機能部１３２を代替する場合、機器無依存アプリ部１３０は基本機能部１３２を含まなくてもよい。拡張機能部１３１が基本機能部１３２を含み、ミドルウェア部１２０よりも下位の機能部が基本機能部１３２を代替する場合、機器無依存アプリ部１３０は基本機能部１３２を含まなくてもよい。
【００４３】
管理・制御エージェント部１３３は、ＥＭＳ１４０からの通信を受けずに、予め定められた設定に従って自動設定する場合、ＥＭＳ１４０と入出力しなくてよい。更に、管理・制御エージェント部１３３が管理設定機能を備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【００４４】
ＥＭＳ１４０と機器無依存アプリ部１３０とは、情報を直接入出力してもよい。また、機器依存部１１０は、ＮＥ管理・制御部１１５と、ＮＥ管理・制御部１１５のＩＦとを備えなくともよい。
【００４５】
基本機能部１３２は、拡張機能部１３１の一部として機器無依存アプリ部１３０に含まれてもよいし、ミドルウェア部１２０の下位の機能部によって代替されてもよい。拡張機能部１３１が基本機能部１３２を含む場合や、ミドルウェア部１２０の下位の機能部が基本機能部１３２を代替する場合や、それらの組み合わせである場合、機器無依存アプリ部１３０は基本機能部１３２を含まなくてもよい。また、基本機能部１３２の一部は、ミドルウェア部１２０の下位の機能部の機器依存アプリ部１５０（後述する図３及び後述する図５参照）によって代替されてもよい。
【００４６】
管理・制御エージェント部１３３は、予め定められた設定に従って自動設定する場合、ＥＭＳ１４０との間で情報を入出力しなくてよい。更に、管理設定機能を管理・制御エージェント部１３３が備えず他の機器無依存アプリ部１３０や基本機能部１３２や機器依存部１１０が管理設定機能を備える場合、機器無依存アプリ部１３０は、管理・制御エージェント部１３３を備えなくてもよい。ＥＭＳ１４０と機器無依存アプリ部１３０とは、情報を直接入出力してもよい。
【００４７】
機器無依存アプリ部１３０と機器依存部１１０との入出力の例は以下である。
例えば、ＤＢＡアプリ部及びプロテクションアプリ部は、ＴＣレイヤのエンベデッドＯＡＭエンジン（Ｅｍｂｅｄｄｅｄ  ＯＡＭ  Ｅｎｇｉｎｅ）と、相互に情報を入出力する。ＤＷＢＡ（Ｄｙｎａｍｉｃ  Ｗａｖｅｌｅｎｇｔｈ  ａｎｄ  Ｂａｎｄｗｉｄｔｈ  Ａｓｓｉｇｎｍｅｎｔ）アプリ及びＯＮＵ登録認証アプリ部は、ＴＣレイヤのＰＬＯＡＭエンジンと、相互に情報を入出力する。省電力アプリ部は、ＯＭＣＩ及びＬ２主信号処理機能部（Ｌ２機能部）と相互に情報を入出力する。ＭＬＤ（Ｍｕｌｔｉｃａｓｔ  Ｌｉｓｔｅｎｅｒ  Ｄｉｓｃｏｖｅｒ）プロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭフレーマ（ＸＧＰＯＮ  Ｅｎｃａｐｓｕｌａｔｉｏｎ  Ｍｅｔｈｏｄ  Ｆｒａｍｅｒ）及び暗号化を動作させる。ここで、ＤＷＢＡとＤＢＡは、別体、一体又は組み合わせでもよい。例えば、管理・制御エージェント部１３３は、保守運用機能のアプリ部であり、ＮＥ管理・制御部１１５のためのＮＥコントローラ等であるＥＭＳ１４０と、相互に情報を入出力する。
【００４８】
なお、機器無依存アプリ部１３０の実装には、優先順位があってもよい。例えば、管理・制御エージェント部１３３が最も優先される第１の優先順位である。第２の優先順位以下は、例えば、ＤＢＡアプリ、ＤＷＢＡアプリ、省電力アプリ、ＯＮＵ登録認証アプリ、ＭＬＤプロキシアプリ、プロテクションアプリ、低速監視アプリ（ＯＭＣＩ）の順である。
【００４９】
機器無依存アプリ部１３０は、機器のベンダ、方式、機器種別、機器の世代、例えば、ＩＴＵ−Ｔ  Ｇ．９８９シリーズに準拠するＴＷＤＭ−ＰＯＮと、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢＰＯＮ（Ｂｒｏａｄｂａｎｄ−Ｐａｓｓｉｖｅ  Ｏｐｔｉｃａｌ  Ｎｅｔｗｏｒｋ）とのいずれにもよらずに動作するアプリである。機器無依存アプリ部１３０は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異とによらずに動作するアプリである。
【００５０】
拡張機能部１３１のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【００５１】
管理・制御エージェント部１３３は、ＥＭＳ１４０及びミドルウェア部１２０と入出力する。ミドルウェア部１２０は、ＮＥ管理・制御部１１５との間で、ＮＥ管理情報及び制御情報を入出力する。ＮＥ管理・制御部１１５は、ミドルウェア部１２０を介さずに、ＮＥ管理情報及び制御情報をＥＭＳ１４０と直接送受信してもよいし、管理・制御エージェント部１３３を介して、ＮＥ管理情報及び制御情報を送受信してもよい。
【００５２】
ミドルウェア部１２０は、機器無依存アプリ部１３０と機器無依存ＡＰＩ２１を介して情報を入出力する。ミドルウェア部１２０は、機器依存ＡＰＩ２３を介して、機器依存部１１０のＯＡＭ部１１４、ドライバ、ファームウェア、ハードウェア部１１１又はハードウェア部１１２と情報を入出力する。ミドルウェア部１２０は、入力した情報を、そのまま又は所定の形式で出力する。例えば、ミドルウェア部１２０は、出力先が機器無依存アプリ部１３０の各部であれば、機器無依存ＡＰＩ２１の各部の入力形式に情報を変換する。出力先が機器依存部１１０のＯＡＭ部１１４、ドライバ、ファームウェア、ハードウェア部１１１又はハードウェア部１１２であれば、ミドルウェア部１２０は、それぞれに入力する形式の機器依存ＡＰＩ２３の形式に変換してから、又は終端して所定の処理を施してから情報を出力先に送信する。
【００５３】
ミドルウェア部１２０は、入力の際に、それぞれの入力先に不要な入力情報は削除し、不足の情報があれば、他の機器無依存ＡＰＩ２１や機器依存ＡＰＩ２３を介して収集して補足することが望ましい。また、ミドルウェア部１２０への入力の際に、ブロードキャスト又はマルチキャストして、関連するアプリ等に同報することとしてもよい。
【００５４】
図２では、ミドルウェア部１２０や機器依存部１１０は単一で例示したが、それぞれ複数から構成されていてもよい。機器依存部１１０のハードウェアに複数のプロセッサが含まれる場合、ミドルウェア部１２０はプロセッサやハードウェアをまたいでプロセッサ間通信等を用いて入出力してもよい。機器無依存アプリ部１３０間や機器無依存アプリ部１３０をＤＬＬ（Ｄｙｎａｍｉｃ  Ｌｉｎｋ  Ｌｉｂｒａｒｙ）のような実行プログラムとして、単一のプロセッサ上のユーザ空間上に配置してもよいし、複数のプロセッサ上のユーザ空間上に配置してもよい。
【００５５】
また、機器無依存アプリ部１３０は、ＡＰＩ等の入出力ＩＦを確保した上でカーネル空間に配置してもよいし、独立にファームウェア等に入替可能なインタフェースを有するミドルウェア部１２０とともに配置してもよいし、ファームウェア等に組み込んでコンパイルし直してもよい。機器無依存アプリ部１３０毎にユーザ空間やカーネル空間を任意の組み合わせとしてもよい。
【００５６】
同一の機能に対応する機器無依存アプリ部１３０を、ユーザ空間とカーネル空間の両方で実装可能としてもよい。この場合、例えば、切り替えていずれかを選択してもよいし、両方協働して処理してもよいし、一方のみで実処理を行うとしてもよい。機器依存部１１０のソフトウェアも同様である。
【００５７】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部１５０（後述する図３及び後述する図５参照）を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。ただし、実処理を行うプロセッサ又はその近傍のプロセッサの能力を軽減するためにはプロセッサ間通信によるコミュニケーションコストは増大するが、遠隔のプロセッサで処理するとしてもよい。
【００５８】
機器無依存ＡＰＩ２１は、追加する拡張機能部１３１を想定してミドルウェア部１２０に予め備えられることが望ましいが、機器依存ＡＰＩ２３や他の機器無依存アプリ部１３０の改変を抑制する形で、必要に応じて追加又は削除されてもよい。
【００５９】
（アーキテクチャの第２例）
図３は、通信装置１００のアーキテクチャの第２例を示す図である。図３では、通信装置１００は、図２に示す通信装置１００のミドルウェア部１２０の配下に機器依存アプリ部１５０を更に備えた構成である。アーキテクチャの第２例は、機器依存アプリ部１５０を備えること以外は、アーキテクチャの第１例と同様である。
【００６０】
図３では、通信装置１００は、準拠する機器依存部１１０の標準規格又は機器製造ベンダに依存するハードウェア部１１１（ＰＨＹ）及びハードウェア部１１２（ＭＡＣ）と、ハードウェア部１１１及びハードウェア部１１２を駆動するドライバ、ファームウェア等を実行するソフトウェア部１１３と、機器依存部１１０のハードウェア部１１１及びハードウェア部１１２やソフトウェア部１１３の少なくとも一部を駆動する機器依存アプリ部１５０と、機器依存部１１０のハードウェア部１１１、ハードウェア部１１２、ソフトウェア部１１３及び機器依存アプリ部１５０の違いを隠蔽するミドルウェア部１２０と、機器に依存しない汎用の機器無依存アプリ部１３０とを備える。
【００６１】
ミドルウェア部１２０と機器依存アプリ部１５０とは、機器依存ＡＰＩ２３で接続される。機器依存アプリ部１５０と、機器依存部１１０のＯＡＭ部１１４、ソフトウェア部１１３、ハードウェア部１１１及びハードウェア部１１２とは、機器依存ＡＰＩ２４で接続される。機器依存アプリ部１５０と管理・制御エージェント部１３３とは、ＡＰＩ２６で接続される。
【００６２】
機器無依存アプリ部１３０は、例えば、ＥＭＳ１４０からの通信を受ける管理・制御エージェント部１３３と、基本機能部１３２と、拡張機能部１３１とを備える。機器無依存アプリ部１３０は、アーキテクチャの第１例と同様に、管理・制御エージェント部１３３と基本機能部１３２と拡張機能部１３１とのうちいずれかを備えなくてもよい。機器無依存アプリ部１３０は、管理・制御エージェント部１３３と基本機能部１３２と拡張機能部１３１と以外の機能部を、更に備えてもよい。また、拡張機能部１３１は、アーキテクチャの第１例と同様に、他の機能に影響を与えずに追加、削除、入替又は変更が可能であることが好ましい。
【００６３】
基本機能部１３２は、各拡張機能部１３１の一部として含まれていてもよいし、ミドルウェア部１２０の下位で代替されてもよい。拡張機能部１３１が基本機能部１３２を含む場合や、ミドルウェア部１２０の下位が基本機能部１３２を代替する場合や、それらの組み合わせである場合、機器無依存アプリ部１３０は基本機能部１３２を含まなくてもよい。
【００６４】
また、基本機能部１３２の一部もミドルウェア部１２０の下位の機器依存アプリ部１５０で代替してもよい。管理・制御エージェント部１３３は、予め定められた設定に従って自動設定する場合、ＥＭＳ１４０との間で情報を入出力しなくてよい。更に、管理設定機能を管理・制御エージェント部１３３が備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【００６５】
ＥＭＳ１４０と機器無依存アプリ部１３０とは、直接入出力してもよい。ミドルウェア部１２０の下位が基本機能部１３２の全てを代替する場合、機器無依存アプリ部１３０は、基本機能部１３２を備えなくてもよい。
【００６６】
図３に示す通信装置１００において、機器依存アプリ部１５０は、ミドルウェア部１２０を介して情報を入出力してもよいし、管理・制御エージェント部１３３から情報を直接入出力してもよいし、両者のうちのいずれかとの間で情報を入出力してもよいし、ＥＭＳ１４０と直接入出力してもよい。また、機器依存アプリ部１５０が、ＥＭＳ１４０からの通信を受けずに、予め定められた設定に従って自動設定されており、ミドルウェア部１２０を介してＥＭＳ１４０から管理及び制御情報を取得可能である場合、機器無依存アプリ部１３０は、管理・制御エージェント部１３３を備えなくてもよい。
【００６７】
機器無依存アプリ部１３０は、ミドルウェア部１２０を介して少なくとも機器依存部１１０のハードウェア部１１１及びハードウェア部１１２との間又はソフトウェア部１１３との間で、情報を入出力する。機器無依存アプリ部１３０は、必要に応じてミドルウェア部１２０を介して、相互に入出力する。特に、機器無依存アプリ部１３０は、ＥＭＳ１４０との間で入出力された情報に応じて制御又は管理を実行する場合、ＥＭＳ１４０からの通信を受ける管理・制御エージェント部１３３との間で、情報を入出力する。
【００６８】
ＮＥ管理・制御部１１５は、ミドルウェア部１２０を介して管理・制御エージェント部１３３との間で、ＮＥ管理情報及び制御情報を入出力する。ＮＥ管理・制御部１１５は、ミドルウェア部１２０を介さずに、ＥＭＳ１４０との間で、ＮＥ管理情報及び制御情報を直接入出力してもよい。
【００６９】
機器依存アプリ部１５０は、管理・制御エージェント部１３３との間で、ＮＥ管理情報及び制御情報を入出力している。機器依存アプリ部１５０は、管理・制御エージェント部１３３を介さずに、ＥＭＳ１４０との間で、情報を直接入出力してもよい。管理・制御エージェント部１３３は、ＥＭＳ１４０、ミドルウェア部１２０及び機器依存アプリ部１５０との間で、情報を入出力する。ミドルウェア部１２０は、ＮＥ管理・制御部１１５との間で、ＮＥ管理情報及び制御情報を入出力する。
【００７０】
ＮＥ管理・制御部１１５は、ミドルウェア部１２０を介さずに、ＥＭＳ１４０との間で、ＮＥ管理情報及び制御情報を直接入出力してもよい。ミドルウェア部１２０は、機器無依存アプリ部１３０との間で、機器無依存ＡＰＩ２１を介して情報を入出力し、機器依存部１１０のＯＡＭ部１１４、ドライバ、ファームウェア、ハードウェア部１１１及びハードウェア部１１２との間で、機器無依存ＡＰＩ２１を介して情報を入出力する。
【００７１】
ミドルウェア部１２０は、図２に示すミドルウェア部１２０と同様に、そのまま又は所定の形式で入力する。機器無依存ＡＰＩ２１は、後から追加する拡張機能部１３１を想定して、予めミドルウェア部１２０に備えることが望ましいが、必要に応じて、機器依存ＡＰＩ２３や他の機器無依存アプリ部１３０の改変を抑制する形で追加又は削除してもよい。
【００７２】
（アーキテクチャの第３例）
図４は、通信装置１００のアーキテクチャの第３例を示す図である。図４では、図２に示すアーキテクチャの第１例で説明したミドルウェア部１２０の代わりに、基本機能部１３２が、ハードウェア部１１１及びハードウェア部１１２と、拡張機能部１３１との入出力を行う。その他の機器無依存アプリ部１３０は、アーキテクチャの第１例と同様である。
【００７３】
アーキテクチャの第１例と比べて、第３例は、機器依存ＡＰＩ２４を備えるミドルウェア部１２０を、準拠する標準規格、世代、方式、システム、機器種別、製造ベンダの少なくともいずれかが異なる機器毎に作成する必要がない。これによって、アーキテクチャの第３例の通信装置１００は、機器間世代間でより多くの機能を汎用化して移植し易く、接続性の検証も容易で、機器の機能が堅牢となる効果がある。
【００７４】
アーキテクチャの第３例による通信装置１００は、機器依存部１１０と、機器無依存アプリ部１３０とを備える。機器依存部１１０は、準拠する標準規格又は機器製造ベンダ等に依存するハードウェア部１１１及びハードウェア部１１２と、ハードウェア部１１１及びハードウェア部１１２を駆動するドライバ、ファームウェア等のソフトウェア部１１３とを備える。ドライバ等は、機器依存部１１０の違いを隠蔽する。
【００７５】
機器無依存アプリ部１３０は、拡張機能部１３１と、基本機能部１３２とを備える。基本機能部１３２は、ハードウェア部１１１及びハードウェア部１１２と機器依存のソフトウェア部１１３との違いを隠蔽するドライバを介して、機器無依存ＡＰＩ２７（移植用ＩＦ）により機器依存部１１０と接続する。機器無依存アプリ部１３０は、ハードウェア部１１１及びハードウェア部１１２と機器依存のソフトウェア部１１３との違いを隠蔽するドライバを介して、ハードウェア部１１１及びハードウェア部１１２と機器依存のソフトウェア部１１３との間で、データを入出力する。
【００７６】
基本機能部１３２と拡張機能部１３１とは、機器無依存ＡＰＩ２２（拡張用ＩＦ）を介して接続される。基本機能部１３２と機器依存部１１０とは、機器無依存ＡＰＩ２７を介して接続される。機器無依存アプリ部１３０の内の基本機能部１３２が、ミドルウェア部１２０の代わりに、ハードウェア部１１１及びハードウェア部１１２や拡張機能部１３１との間で、情報の入出力を行う。
【００７７】
機器無依存アプリ部１３０は、必要に応じて基本機能部１３２を介して、相互に入出力する。機器無依存アプリ部１３０の拡張機能部１３１は、基本機能部１３２及び機器無依存ＡＰＩ２２を介して、情報を入出力する。基本機能部１３２は、機器無依存アプリ部１３０と機器無依存ＡＰＩ２２を介して情報を入出力し、機器依存部１１０のＯＡＭ部、ドライバ、ファームウェア、ハードウェア部１１１及びハードウェア部１１２と機器無依存ＡＰＩ２７とを介して情報を入出力する。
【００７８】
基本機能部１３２は、図２に示すミドルウェア部１２０と同様に、そのまま又は所定の形式で運用情報を入力する。例えば、他の機器無依存アプリ部１３０であれば、基本機能部１３２は、入力する形式の機器無依存ＡＰＩ２２の形式にそれぞれに変換し、機器依存のＯＡＭ部、ドライバ、ファームウェア、ハードウェア部であれば、入力する形式の機器無依存ＡＰＩ２２の形式にそれぞれに変換してから、又は終端して所定の処理を施してから運用情報を入力する。入力の際に、基本機能部１３２は、それぞれの入力先に不要な入力情報を削除し、不足の情報があれば、他の機器無依存ＡＰＩ２２や機器無依存ＡＰＩ２７を介して収集して補足することが望ましい。しかし、基本機能部１３２は、入力先への入力を、ブロードキャスト又はマルチキャストして、関連するアプリ等に同報することとしてもよい。
【００７９】
機器無依存アプリ部１３０は、例えば、拡張機能部１３１と、基本機能部１３２とを備える。機器無依存アプリ部１３０は、拡張機能部１３１と基本機能部１３２とのうち、いずれかを備えなくてもよい。機器無依存アプリ部１３０は、拡張機能部１３１と基本機能部１３２と以外の機能部を、更に備えてもよい。例えば、拡張機能部１３１が不要である場合、機器無依存アプリ部１３０は、拡張機能部１３１を備えなくてよい。
【００８０】
拡張機能部１３１は、他の機能に影響を与えることなく独立に追加又は削除可能であることが好ましい。例えば、サービス上の要求に合わせて、例えばマルチキャストサービス、省電力対応を拡張機能部１３１とする場合、拡張機能部１３１が必要になった場合に、適宜追加し、不要となった場合に適宜削除し、変更に応じて入替又は変更してもよい。
【００８１】
機器無依存ＡＰＩ２２は、後から追加する拡張機能部１３１を想定して、基本機能部１３２に予め備えることが望ましいが、必要に応じて、機器無依存ＡＰＩ２２、機器無依存ＡＰＩ２７、他の機器無依存アプリ部１３０の改変を抑制する形で、追加又は削除してもよい。
【００８２】
（アーキテクチャの第４例）
図５は、通信装置１００のアーキテクチャの第４例を示す図である。アーキテクチャの第４例とアーキテクチャの第３例との違いは、通信装置１００が、基本機能部１３２の配下に、機器依存アプリ部１５０を備える点である。このように、アーキテクチャの第４例の通信装置１００は、機器依存アプリ部１５０を備えることで、基本機能部１３２の構成を簡易化できる効果がある。
【００８３】
図５に示す通信装置１００は、機器依存部１１０と、機器無依存アプリ部１３０とを備える。機器依存部１１０は、準拠する標準規格又は機器製造ベンダに依存するハードウェア部１１１及びハードウェア部１１２と、ハードウェア部１１１及びハードウェア部１１２を駆動するドライバ、ファームウェア等のソフトウェア部１１３と、機器依存部１１０の少なくとも一部分を駆動する機器依存アプリ部１５０とを有する。機器無依存アプリ部１３０は、移植用ＩＦとハードウェア部１１１及びハードウェア部１１２と機器依存のソフトウェアとの違いを隠蔽するドライバを介して又は移植用ＩＦと機器依存アプリ部１５０とを介して、機器に依存しない処理を実行する汎用の機器無依存アプリである。機器無依存アプリ部１３０内の基本機能部１３２と、機器依存部１１０内の機器依存アプリ部１５０とは、機器無依存ＡＰＩ２７を介して接続される。機器依存アプリ部１５０と機器依存部１１０は、機器依存ＡＰＩ２４を介して接続される。
【００８４】
機器無依存アプリ部１３０内の基本機能部１３２は、ミドルウェア部１２０の代わりに、基本機能部１３２がハード、拡張機能部１３１との入出力を行う。基本機能部１３２の中に、ＥＭＳ１４０からの通信を受ける管理・制御エージェント部相当を含んでいてもよいし、拡張機能部１３１として管理・制御エージェント部を備えてもよい。
【００８５】
基本機能部１３２は、機器無依存アプリ部１３０と機器無依存ＡＰＩ２２（拡張用ＩＦ）を介して入出力し、機器依存部１１０のＯＡＭ部１１４、ドライバ、ファームウェア、ハードウェア部１１１及びハードウェア部１１２と機器無依存ＡＰＩ２７（移植用ＩＦ）と機器依存部１１０の差異を隠蔽する機器依存部１１０のドライバ又は機器依存アプリ部１５０と機器依存ＡＰＩ２４を介して入出力する。
【００８６】
基本機能部１３２は、図２に示すミドルウェア部１２０と同様に、そのまま又は所定の形式で入力する。アーキテクチャの第３例と同様に、基本機能部１３２の中に、ＥＭＳ１４０からの通信を受ける管理・制御エージェント部１３３相当を含んでいてもよいし、拡張機能部１３１として管理・制御エージェント部１３３を備えてもよい。
【００８７】
機器無依存アプリ部１３０は、例えば、拡張機能部１３１−１〜１３１−３と、基本機能部１３２とを備える。機器無依存アプリ部１３０は、アーキテクチャの第３例と同様に、拡張機能部１３１−１〜１３１−３と基本機能部１３２とのいずれかを備えなくてもよい。機器無依存アプリ部１３０は、アーキテクチャの第３例と同様に、拡張機能部１３１−１〜１３１−３と基本機能部１３２と以外の機能部を、更に備えてもよい。
【００８８】
拡張機能部１３１は、アーキテクチャの第３例と同様に、互いに独立に他の機能に影響を与えずに、追加、削除、入替又は変更が可能であることが好ましい。基本機能部１３２の一部は、機器依存アプリ部１５０で代替してもよい。機器依存アプリ部１５０は、情報を基本機能部１３２から直接入出力しているが、そのまま又は所定の変換の後に、基本機能部１３２を介さずにＥＭＳ１４０との間で情報を入出力してもよい。
【００８９】
機器無依存ＡＰＩ２２、２７は、図２に示すアーキテクチャの第１例と同様に、後から追加する拡張機能部１３１を想定して、基本機能部１３２に予め備えることが望ましいが、機器無依存ＡＰＩ２２、機器無依存ＡＰＩ２７、他の機器無依存アプリ部１３０、機器依存アプリ部１５０又は機器依存ＡＰＩ２４の改変を抑制する形で、必要に応じて追加又は削除してもよい。
【００９０】
（アーキテクチャの第５例）
図６の右上図は、アーキテクチャの第５例を示す図である。図６の右下図はアーキテクチャの第１〜第４例に相当する。本例では、通信装置１００は、既存／市中品ハードウェアと外付ハードウェアからなる。例えば既存／市中品ハードウェアは機器に依存する非汎用の機器依存部１１０であり、外付ハードウェア上にハードウェアやソフトウェアの違いを隠蔽するミドルウェア部１２１と、動作が機器に依存しない汎用の機器無依存アプリ部１３０とを備える。したがって、同図のミドルウェア以下の機器依存部（ベンダ依存部）は、通信装置１００の機器が準拠する標準規格や機器の製造ベンダに依存する機能部である。また、機器無依存アプリ部１３０は、通信装置の機器が準拠する標準規格や機器の製造ベンダに依存しない機能部である。
【００９１】
ミドルウェア部１２１と機器無依存アプリ部１３０とは、機器に依存しない入出力インタフェースである機器無依存ＡＰＩを介して接続される。機器依存部の例えば、ソフトウェア部、ＯＡＭ、ハードウェア部及びハードウェア部と、外付ハードウェア上のミドルウェア部１２１とは、機器に依存する入出力インタフェースである機器依存ＡＰＩ及び既存／市中品ハードウェアと外付ハードウェア間の機器間接続を介して接続される。
【００９２】
実行部３は機器依存部１１０に、指示部５は例えば、機器無依存アプリ部１３０に配置する。本アーキテクチャでは機器無依存アプリ部１３０による拡張機能部（独自機能部）の柔軟及び迅速な追加を容易にし、通信サービスをタイムリーに提供することができる。ここで、機器依存部１１０は、図６に示す保守運用、アクセス制御、物理層処理、光モジュルであってもよく、機器自体の構成による。
【００９３】
例えば、主信号の優先処理や回線の利用効率を向上するＤＢＡ等の更新頻度が高い機能又は通信サービス差異化に寄与する機能を優先して、機器依存部１１０又は機器無依存アプリ部１３０とすることを決めてもよい。更に、共用化を図る機器の準拠する標準規格、世代、方式、システム、機器種別、製造ベンダの少なくともいずれかに関して差異の隔たりが小さいものから、機器無依存アプリ部１３０としてもよい。
【００９４】
ここで、機器依存部を実行部３、機器無依存アプリを指示部５としたが、機能配備により、共に機器無依存アプリであってもよいし、共に機器依存部であってもよい。共に機器無依存アプリである例としては、例えば、ＤＢＡ処理等の機能の実施部を非力な送受信機に備えるプロセッサ等の情報処理部に備え、指示部を強力な情報処能力を備えるその他の箇所の情報処理部、例えばＯＳＵ等に備え、ミドルウェアとして装置間のプロセッサ間通信や装置間通信が働く場合である。共に機器依存部に備える場合は、左記の例と同様にファームウェア等の一部としてそれぞれＤＢＡ機能をコンパイルした場合等である。
【００９５】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦ（共通インタフェース）が用いられてもよい。共通ＩＦの中には、機器依存部１１０の準拠する標準規格、世代、方式、システム、機器種別、製造ベンダのいずれかにおいて使用されないＩＦやパラメータが含まれていてもよい。
【００９６】
ミドルウェア部１２１と、機器依存部１１０のドライバと、機器依存アプリ部１５０（ベンダ依存アプリ部）との少なくともいずれかに、インタフェース（ＩＦ）やパラメータ等を機器依存部１１０に対応するように変換する変換機能部や、不足するＩＦやパラメータ等に対応して自動設定する機能部を更に備えてもよい。
【００９７】
機器依存部１１０は、ハードウェア部と、ソフトウェア部とを備える。ソフトウェア部は、機器依存のドライバ、ファームウェア、アプリケーション等を実行する。
機器依存部１１０は、物理媒体に接続するＰＭＤ、ＭＡＣ、データのシリアル化を行うＰＭＡ、データを符号化する部分であるＰＣＳ又はＰＨＹの一部を備えなくてもよい。例えば、変復調信号処理、前方誤り訂正（ＦＥＣ）、符復号処理、暗号化処理等の低位の信号処理を備えずに光関連の機能のみを備えてもよい。
【００９８】
機器無依存アプリ部１３０は、例えば、ＥＭＳからデータを取得する管理・制御エージェント部１３３と、拡張機能部１３１−１〜１３１−３と、基本機能部１３２とである。以下、拡張機能部１３１−１〜１３１−３に共通する事項については、符号の一部を省略して、「拡張機能部１３１」と表記する。ＥＭＳは、例えば、ネットワーク・エレメントを制御するコントローラである。なお、機器無依存アプリ部１３０は、管理・制御エージェント部１３３と拡張機能部１３１と基本機能部１３２とのうちいずれかを含まなくてもよい。
【００９９】
機器無依存アプリ部１３０は、管理・制御エージェント部１３３、拡張機能部１３１及び基本機能部１３２以外の構成を、更に含んでいてもよい。例えば、拡張機能部１３１が不要である場合、機器無依存アプリ部１３０は、拡張機能部１３１を備えなくてもよい。また、機器無依存アプリ部１３０は、１個以上の拡張機能部１３１を含んでもよい。
【０１００】
拡張機能部１３１は、他の機能に不要な影響を与えずに独立して追加、削除、入替又は変更が可能であることが好ましい。例えば、拡張機能部１３１は、サービス上の要求に合わせて、例えばマルチキャストサービス、省電力対応を実行する拡張機能部１３１が必要になった場合、適宜に追加、削除、入替又は変更されてもよい。
【０１０１】
基本機能部１３２は、拡張機能部１３１の一部として機器無依存アプリ部１３０に含まれてもよいし、ミドルウェア部１２１よりも下位の機能部によって代替されてもよい。拡張機能部１３１が基本機能部１３２を含む場合、機器無依存アプリ部１３０は基本機能部１３２を含まなくてもよい。ミドルウェア部１２１よりも下位の機能部が基本機能部１３２を代替する場合、機器無依存アプリ部１３０は基本機能部１３２を含まなくてもよい。拡張機能部１３１が基本機能部１３２を含み、ミドルウェア部１２０よりも下位の機能部が基本機能部１３２を代替する場合、機器無依存アプリ部１３０は基本機能部１３２を含まなくてもよい。
【０１０２】
管理・制御エージェント部１３３は、ＥＭＳ１４０からの通信を受けずに、予め定められた設定に従って自動設定する場合、ＥＭＳ１４０と入出力しなくてよい。更に、管理・制御エージェント部１３３が管理設定機能を備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【０１０３】
ＥＭＳ１４０と機器無依存アプリ部１３０とは、情報を直接入出力してもよい。また、機器依存部１１０は、ＮＥ管理・制御部１１５と、ＮＥ管理・制御部１１５のＩＦとを備えなくともよい。
【０１０４】
基本機能部１３２は、拡張機能部１３１の一部として機器無依存アプリ部１３０に含まれてもよいし、ミドルウェア部１２０の下位の機能部によって代替されてもよい。拡張機能部１３１が基本機能部１３２を含む場合や、ミドルウェア部１２０の下位の機能部が基本機能部１３２を代替する場合や、それらの組み合わせである場合、機器無依存アプリ部１３０は基本機能部１３２を含まなくてもよい。また、基本機能部１３２の一部は、ミドルウェア部１２０の下位の機能部の機器依存アプリ部１５０によって代替されてもよい。
【０１０５】
管理・制御エージェント部１３３は、予め定められた設定に従って自動設定する場合、ＥＭＳ１４０との間で情報を入出力しなくてよい。更に、管理設定機能を管理・制御エージェント部１３３が備えず他の機器無依存アプリ部１３０や基本機能部１３２や機器依存部１１０が管理設定機能を備える場合、機器無依存アプリ部１３０は、管理・制御エージェント部１３３を備えなくてもよい。ＥＭＳ１４０と機器無依存アプリ部１３０とは、情報を直接入出力してもよい。
【０１０６】
機器無依存アプリ部１３０と機器依存部１１０との入出力の例は以下である。例えば、ＤＢＡアプリ部及びプロテクションアプリ部は、ＴＣレイヤのエンベデッドＯＡＭエンジンと、相互に情報を入出力する。ＤＷＢＡアプリ及びＯＮＵ登録認証アプリ部は、ＴＣレイヤのＰＬＯＡＭエンジンと、相互に情報を入出力する。省電力アプリ部は、ＯＭＣＩ及びＬ２主信号処理機能部（Ｌ２機能部）と相互に情報を入出力する。ＭＬＤプロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭフレーマ及び暗号化を動作させる。ここで、ＤＷＢＡとＤＢＡは、別体、一体又は組み合わせでもよい。例えば、管理・制御エージェント部１３３は、保守運用機能のアプリ部であり、ＮＥ管理・制御部１１５のためのＮＥコントローラ等であるＥＭＳ１４０と、相互に情報を入出力する。
【０１０７】
なお、機器無依存アプリ部１３０の実装には、優先順位があってもよい。例えば、管理・制御エージェント部１３３が最も優先される第１の優先順位である。第２の優先順位以下は、例えば、ＤＢＡアプリ、ＤＷＢＡアプリ、省電力アプリ、ＯＮＵ登録認証アプリ、ＭＬＤプロキシアプリ、プロテクションアプリ、低速監視アプリ（ＯＭＣＩ）の順である。
【０１０８】
機器無依存アプリ部１３０は、機器のベンダ、方式、機器種別、機器の世代、例えば、ＩＴＵ−Ｔ  Ｇ．９８９シリーズに準拠するＴＷＤＭ−ＰＯＮと、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢＰＯＮとのいずれにもよらずに動作するアプリである。機器無依存アプリ部１３０は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異とによらずに動作するアプリである。
【０１０９】
拡張機能部１３１のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【０１１０】
管理・制御エージェント部１３３は、ＥＭＳ１４０及びミドルウェア部１２０と入出力する。ミドルウェア部１２０は、ＮＥ管理・制御部１１５との間で、ＮＥ管理情報及び制御情報を入出力する。ＮＥ管理・制御部１１５は、ミドルウェア部１２０を介さずに、ＮＥ管理情報及び制御情報をＥＭＳ１４０と直接送受信してもよいし、管理・制御エージェント部１３３を介して、ＮＥ管理情報及び制御情報を送受信してもよい。
【０１１１】
ミドルウェア部１２０は、機器無依存アプリ部１３０と機器無依存ＡＰＩ２１を介して情報を入出力する。ミドルウェア部１２０は、機器依存ＡＰＩ２３を介して、機器依存部１１０のＯＡＭ部１１４、ドライバ、ファームウェア、ハードウェア部１１１又はハードウェア部１１２と情報を入出力する。ミドルウェア部１２０は、入力した情報を、そのまま又は所定の形式で出力する。例えば、ミドルウェア部１２０は、出力先が機器無依存アプリ部１３０の各部であれば、機器無依存ＡＰＩ２１の各部の入力形式に情報を変換する。出力先が機器依存部１１０のＯＡＭ部１１４、ドライバ、ファームウェア、ハードウェア部１１１又はハードウェア部１１２であれば、ミドルウェア部１２０は、それぞれに入力する形式の機器依存ＡＰＩ２３の形式に変換してから、又は終端して所定の処理を施してから情報を出力先に送信する。
【０１１２】
ミドルウェア部１２０は、入力の際に、それぞれの入力先に不要な入力情報は削除し、不足の情報があれば、他の機器無依存ＡＰＩ２１や機器依存ＡＰＩ２３を介して収集して補足することが望ましい。また、ミドルウェア部１２０への入力の際に、ブロードキャスト又はマルチキャストして、関連するアプリ等に同報することとしてもよい。
【０１１３】
ミドルウェア部１２０や機器依存部１１０は単一で例示したが、それぞれ複数から構成されていてもよい。機器依存部１１０のハードウェアに複数のプロセッサが含まれる場合、ミドルウェア部１２０はプロセッサやハードウェアをまたいでプロセッサ間通信等を用いて入出力してもよい。機器無依存アプリ部１３０間や機器無依存アプリ部１３０をＤＬＬのような実行プログラムとして、単一のプロセッサ上のユーザ空間上に配置してもよいし、複数のプロセッサ上のユーザ空間上に配置してもよい。
【０１１４】
また、機器無依存アプリ部１３０は、ＡＰＩ等の入出力ＩＦを確保した上でカーネル空間に配置してもよいし、独立にファームウェア等に入替可能なインタフェースを有するミドルウェア部１２０とともに配置してもよいし、ファームウェア等に組み込んでコンパイルし直してもよい。機器無依存アプリ部１３０毎にユーザ空間やカーネル空間を任意の組み合わせとしてもよい。
【０１１５】
同一の機能に対応する機器無依存アプリ部１３０を、ユーザ空間とカーネル空間の両方で実装可能としてもよい。この場合、例えば、切り替えていずれかを選択してもよいし、両方協働して処理してもよいし、一方のみで実処理を行うとしてもよい。機器依存部１１０のソフトウェアも同様である。
【０１１６】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部１５０を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。ただし、実処理を行うプロセッサ又はその近傍のプロセッサの能力を軽減するためにはプロセッサ間通信によるコミュニケーションコストは増大するが、遠隔のプロセッサで処理するとしてもよい。
【０１１７】
機器無依存ＡＰＩ２１は、追加する拡張機能部１３１を想定してミドルウェア部１２０に予め備えられることが望ましいが、機器依存ＡＰＩ２３や他の機器無依存アプリ部１３０の改変を抑制する形で、必要に応じて追加又は削除されてもよい。
【０１１８】
（アーキテクチャの第６例）
アーキテクチャの第６例は、機器依存部１１０として準拠する標準規格又は機器製造ベンダに依存するハードウェア部１１１及びハードウェア部１１２と、ハードウェア部１１１及びハードウェア部１１２を駆動するドライバ・ファームウェア等のソフトウェア部１１３と、機器依存部１１０の少なくとも一部分を駆動する機器依存アプリ部１５０とを備える。
【０１１９】
機器依存アプリ部１５０及び機器依存部１１０は、機器依存ＡＰＩ２４を介して接続される。機器依存アプリ部１５０の中に、ＥＭＳ１４０からの通信を受ける管理・制御エージェント部１３３相当を含んでいてもよい。機器依存ＡＰＩ２４は、機器依存アプリ部１５０及び機器依存ＡＰＩ２４の改変を抑制する形で、必要に応じて追加又は削除されてもよい。
【０１２０】
なお、通信装置１００のアーキテクチャの第１例〜第６例に示す通信装置１００の構成は、ＴＷＤＭ−ＰＯＮのようなＩＴＵ−Ｔ勧告準拠のＰＯＮのＯＬＴを前提に記載しているが、ＯＮＵであってもよく、ＴＷＤＭ−ＰＯＮ以外のＩＴＵ−Ｔ勧告準拠のＰＯＮのＯＬＴ又はＯＮＵのいずれかであってもよいし、ＧＥ−ＰＯＮ、１０ＧＥ−ＰＯＮ等のＩＥＥＥ規格準拠のＰＯＮであってもよく、ＴＣレイヤ又はＰＭＤレイヤは対応する層に読み替えれば同様である。
【０１２１】
以下、ＴＷＤＭ−ＰＯＮが、ＰＯＮマルチキャスト機能と、省電力制御機能と、周波数・時刻同期機能と、プロテクション機能と、保守運用機能と、Ｌ２主信号処理機能と、ＰＯＮアクセス制御機能と、ＰＯＮ主信号処理機能とを主に有する場合を例に説明する。以下、ＰＯＮマルチキャスト機能と、省電力制御機能と、周波数・時刻同期機能と、プロテクション機能と、保守運用機能と、Ｌ２主信号処理機能と、ＰＯＮアクセス制御機能と、ＰＯＮ主信号処理機能とを、「主要８機能」という。
【０１２２】
図７は、通信装置１００及び外部サーバ１６の構成の例を示す図である。通信システム１は、通信装置１００と、外部サーバ１６とを備える。通信装置１００は、送受信部１１（ＴＲｘ）と、スイッチ部１２（ＳＷ）と、スイッチ部１３（ＳＷ）と、制御部１４と、プロキシ部１５との少なくとも一部を備える。なお、通信装置１００は、外部サーバ１６を備え得る。
【０１２３】
図７では、異なる波長（λＡ〜λＮ）の光信号を送受信（通信）する送受信部１１が同一のスイッチ部１２に接続されている構成を示すが、実施形態１−１はこれに限定されない。例えば、異なる波長（λＡ〜λＮ）の光信号を送受信する送受信部１１が同一のスイッチ部１２に接続されている構成に加えて、同一の波長の光信号を送受信する送受信部１１が同一のスイッチ部１２に接続されていてもよいし、異なる波長（λＡ〜λＮ）の光信号を送受信する送受信部１１の内で少なくとも一部の波長の送受信部１１が複数同一のスイッチ部１２に接続されていてもよいし、送受信部１１の内の一部又は全てが送信のみ又は受信のみ行う送受信部１１であってもよい。
【０１２４】
ＯＬＴなどの通信装置１００は、送受信部１１から制御部１４を備えていてもよいし、これらに加えて外部サーバ１６を更に、備えてもよい。また、ＯＳＵは、送受信部１１でもよいし、これに加えてスイッチ部１２（ＳＷ）又はスイッチ部１３（ＳＷ）を備えてもよい。
【０１２５】
通信システム構成（１−１）の通信システムは、送受信部１１（ＴＲｘ）と、スイッチ部１２（ＳＷ）と、スイッチ部１３（ＳＷ）と、制御部１４と、プロキシ部１５と、外部サーバ１６とを備える（図７）。
【０１２６】
通信装置１００がＯＬＴである場合、ＯＬＴは、送受信部１１（ＴＲｘ）と、スイッチ部１２（ＳＷ）と、スイッチ部１３（ＳＷ）と、制御部１４とから構成してもよいし、送受信部１１（ＴＲｘ）と、スイッチ部１２（ＳＷ）と、スイッチ部１３（ＳＷ）と、制御部１４と、外部サーバ１６とから構成してもよい。ＯＳＵは、送受信部１１（ＴＲｘ）とから構成してもよいし、送受信部１１（ＴＲｘ）と、スイッチ部１２（ＳＷ）とから構成してもよいし、送受信部１１（ＴＲｘ）と、スイッチ部１３（ＳＷ）とから構成してもよい。
【０１２７】
異なる波長（λＡ〜λＮ）の光信号を送受信する送受信部１１（ＴＲｘ）がスイッチ部１２に接続されている。送受信部１１（ＴＲｘ）は、自律制御を行い、又は、スイッチ部１２（ＳＷ）、スイッチ部１３（ＳＷ）、制御部１４、プロキシ部１５若しくは外部サーバ１６等の他の構成要素から制御され、又は、スイッチ部１２（ＳＷ）、スイッチ部１３（ＳＷ）、制御部１４、プロキシ部１５若しくは外部サーバ１６等の他の構成要素を介して転送された指示で制御される。送受信部１１（ＴＲｘ）は、ＯＤＮ（Ｏｐｔｉｃａｌ  Ｄｉｓｔｒｉｂｕｔｉｏｎ  Ｎｅｔｗｏｒｋ）若しくはスイッチ部１２（ＳＷ）のトラフィックの一部又はその全てに、所定の手順に従って、ＶＬＡＮ（Ｖｉｒｔｕａｌ  Ｌｏｃａｌ  Ａｒｅａ  Ｎｅｔｗｏｒｋ）、優先、廃棄優先若しくは宛先等の少なくとも一部又はその組み合わせのタグの追加、削除、付替をして、又は、タグの変更無で、集約、分配、振分、複製、折返若しくは透過の少なくとも一つ又はその組み合わせの処理を行う。
【０１２８】
なお、上りトラフィックに関しても集約されるとは限らない。スイッチ部１２（ＳＷ）は通信システム構成（１−１）の構成では波長毎の振分が主であるが、集約、分配、複製、折返、透過、ＶＩＤ（Ｖｉｒｔｕａｌ  ＬＡＮ  Ｉｄｅｎｔｉｆｉｅｒ）や優先廃棄を表すタグ等のタグ付加又はタグ付替を行ってもよい。後述する通信システム構成（１−２）の構成では、上りトラフィックは集約が主であるが、分配、振分、複製、折返、透過、タグ付加又はタグ付替を行ってもよい。下りトラフィックも集約、分配、振分、複製、折返、透過、タグ付加又はタグ付替のいずれかを行ってもよく、少なくとも一部の組み合わせを行ってもよい。そのいずれとするかはサービスポリシーに応じて決定する。これは以降の通信システム構成でも同様である。
【０１２９】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４、プロキシ部１５若しくは外部サーバ１６等の他の構成要素から制御され、又は、送受信部１１（ＴＲｘ）、スイッチ部１３（ＳＷ）、制御部１４、プロキシ部１５若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、又は、タグの変更無で、集約、分配、振分、複製、折返、透過若しくはタグ付加又はタグ付替の少なくとも一部又はその組み合わせの処理を行う。これは以降の通信システム構成でも同様である。
【０１３０】
なお、スイッチ部１２（ＳＷ）は、制御されるとは限らない。送受信部１１からプロキシ部１５の少なくとも一つが制御される場合と、制御されずに送受信部１１からプロキシ部１５の少なくとも一つに制御情報が転送される場合とがある。転送元としては例えばプロキシ部１５又は外部サーバ１６がある。また、送受信部１１からプロキシ部１５が自律で動く場合もある。これは以降の通信システム構成でも同様である。
【０１３１】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４、プロキシ部１５若しくは外部サーバ１６等の他の構成要素から制御され、又は、送受信部１１（ＴＲｘ）、スイッチ部１２（ＳＷ）、制御部１４、プロキシ部１５若しくは外部サーバ１６等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１３２】
制御部１４は、送受信部１１（ＴＲｘ）、スイッチ部１２（ＳＷ）、スイッチ部１３（ＳＷ）、プロキシ部１５又は外部サーバ１６又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）、プロキシ部１５若しくは外部サーバ１６等の他の構成要素を制御し、又は送受信部１１（ＴＲｘ）、スイッチ部１２（ＳＷ）、スイッチ部１３（ＳＷ）、プロキシ部１５若しくは外部サーバ１６等の他の構成要素を介して、指示を転送する。制御部１４は、記憶制御部１４１と機器制御部１４２とを備える。記憶制御部１４１及び機器制御部１４２の機能について、図８を用いて説明する。
【０１３３】
図８は、通信装置１００を用いた通信システムの例を示す。同図に示す通信システムは、２台の通信装置１００と、記憶装置２００とを備える。２台の通信装置１００をそれぞれ、通信装置１００−１、１００−２とする。以下では、通信装置１００−１の各機能部の符号には「−１」を付加し、通信装置１００−２の各機能部の符号には「−２」を付加して示す。
【０１３４】
通信装置１００−１の記憶制御部１４１−１は、通信装置１００−１がスリープ状態、運用系の状態、波長や芯線やコアや符号や周波数やサブキャリアの利用状態、自装置または対向する装置の状態、マルチキャストの加入離脱や配信の状態等の特定の状態に遷移する前における通信装置１００−１の機器の指示を、記憶装置２００が備えるメモリ２２０に記憶させる。同様に、通信装置１００−２の記憶制御部１４１−２は、通信装置１００−２がスリープ状態等、運用系の状態、波長や芯線やコアや符号や周波数やサブキャリアの利用状態、自装置または対向する装置の状態、マルチキャストの加入離脱や配信の状態の特定の状態に遷移する前における通信装置１００−２の機器の指示を、記憶装置２００が備えるメモリ２２０に記憶させる。
【０１３５】
通信装置１００−１の機器制御部１４２−１は、通信装置１００−２がスリープ状態、運用系の状態、波長や芯線やコアや符号や周波数やサブキャリアの利用状態、自装置または対向する装置の状態、マルチキャストの加入離脱や配信の状態等の特定の状態に遷移する前に通信装置１００−２がメモリ２２０に記憶させた通信装置１００−２の機器の指示に基づいて、通信装置１００−１の機器を動作させる。同様に、通信装置１００−２の機器制御部１４２−２は、通信装置１００−１がスリープ状態、運用系の状態、波長や芯線やコアや符号や周波数やサブキャリアの利用状態、自装置または対向する装置の状態、マルチキャストの加入離脱や配信の状態等の特定の状態に遷移する前に通信装置１００−１がメモリ２２０に記憶させた通信装置１００−１の機器の指示に基づいて、通信装置１００−２の機器を動作させる。
【０１３６】
遷移する前の指示を用いる場合の特定の状態として、例えば運用系の通信装置の故障等の異常な状態も挙げることができる。異常状態になった後の指示が正常である場合は遷移後の指示を用いてもよいが、異常な指示を用いると異常な状態となるおそれがある。異常となる前の指示を用いることでその危険を軽減できる。
【０１３７】
図７に示すプロキシ部１５は、ＯＬＴから若しくはＯＬＴへのデータ経路上に設置してもよい。ただし、間に他の装置（例えば、複数のＯＬＴから若しくはＯＬＴへのトラフィックに集約／分配する集線ＳＷ等）が介在する場合があるので、直接接続されるとは限らない。制御の流れとしては、送受信部１１（ＴＲｘ）、スイッチ部１２（ＳＷ）、スイッチ部１３（ＳＷ）、制御部１４、外部サーバ１６のいずれに、プロキシ部１５があってもよい。
【０１３８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）、制御部１４若しくは外部サーバ１６等の他の構成要素から制御され、又は、送受信部１１（ＴＲｘ）、スイッチ部１２（ＳＷ）、スイッチ部１３（ＳＷ）、制御部１４若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０１３９】
外部サーバ１６は、送受信部１１（ＴＲｘ）又はスイッチ部１２（ＳＷ）又はスイッチ部１３（ＳＷ）又は制御部１４又はプロキシ部１５又は外部のオペレーションシステム（不図示）又はコントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくは制御部１４若しくはプロキシ部１５等の他の構成要素を制御し、又は送受信部１１（ＴＲｘ）、スイッチ部１２（ＳＷ）、スイッチ部１３（ＳＷ）若しくは制御部１４若しくはプロキシ部１５等の他の構成要素を介して指示を転送する。
【０１４０】
送受信部１１（ＴＲｘ）、スイッチ部１２（ＳＷ）、スイッチ部１３（ＳＷ）、制御部１４、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部又はその全てそれ自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１４１】
通信システム構成（１−２）の通信システムでは、通信システム構成（１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１４２】
通信システム構成（２−１）の通信システムは、送受信部１１（ＴＲｘ）と、スイッチ部１２（ＳＷ）と、スイッチ部１３（ＳＷ）と、制御部１４と、プロキシ部１５とを備える（図７）。異なる波長（λＡ〜λＮ）の光信号を送受信する送受信部１１（ＴＲｘ）がスイッチ部１２に接続されている。
【０１４３】
送受信部１１（ＴＲｘ）は、自律制御を行い、又は、スイッチ部１２（ＳＷ）、スイッチ部１３（ＳＷ）、制御部１４若しくはプロキシ部１５等の他の構成要素から制御され、又は、スイッチ部１２（ＳＷ）、スイッチ部１３（ＳＷ）、制御部１４若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１４４】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４若しくはプロキシ部１５等の他の構成要素から制御され、又は、送受信部１１（ＴＲｘ）、スイッチ部１３（ＳＷ）、制御部１４、プロキシ部１５等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０１４５】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４若しくはプロキシ部１５等の他の構成要素から制御され、又は、送受信部１１（ＴＲｘ）、スイッチ部１２（ＳＷ）、制御部１４若しくはプロキシ部１５等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１４６】
制御部１４は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）若しくはプロキシ部１５等の他の構成要素を制御し、又は送受信部１１（ＴＲｘ）、スイッチ部１２（ＳＷ）、スイッチ部１３（ＳＷ）、プロキシ部１５若しくは等の他の構成要素を介して指示を転送する。
【０１４７】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）、制御部１４若しくは等の他の構成要素から制御され、又は、送受信部１１（ＴＲｘ）、スイッチ部１２（ＳＷ）、スイッチ部１３（ＳＷ）若しくは制御部１４等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１４８】
送受信部１１（ＴＲｘ）、スイッチ部１２（ＳＷ）、スイッチ部１３（ＳＷ）、制御部１４、プロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０１４９】
通信システム構成（２−２）の通信システムでは、通信システム構成（２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１５０】
通信システム構成（３−１）の通信システムは、送受信部１１（ＴＲｘ）と、スイッチ部１２（ＳＷ）と、スイッチ部１３（ＳＷ）と、制御部１４と、外部サーバ１６とを備える（図７）。異なる波長（λＡ〜λＮ）の光信号を送受信する送受信部１１（ＴＲｘ）がスイッチ部１２に接続されている。
【０１５１】
送受信部１１（ＴＲｘ）は、自律制御を行い、又は、スイッチ部１２（ＳＷ）、スイッチ部１３（ＳＷ）、制御部１４若しくは外部サーバ１６等の他の構成要素から制御され、又は、スイッチ部１２（ＳＷ）、スイッチ部１３（ＳＷ）、制御部１４若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１５２】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４若しくは外部サーバ１６等の他の構成要素から制御され、又は、送受信部１１（ＴＲｘ）、スイッチ部１３（ＳＷ）、制御部１４若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１５３】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４若しくは外部サーバ１６等の他の構成要素から制御され、又は、送受信部１１（ＴＲｘ）、スイッチ部１２（ＳＷ）、制御部１４若しくは外部サーバ１６等の他の構成要素を介して転送された指示で制御される。スイッチ部１３（ＳＷ）は、スイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１５４】
制御部１４は、送受信部１１（ＴＲｘ）、スイッチ部１２（ＳＷ）、スイッチ部１３（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、スイッチ部１３（ＳＷ）若しくは外部サーバ１６等の他の構成要素を制御し、又は送受信部１１（ＴＲｘ）、スイッチ部１２（ＳＷ）、スイッチ部１３（ＳＷ）若しくは外部サーバ１６等の他の構成要素を介して指示を転送する。
【０１５５】
外部サーバ１６は、送受信部１１（ＴＲｘ）、スイッチ部１２（ＳＷ）、スイッチ部１３（ＳＷ）、制御部１４、外部のオペレーションシステム（不図示）、コントローラ（不図示）又は外部の装置（不図示）と接続される。外部サーバ１６は、送受信部１１（ＴＲｘ）、スイッチ部１２（ＳＷ）、スイッチ部１３（ＳＷ）若しくは制御部１４等の他の構成要素を制御し、又は送受信部１１（ＴＲｘ）、スイッチ部１２（ＳＷ）、スイッチ部１３（ＳＷ）若しくは制御部１４等の他の構成要素を介して指示を転送する。
【０１５６】
送受信部１１（ＴＲｘ）、スイッチ部１２（ＳＷ）、スイッチ部１３（ＳＷ）、制御部１４若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０１５７】
通信システム構成（３−２）の通信システムでは、通信システム構成（３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１５８】
通信システム構成（４−１）の通信システムは、送受信部１１（ＴＲｘ）と、スイッチ部１２（ＳＷ）と、スイッチ部１３（ＳＷ）と、プロキシ部１５と、外部サーバ１６とを備える（図７）。異なる波長（λＡ〜λＮ）の光信号を送受信する送受信部１１（ＴＲｘ）がスイッチ部１２に接続されている。
【０１５９】
送受信部１１（ＴＲｘ）は、自律制御を行い、又は、スイッチ部１２（ＳＷ）、スイッチ部１３（ＳＷ）、プロキシ部１５若しくは外部サーバ１６等の他の構成要素から制御され、又は、スイッチ部１２（ＳＷ）、スイッチ部１３（ＳＷ）、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１６０】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、プロキシ部１５若しくは外部サーバ１６等の他の構成要素から制御され、又は、送受信部１１（ＴＲｘ）、スイッチ部１３（ＳＷ）、プロキシ部１５若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１６１】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、プロキシ部１５若しくは外部サーバ１６等の他の構成要素から制御され、又は、送受信部１１（ＴＲｘ）、スイッチ部１２（ＳＷ）、プロキシ部１５若しくは外部サーバ１６等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１６２】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）若しくは外部サーバ１６等の他の構成要素から制御され、又は、送受信部１１（ＴＲｘ）、スイッチ部１２（ＳＷ）、スイッチ部１３（ＳＷ）若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１６３】
外部サーバ１６は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくはプロキシ部１５等の他の構成要素を制御し、又は送受信部１１（ＴＲｘ）、スイッチ部１２（ＳＷ）、スイッチ部１３（ＳＷ）若しくはプロキシ部１５等の他の構成要素を介して指示を転送する。
【０１６４】
送受信部１１（ＴＲｘ）、スイッチ部１２（ＳＷ）、スイッチ部１３（ＳＷ）、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１６５】
通信システム構成（４−２）の通信システムでは、通信システム構成（４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１６６】
通信システム構成（５−１）の通信システムは、送受信部１１（ＴＲｘ）と、スイッチ部１２（ＳＷ）と、制御部１４と、プロキシ部１５と、外部サーバ１６とを備える（図７）。異なる波長（λＡ〜λＮ）の光信号を送受信する送受信部１１（ＴＲｘ）がスイッチ部１２（ＳＷ）に接続されている。
【０１６７】
送受信部１１（ＴＲｘ）は、自律制御を行い、又は、スイッチ部１２（ＳＷ）、制御部１４、プロキシ部１５若しくは外部サーバ１６等の他の構成要素から制御され、又は、スイッチ部１２（ＳＷ）、制御部１４、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１６８】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４、プロキシ部１５若しくは外部サーバ１６等の他の構成要素から制御され、又は、送受信部１１（ＴＲｘ）、制御部１４、プロキシ部１５若しくは外部サーバ１６等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１６９】
制御部１４は、送受信部１１（ＴＲｘ）、スイッチ部１２（ＳＷ）、プロキシ部１５、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、プロキシ部１５若しくは外部サーバ１６等の他の構成要素を制御し、又は送受信部１１（ＴＲｘ）、スイッチ部１２（ＳＷ）、プロキシ部１５若しくは外部サーバ１６等の他の構成要素を介して指示を転送する。
【０１７０】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、制御部１４若しくは外部サーバ１６等の他の構成要素から制御され、又は、送受信部１１（ＴＲｘ）、スイッチ部１２（ＳＷ）、制御部１４若しくは外部サーバ１６等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１７１】
外部サーバ１６は、送受信部１１（ＴＲｘ）、スイッチ部１２（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）、制御部１４若しくはプロキシ部１５等の他の構成要素を制御し、又は送受信部１１（ＴＲｘ）、スイッチ部１２（ＳＷ）、制御部１４若しくはプロキシ部１５等の他の構成要素を介して指示を転送する。
【０１７２】
送受信部１１（ＴＲｘ）、スイッチ部１２（ＳＷ）、制御部１４、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０１７３】
通信システム構成（５−２）の通信システムでは、通信システム構成（５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１７４】
通信システム構成（６−１）の通信システムは、送受信部１１（ＴＲｘ）と、スイッチ部１３（ＳＷ）と、制御部１４と、プロキシ部１５と、外部サーバ１６とを備える（図７）。異なる波長（λＡ〜λＮ）の光信号を送受信する送受信部１１（ＴＲｘ）がスイッチ部１３（ＳＷ）に接続されている。
【０１７５】
送受信部１１（ＴＲｘ）は、自律制御を行い、又は、スイッチ部１３（ＳＷ）、制御部１４、プロキシ部１５若しくは外部サーバ１６等の他の構成要素から制御され、又は、スイッチ部１３（ＳＷ）、制御部１４、プロキシ部１５若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１７６】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４、プロキシ部１５若しくは外部サーバ１６等の他の構成要素から制御され、又は、送受信部１１（ＴＲｘ）、制御部１４、プロキシ部１５若しくは外部サーバ１６等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１７７】
制御部１４は、送受信部１１（ＴＲｘ）、スイッチ部１３（ＳＷ）、プロキシ部１５若しくは外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）、プロキシ部１５若しくは外部サーバ１６等の他の構成要素を制御し、又は送受信部１１（ＴＲｘ）、スイッチ部１３（ＳＷ）、プロキシ部１５若しくは外部サーバ１６等の他の構成要素を介して指示を転送する。
【０１７８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１３（ＳＷ）、制御部１４若しくは外部サーバ１６等の他の構成要素から制御され、又は、送受信部１１（ＴＲｘ）、スイッチ部１３（ＳＷ）、制御部１４若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１７９】
外部サーバ１６は、送受信部１１（ＴＲｘ）、スイッチ部１３（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１３（ＳＷ）、制御部１４若しくはプロキシ部１５等の他の構成要素を制御し、又は送受信部１１（ＴＲｘ）、スイッチ部１３（ＳＷ）、制御部１４若しくはプロキシ部１５等の他の構成要素を介して指示を転送する。
【０１８０】
送受信部１１（ＴＲｘ）、スイッチ部１３（ＳＷ）、制御部１４、プロキシ部１５又は外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１８１】
通信システム構成（６−２）の通信システムでは、通信システム構成（６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０１８２】
通信システム構成（７−１）の通信システムは、送受信部１１（ＴＲｘ）と、スイッチ部１２（ＳＷ）と、スイッチ部１３（ＳＷ）と、制御部１４とを備える（図７）。異なる波長（λＡ〜λＮ）の光信号を送受信する送受信部１１（ＴＲｘ）がスイッチ部１２に接続されている。
【０１８３】
送受信部１１（ＴＲｘ）は、自律制御を行い、又は、スイッチ部１２（ＳＷ）、スイッチ部１３（ＳＷ）若しくは制御部１４等の他の構成要素から制御され、又は、スイッチ部１２（ＳＷ）、スイッチ部１３（ＳＷ）若しくは制御部１４等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１８４】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）若しくは制御部１４等の他の構成要素から制御され、又は、送受信部１１（ＴＲｘ）、スイッチ部１３（ＳＷ）若しくは制御部１４等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１８５】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックを集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくは制御部１４等の他の構成要から制御され、又は、送受信部１１（ＴＲｘ）、スイッチ部１２（ＳＷ）若しくは制御部１４等の他の構成要を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１８６】
制御部１４は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。制御部１４は、送受信部１１（ＴＲｘ）、スイッチ部１２（ＳＷ）若しくはスイッチ部１３（ＳＷ）等の他の構成要素を制御し、又は送受信部１１（ＴＲｘ）、スイッチ部１２（ＳＷ）若しくはスイッチ部１３（ＳＷ）等の他の構成要素を介して指示を転送する。
【０１８７】
送受信部１１（ＴＲｘ）、スイッチ部１２（ＳＷ）、スイッチ部１３（ＳＷ）若しくは制御部１４は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０１８８】
通信システム構成（７−２）の通信システムでは、通信システム構成（７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１８９】
通信システム構成（８−１）の通信システムは、送受信部１１（ＴＲｘ）と、スイッチ部１２（ＳＷ）と、スイッチ部１３（ＳＷ）と、プロキシ部１５とを備える（図７）。異なる波長（λＡ〜λＮ）の光信号を送受信する送受信部１１（ＴＲｘ）が、スイッチ部１２に接続される。
【０１９０】
送受信部１１（ＴＲｘ）は、自律制御を行い、又は、スイッチ部１２（ＳＷ）、スイッチ部１３（ＳＷ）若しくはプロキシ部１５等の他の構成要素から制御され、又は、スイッチ部１２（ＳＷ）、スイッチ部１３（ＳＷ）若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１９１】
スイッチ部１２（ＳＷ）は、スイッチ部１３（ＳＷ）に接続される。スイッチ部１２（ＳＷ）は自律制御を行い、又は、送受信部１１（ＴＲｘ）、スイッチ部１３（ＳＷ）若しくはプロキシ部１５等の他の構成要素から制御され、又は、送受信部１１（ＴＲｘ）、スイッチ部１３（ＳＷ）若しくはプロキシ部１５等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１９２】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくはプロキシ部１５等の他の構成要素から制御され、又は、送受信部１１（ＴＲｘ）、スイッチ部１２（ＳＷ）若しくはプロキシ部１５等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１９３】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）若しくはスイッチ部１３（ＳＷ）等の他の構成要素から制御され、又は、送受信部１１（ＴＲｘ）、スイッチ部１２（ＳＷ）若しくはスイッチ部１３（ＳＷ）等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１９４】
送受信部１１（ＴＲｘ）、スイッチ部１２（ＳＷ）、スイッチ部１３（ＳＷ）若しくはプロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０１９５】
通信システム構成（８−２）の通信システムでは、通信システム構成（８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１９６】
通信システム構成（９−１）の通信システムは、送受信部１１（ＴＲｘ）と、スイッチ部１２（ＳＷ）と、制御部１４と、プロキシ部１５とを備える（図７）。異なる波長（λＡ〜λＮ）の光信号を送受信する送受信部１１（ＴＲｘ）がスイッチ部１２に接続されている。
【０１９７】
送受信部１１（ＴＲｘ）は、自律制御を行い、又は、スイッチ部１２（ＳＷ）、制御部１４若しくはプロキシ部１５等の他の構成要素から制御され、又は、スイッチ部１２（ＳＷ）、制御部１４若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１９８】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４若しくはプロキシ部１５等の他の構成要素から制御され、又は、送受信部１１（ＴＲｘ）、制御部１４若しくはプロキシ部１５等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１９９】
制御部１４は、送受信部１１（ＴＲｘ）、スイッチ部１２（ＳＷ）、プロキシ部１５、外部のオペレーションシステム（不図示）、コントローラ（不図示）又は外部の装置（不図示）と接続される。制御部１４は、送受信部１１（ＴＲｘ）、スイッチ部１２（ＳＷ）若しくはプロキシ部１５等の他の構成要素を制御し、又は送受信部１１（ＴＲｘ）、スイッチ部１２（ＳＷ）若しくはプロキシ部１５等の他の構成要素を介して指示を転送する。
【０２００】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）若しくは制御部１４等の他の構成要から制御され、又は、送受信部１１（ＴＲｘ）、スイッチ部１２（ＳＷ）若しくは制御部１４等の他の構成要を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２０１】
送受信部１１（ＴＲｘ）、スイッチ部１２（ＳＷ）、制御部１４若しくはプロキシ部１５は、送受信部１１（ＴＲｘ）、スイッチ部１２（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に、送信してもよい。
【０２０２】
通信システム構成（９−２）の通信システムでは、通信システム構成（９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２０３】
通信システム構成（１０−１）の通信システムは、送受信部１１（ＴＲｘ）と、スイッチ部１３（ＳＷ）と、制御部１４と、プロキシ部１５とを備える（図７）。異なる波長（λＡ〜λＮ）の光信号を送受信する送受信部１１（ＴＲｘ）がスイッチ部１３（ＳＷ）に接続されている。
【０２０４】
送受信部１１（ＴＲｘ）は、自律制御を行い、又は、スイッチ部１３（ＳＷ）、制御部１４、プロキシ部１５等の他の構成要素から制御され、又は。スイッチ部１３（ＳＷ）、制御部１４若しくはプロキシ部１５等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２０５】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４若しくはプロキシ部１５等の他の構成要素から制御され、又は、送受信部１１（ＴＲｘ）、制御部１４若しくはプロキシ部１５等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２０６】
制御部１４は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。制御部１４は、送受信部１１（ＴＲｘ）、スイッチ部１３（ＳＷ）若しくはプロキシ部１５等の他の構成要素を制御し、又は送受信部１１（ＴＲｘ）、スイッチ部１３（ＳＷ）若しくはプロキシ部１５等の他の構成要素を介して指示を転送する。
【０２０７】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１３（ＳＷ）若しくは制御部１４等の他の構成要素から制御され、又は、送受信部１１（ＴＲｘ）、スイッチ部１３（ＳＷ）若しくは制御部１４等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２０８】
送受信部１１（ＴＲｘ）、スイッチ部１３（ＳＷ）、制御部１４若しくはプロキシ部１５は、送受信部１１（ＴＲｘ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２０９】
通信システム構成（１０−２）の通信システムでは、通信システム構成（１０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２１０】
通信システム構成（１１−１）の通信システムは、送受信部１１（ＴＲｘ）と、スイッチ部１２（ＳＷ）と、スイッチ部１３（ＳＷ）と、外部サーバ１６とを備える（図７）。異なる波長（λＡ〜λＮ）の光信号を送受信する送受信部１１（ＴＲｘ）がスイッチ部１２に接続されている。
【０２１１】
送受信部１１（ＴＲｘ）は、自律制御を行い、又は、スイッチ部１２（ＳＷ）、スイッチ部１３（ＳＷ）若しくは外部サーバ１６等の他の構成要素から制御され、又は、スイッチ部１２（ＳＷ）、スイッチ部１３（ＳＷ）若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２１２】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）若しくは外部サーバ１６等の他の構成要素から制御され、又は、送受信部１１（ＴＲｘ）、スイッチ部１３（ＳＷ）若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２１３】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくは外部サーバ１６等の他の構成要素から制御され、又は、送受信部１１（ＴＲｘ）、スイッチ部１２（ＳＷ）若しくは外部サーバ１６等の他の構成要素を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２１４】
外部サーバ１６は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはスイッチ部１３（ＳＷ）等の他の構成要素を制御し、又は送受信部１１（ＴＲｘ）、スイッチ部１２（ＳＷ）若しくはスイッチ部１３（ＳＷ）等の他の構成要素を介して指示を転送する。
【０２１５】
送受信部１１（ＴＲｘ）、スイッチ部１２（ＳＷ）、スイッチ部１３（ＳＷ）若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２１６】
通信システム構成（１１−２）の通信システムでは、通信システム構成（１１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２１７】
通信システム構成（１２−１）の通信システムは、送受信部１１（ＴＲｘ）と、スイッチ部１２（ＳＷ）と、制御部１４と、外部サーバ１６とを備える（図７）。異なる波長（λＡ〜λＮ）の光信号を送受信する送受信部１１（ＴＲｘ）がスイッチ部１２に接続されている。
【０２１８】
送受信部１１（ＴＲｘ）は、自律制御を行い、又は、スイッチ部１２（ＳＷ）、制御部１４若しくは外部サーバ１６等の他の構成要素から制御され、又は、スイッチ部１２（ＳＷ）、制御部１４若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２１９】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２２０】
制御部１４は、送受信部１１（ＴＲｘ）、スイッチ部１２（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）若しくは外部サーバ１６等の他の構成要素を制御し、又は送受信部１１（ＴＲｘ）、スイッチ部１２（ＳＷ）若しくは外部サーバ１６等の他の構成要素を介して指示を転送する。
【０２２１】
外部サーバ１６は、送受信部１１（ＴＲｘ）又はスイッチ部１２（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）若しくは制御部１４等の他の構成要を制御し、又は送受信部１１（ＴＲｘ）、スイッチ部１２（ＳＷ）若しくは制御部１４等の他の構成要を介して指示を転送する。
【０２２２】
送受信部１１（ＴＲｘ）、スイッチ部１２（ＳＷ）、制御部１４若しくは外部サーバ１６は、送受信部１１（ＴＲｘ）、スイッチ部１２（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０２２３】
通信システム構成（１２−２）の通信システムでは、通信システム構成（１２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２２４】
通信システム構成（１３−１）の通信システムは、送受信部１１（ＴＲｘ）と、スイッチ部１３（ＳＷ）と、制御部１４と、外部サーバ１６とを備える（図７）。異なる波長（λＡ〜λＮ）の光信号を送受信する送受信部１１（ＴＲｘ）がスイッチ部１３（ＳＷ）に接続されている。
【０２２５】
送受信部１１（ＴＲｘ）は、自律制御を行い、又は、スイッチ部１３（ＳＷ）、制御部１４若しくは外部サーバ１６等の他の構成要素から制御され、又は、スイッチ部１３（ＳＷ）、制御部１４若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２２６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２２７】
制御部１４は、送受信部１１（ＴＲｘ）若しくはスイッチ部１３（ＳＷ）又は外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）若しくは外部サーバ１６等の他の構成要素を制御し、又は送受信部１１（ＴＲｘ）、スイッチ部１３（ＳＷ）若しくは外部サーバ１６等の他の構成要素を介して指示を転送する。
【０２２８】
外部サーバ１６は、送受信部１１（ＴＲｘ）若しくはスイッチ部１３（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくは制御部１４等の他の構成要素を制御し、又は送受信部１１（ＴＲｘ）、スイッチ部１３（ＳＷ）若しくは制御部１４等の他の構成要素を介して指示を転送する。
【０２２９】
送受信部１１（ＴＲｘ）、スイッチ部１３（ＳＷ）、制御部１４若しくは外部サーバ１６は、送受信部１１（ＴＲｘ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２３０】
通信システム構成（１３−２）の通信システムでは、通信システム構成（１３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２３１】
通信システム構成（１４−１）の通信システムは、送受信部１１（ＴＲｘ）と、スイッチ部１２（ＳＷ）と、プロキシ部１５と、外部サーバ１６とを備える（図７）。異なる波長（λＡ〜λＮ）の光信号を送受信する送受信部１１（ＴＲｘ）がスイッチ部１２に接続されている。
【０２３２】
送受信部１１（ＴＲｘ）は、自律制御を行い、又は、スイッチ部１２（ＳＷ）、プロキシ部１５若しくは外部サーバ１６等の他の構成要素から制御され、又は、スイッチ部１２（ＳＷ）、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２３３】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、プロキシ部１５若しくは外部サーバ１６等の他の構成要素から制御され、又は、送受信部１１（ＴＲｘ）、プロキシ部１５若しくは外部サーバ１６等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２３４】
プロキシ部１５は、自律制御を行い、又は、送受信部１１（ＴＲｘ）、スイッチ部１２（ＳＷ）若しくは外部サーバ１６等の他の構成要素から制御され、又は、送受信部１１（ＴＲｘ）、スイッチ部１２（ＳＷ）若しくは外部サーバ１６等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２３５】
外部サーバ１６は、送受信部１１（ＴＲｘ）、スイッチ部１２（ＳＷ）、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはプロキシ部１５等の他の構成要素を制御し、又は送受信部１１（ＴＲｘ）、スイッチ部１２（ＳＷ）若しくはプロキシ部１５等の他の構成要素を介して指示を転送する。
【０２３６】
送受信部１１（ＴＲｘ）、スイッチ部１２（ＳＷ）、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０２３７】
通信システム構成（１４−２）の通信システムでは、通信システム構成（１４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２３８】
通信システム構成（１５−１）の通信システムは、送受信部１１（ＴＲｘ）と、スイッチ部１３（ＳＷ）と、プロキシ部１５と、外部サーバ１６とを備える（図７）。異なる波長（λＡ〜λＮ）の光信号を送受信する送受信部１１（ＴＲｘ）がスイッチ部１３（ＳＷ）に接続されている。
【０２３９】
送受信部１１（ＴＲｘ）は、自律制御を行い、又は、スイッチ部１３（ＳＷ）、プロキシ部１５若しくは外部サーバ１６等の他の構成要素から制御され、又は、スイッチ部１３（ＳＷ）、プロキシ部１５若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２４０】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、プロキシ部１５若しくは外部サーバ１６等の他の構成要素から制御され、又は、送受信部１１（ＴＲｘ）、プロキシ部１５若しくは外部サーバ１６等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４１】
プロキシ部１５は、自律制御を行い、又は、送受信部１１（ＴＲｘ）、スイッチ部１３（ＳＷ）若しくは外部サーバ１６等の他の構成要素から制御され、又は、送受信部１１（ＴＲｘ）、スイッチ部１３（ＳＷ）若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４２】
外部サーバ１６は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくはプロキシ部１５等の他の構成要素を制御し、又は送受信部１１（ＴＲｘ）、スイッチ部１３（ＳＷ）若しくはプロキシ部１５等の他の構成要素を介して指示を転送する。
【０２４３】
送受信部１１（ＴＲｘ）、スイッチ部１３（ＳＷ）、プロキシ部１５若しくは外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０２４４】
通信システム構成（１５−２）の通信システムでは、通信システム構成（１５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２４５】
通信システム構成（１６−１）の通信システムは、送受信部１１（ＴＲｘ）と、制御部１４と、プロキシ部１５と、外部サーバ１６とを備える（図７）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０２４６】
送受信部１１（ＴＲｘ）は、自律制御を行い、又は、制御部１４、プロキシ部１５若しくは外部サーバ１６等の他の構成要素から制御され、又は、制御部１４、プロキシ部１５若しくは外部サーバ１６等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２４７】
制御部１４は、送受信部１１（ＴＲｘ）、プロキシ部１５、外部サーバ１６、外部のオペレーションシステム（不図示）、コントローラ（不図示）又は外部の装置（不図示）と接続される。制御部１４は、送受信部１１（ＴＲｘ）、プロキシ部１５若しくは外部サーバ１６等の他の構成要素を制御し、又は送受信部１１（ＴＲｘ）、プロキシ部１５若しくは外部サーバ１６等の他の構成要素を介して指示を転送する。
【０２４８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４９】
外部サーバ１６は、送受信部１１（ＴＲｘ）、制御部１４、プロキシ部１５、外部のオペレーションシステム（不図示）、コントローラ（不図示）又は外部の装置（不図示）と接続される。外部サーバ１６は、送受信部１１（ＴＲｘ）、制御部１４若しくはプロキシ部１５等の他の構成要素を制御し、又は送受信部１１（ＴＲｘ）、制御部１４若しくはプロキシ部１５等の他の構成要素を介して指示を転送する。
【０２５０】
送受信部１１（ＴＲｘ）、制御部１４、プロキシ部１５若しくは外部サーバ１６は、送受信部１１（ＴＲｘ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０２５１】
通信システム構成（１６−２）の通信システムでは、通信システム構成（１６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がそれぞれプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０２５２】
通信システム構成（１７−１）の通信システムは、送受信部１１（ＴＲｘ）と、スイッチ部１２（ＳＷ）と、スイッチ部１３（ＳＷ）とを備える（図７）。異なる波長（λＡ〜λＮ）の光信号を送受信する送受信部１１（ＴＲｘ）がスイッチ部１２に接続されている。
【０２５３】
送受信部１１（ＴＲｘ）は、自律制御を行い、又は、スイッチ部１２（ＳＷ）若しくはスイッチ部１３（ＳＷ）等の他の構成要素から制御され、又は、スイッチ部１２（ＳＷ）若しくはスイッチ部１３（ＳＷ）等の他の構成要素を介して転送された指示で制御される。プロキシ部１５は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２５４】
スイッチ部１２（ＳＷ）は、スイッチ部１３（ＳＷ）に接続される。スイッチ部１２（ＳＷ）は、自律制御を行い、又は、送受信部１１（ＴＲｘ）若しくはスイッチ部１３（ＳＷ）等の他の構成要素から制御され、又は、送受信部１１（ＴＲｘ）若しくはスイッチ部１３（ＳＷ）等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２５５】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくはスイッチ部１２（ＳＷ）等の他の構成要素から制御され、又は、送受信部１１（ＴＲｘ）若しくはスイッチ部１２（ＳＷ）等の他の構成要素を介して転送された指示で制御される。スイッチ部１３（ＳＷ）は、スイッチ部１２（ＳＷ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２５６】
送受信部１１（ＴＲｘ）、スイッチ部１２（ＳＷ）若しくはスイッチ部１３（ＳＷ）は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０２５７】
通信システム構成（１７−２）の通信システムでは、通信システム構成（１７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２５８】
通信システム構成（１８−１）の通信システムは、送受信部１１（ＴＲｘ）と、スイッチ部１２（ＳＷ）と、制御部１４とを備える（図７）。異なる波長（λＡ〜λＮ）の光信号を送受信する送受信部１１（ＴＲｘ）がスイッチ部１２に接続されている。
【０２５９】
送受信部１１（ＴＲｘ）は、自律制御を行い、又は、スイッチ部１２（ＳＷ）若しくは制御部１４等の他の構成要素から制御され、又は、スイッチ部１２（ＳＷ）若しくは制御部１４等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２６０】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくは制御部１４等の他の構成要素から制御され、又は、送受信部１１（ＴＲｘ）若しくは制御部１４等の他の構成要素を介して転送された指示で制御される。スイッチ部１２（ＳＷ）は、送受信部１１（ＴＲｘ）及びプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２６１】
制御部１４は、送受信部１１（ＴＲｘ）、スイッチ部１２（ＳＷ）、外部のオペレーションシステム（不図示）、コントローラ（不図示）又は外部の装置（不図示）と接続される。制御部１４は、送受信部１１（ＴＲｘ）若しくはスイッチ部１２（ＳＷ）等の他の構成要素を制御し、又は送受信部１１（ＴＲｘ）若しくはスイッチ部１２（ＳＷ）等の他の構成要素を介して指示を転送する。
【０２６２】
送受信部１１（ＴＲｘ）、スイッチ部１２（ＳＷ）若しくは制御部１４は、送受信部１１（ＴＲｘ）若しくはスイッチ部１２（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０２６３】
通信システム構成（１８−２）の通信システムでは、通信システム構成（１８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２６４】
通信システム構成（１９−１）の通信システムは、送受信部１１（ＴＲｘ）と、スイッチ部１３（ＳＷ）と、制御部１４とを備える（図７）。異なる波長（λＡ〜λＮ）の光信号を送受信する送受信部１１（ＴＲｘ）がスイッチ部１３（ＳＷ）に接続されている。
【０２６５】
送受信部１１（ＴＲｘ）は、自律制御を行い、又は、スイッチ部１３（ＳＷ）若しくは制御部１４等の他の構成要素から制御され、又は、スイッチ部１３（ＳＷ）若しくは制御部１４等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２６６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくは制御部１４等の他の構成要素から制御され、又は、送受信部１１（ＴＲｘ）若しくは制御部１４等の他の構成要素を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２６７】
制御部１４は、送受信部１１（ＴＲｘ）、スイッチ部１３（ＳＷ）、外部のオペレーションシステム（不図示）、コントローラ（不図示）又は外部の装置（不図示）と接続される。制御部１４は、送受信部１１（ＴＲｘ）若しくはスイッチ部１３（ＳＷ）等の他の構成要素を制御し、又は送受信部１１（ＴＲｘ）若しくはスイッチ部１３（ＳＷ）等の他の構成要素を介して指示を転送する。
【０２６８】
送受信部１１（ＴＲｘ）、スイッチ部１３（ＳＷ）若しくは制御部１４は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０２６９】
通信システム構成（１９−２）の通信システムでは、通信システム構成（１９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２７０】
通信システム構成（２０−１）の通信システムは、送受信部１１（ＴＲｘ）と、スイッチ部１２（ＳＷ）と、プロキシ部１５とを備える（図７）。異なる波長（λＡ〜λＮ）の光信号を送受信する送受信部１１（ＴＲｘ）がスイッチ部１２に接続されている。
【０２７１】
送受信部１１（ＴＲｘ）は、自律制御を行い、又は、スイッチ部１２（ＳＷ）若しくはプロキシ部１５等の他の構成要素から制御され、又は、スイッチ部１２（ＳＷ）若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２７２】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくはプロキシ部１５等の他の構成要素から制御され、又は、送受信部１１（ＴＲｘ）若しくはプロキシ部１５等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７３】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくはスイッチ部１２（ＳＷ）等の他の構成要素から制御され、又は、送受信部１１（ＴＲｘ）若しくはスイッチ部１２（ＳＷ）等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７４】
送受信部１１（ＴＲｘ）、スイッチ部１２（ＳＷ）若しくはプロキシ部１５は、送受信部１１（ＴＲｘ）、スイッチ部１２（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に送信してもよい。
【０２７５】
通信システム構成（２０−２）の通信システムでは、通信システム構成（２０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２７６】
通信システム構成（２１−１）の通信システムは、送受信部１１（ＴＲｘ）と、スイッチ部１３（ＳＷ）と、プロキシ部１５とを備える（図７）。異なる波長（λＡ〜λＮ）の光信号を送受信する送受信部１１（ＴＲｘ）がスイッチ部１３（ＳＷ）に接続されている。
【０２７７】
送受信部１１（ＴＲｘ）は、自律制御を行い、又は、スイッチ部１３（ＳＷ）若しくはプロキシ部１５等の他の構成要素から制御され、又は、スイッチ部１３（ＳＷ）若しくはプロキシ部１５等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２７８】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくはプロキシ部１５等の他の構成要素から制御され、又は、送受信部１１（ＴＲｘ）若しくはプロキシ部１５等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７９】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくはスイッチ部１３（ＳＷ）等の他の構成要素から制御され、又は送受信部１１（ＴＲｘ）若しくはスイッチ部１３（ＳＷ）等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８０】
送受信部１１（ＴＲｘ）、スイッチ部１３（ＳＷ）若しくはプロキシ部１５は、送受信部１１（ＴＲｘ）、スイッチ部１３（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２８１】
通信システム構成（２１−２）の通信システムでは、通信システム構成（２１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２８２】
通信システム構成（２２−１）の通信システムは、送受信部１１（ＴＲｘ）と、制御部１４と、プロキシ部１５とを備える（図７）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０２８３】
送受信部１１（ＴＲｘ）は、自律制御を行い、又は、制御部１４若しくはプロキシ部１５等の他の構成要素から制御され、又は、制御部１４若しくはプロキシ部１５等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２８４】
制御部１４は、送受信部１１（ＴＲｘ）、プロキシ部１５、外部のオペレーションシステム（不図示）、コントローラ（不図示）又は外部の装置（不図示）と接続される。制御部１４は、送受信部１１（ＴＲｘ）若しくはプロキシ部１５等の他の構成要素を制御し、又は送受信部１１（ＴＲｘ）若しくはプロキシ部１５等の他の構成要素を介して指示を転送する。
【０２８５】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくは制御部１４等の他の構成要素から制御され、又は送受信部１１（ＴＲｘ）若しくは制御部１４等の他の構成要素を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８６】
送受信部１１（ＴＲｘ）、制御部１４若しくはプロキシ部１５は、送受信部１１（ＴＲｘ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）及びプロキシ部１５等の他の構成要素、外部のオペレーションシステム（不図示）、コントローラ（不図示）又は外部の装置（不図示）に送信してもよい。
【０２８７】
通信システム構成（２２−２）の通信システムでは、通信システム構成（２２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０２８８】
通信システム構成（２３−１）の通信システムは、送受信部１１（ＴＲｘ）と、スイッチ部１２（ＳＷ）と、外部サーバ１６とを備える（図７）。異なる波長（λＡ〜λＮ）の光信号を送受信する送受信部１１（ＴＲｘ）がスイッチ部１２に接続されている。
【０２８９】
送受信部１１（ＴＲｘ）は、自律制御を行い、又は、スイッチ部１２（ＳＷ）若しくは外部サーバ１６等の他の構成要素から制御され、又は、スイッチ部１２（ＳＷ）若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２９０】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９１】
外部サーバ１６は、送受信部１１（ＴＲｘ）、スイッチ部１２（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１２（ＳＷ）等の他の構成要素を制御し、又は送受信部１１（ＴＲｘ）若しくはスイッチ部１２（ＳＷ）等の他の構成要素を介して指示を転送する。
【０２９２】
送受信部１１（ＴＲｘ）、スイッチ部１２（ＳＷ）若しくは外部サーバ１６は、送受信部１１（ＴＲｘ）、スイッチ部１２（ＳＷ）若しくは外部サーバ１６等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０２９３】
通信システム構成（２３−２）の通信システムでは、通信システム構成（２３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２９４】
通信システム構成（２４−１）の通信システムは、送受信部１１（ＴＲｘ）と、スイッチ部１３（ＳＷ）と、外部サーバ１６とを備える（図７）。異なる波長（λＡ〜λＮ）の光信号を送受信する送受信部１１（ＴＲｘ）がスイッチ部１３（ＳＷ）に接続されている。
【０２９５】
送受信部１１（ＴＲｘ）は、自律制御を行い、又は、スイッチ部１３（ＳＷ）若しくは外部サーバ１６等の他の構成要素から制御され、又は、スイッチ部１３（ＳＷ）若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２９６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９７】
外部サーバ１６は、送受信部１１（ＴＲｘ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１３（ＳＷ）等の他の構成要素を制御し、又は送受信部１１（ＴＲｘ）若しくはスイッチ部１３（ＳＷ）等の他の構成要素を介して指示を転送する。
【０２９８】
送受信部１１（ＴＲｘ）、スイッチ部１３（ＳＷ）若しくは外部サーバ１６は、送受信部１１（ＴＲｘ）、スイッチ部１３（ＳＷ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２９９】
通信システム構成（２４−２）の通信システムでは、通信システム構成（２４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３００】
通信システム構成（２５−１）の通信システムは、送受信部１１（ＴＲｘ）と、制御部１４と、外部サーバ１６とを備える（図７）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３０１】
送受信部１１（ＴＲｘ）は、自律制御を行い、又は、制御部１４若しくは外部サーバ１６等の他の構成要素から制御され、又は、制御部１４若しくは外部サーバ１６等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３０２】
制御部１４は、送受信部１１（ＴＲｘ）、外部サーバ１６、外部のオペレーションシステム（不図示）、コントローラ（不図示）又は外部の装置（不図示）と接続される。制御部１４は、送受信部１１（ＴＲｘ）若しくは外部サーバ１６等の他の構成要素を制御し、又は送受信部１１（ＴＲｘ）若しくは外部サーバ１６等の他の構成要素を介して指示を転送する。
【０３０３】
外部サーバ１６は、送受信部１１（ＴＲｘ）、制御部１４、外部のオペレーションシステム（不図示）、コントローラ（不図示）又は外部の装置（不図示）と接続される。外部サーバ１６は、送受信部１１（ＴＲｘ）若しくは制御部１４等の他の構成要素を制御し、又は送受信部１１（ＴＲｘ）若しくは制御部１４等の他の構成要素を介して指示を転送する。
【０３０４】
送受信部１１（ＴＲｘ）、制御部１４若しくは外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０３０５】
通信システム構成（２５−２）の通信システムでは、通信システム構成（２５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３０６】
通信システム構成（２６−１）の通信システムは、送受信部１１（ＴＲｘ）と、プロキシ部１５と、外部サーバ１６とを備える（図７）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３０７】
送受信部１１（ＴＲｘ）は、自律制御を行い、又は、プロキシ部１５若しくは外部サーバ１６等の他の構成要素から制御され、又は、プロキシ部１５若しくは外部サーバ１６等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３０８】
プロキシ部１５は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３０９】
外部サーバ１６は、送受信部１１（ＴＲｘ）、プロキシ部１５、外部のオペレーションシステム（不図示）、コントローラ（不図示）又は外部の装置（不図示）と接続される。外部サーバ１６は、送受信部１１（ＴＲｘ）若しくはプロキシ部１５等の他の構成要素を制御し、又は送受信部１１（ＴＲｘ）若しくはプロキシ部１５等の他の構成要素を介して指示を転送する。
【０３１０】
送受信部１１（ＴＲｘ）、プロキシ部１５若しくは外部サーバ１６は、送受信部１１（ＴＲｘ）、プロキシ部１５若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０３１１】
通信システム構成（２６−２）の通信システムでは、通信システム構成（２６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３１２】
通信システム構成（２７−１）の通信システムは、送受信部１１（ＴＲｘ）と、スイッチ部１２（ＳＷ）とを備える（図７）。異なる波長（λＡ〜λＮ）の光信号を送受信する送受信部１１（ＴＲｘ）がスイッチ部１２に接続されている。
【０３１３】
送受信部１１（ＴＲｘ）は、自律制御を行い、又は、スイッチ部１２（ＳＷ）等の他の構成要素から制御され、又は、スイッチ部１２（ＳＷ）等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３１４】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）等の他の構成要素から制御され、又は、送受信部１１（ＴＲｘ）等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３１５】
送受信部１１（ＴＲｘ）又はスイッチ部１２（ＳＷ）は、送受信部１１（ＴＲｘ）若しくはスイッチ部１２（ＳＷ）等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０３１６】
通信システム構成（２７−２）の通信システムでは、通信システム構成（２７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３１７】
通信システム構成（２８−１）の通信システムは、送受信部１１（ＴＲｘ）と、スイッチ部１３（ＳＷ）とを備える（図７）。異なる波長（λＡ〜λＮ）の光信号を送受信する送受信部１１（ＴＲｘ）がスイッチ部１３（ＳＷ）に接続されている。
【０３１８】
送受信部１１（ＴＲｘ）は、自律制御を行い、又は、スイッチ部１３（ＳＷ）等の他の構成要素から制御され、又は、スイッチ部１３（ＳＷ）等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３１９】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）等の他の構成要素から制御され、又は、送受信部１１（ＴＲｘ）等の他の構成要素を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３２０】
送受信部１１（ＴＲｘ）又はスイッチ部１３（ＳＷ）は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０３２１】
通信システム構成（２８−２）の通信システムでは、通信システム構成（２８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３２２】
通信システム構成（２９−１）の通信システムは、送受信部１１（ＴＲｘ）と、制御部１４とを備える（図７）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３２３】
送受信部１１（ＴＲｘ）は、自律制御を行い、又は、制御部１４等の他の構成要素から制御され、又は、制御部１４等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３２４】
制御部１４は、送受信部１１（ＴＲｘ）、外部のオペレーションシステム（不図示）、コントローラ（不図示）又は外部の装置（不図示）と接続される。制御部１４は、送受信部１１（ＴＲｘ）等の他の構成要素を制御し、又は送受信部１１（ＴＲｘ）等の他の構成要素を介して指示を転送する。
【０３２５】
送受信部１１（ＴＲｘ）又は制御部１４は、送受信部１１（ＴＲｘ）の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の他の構成要素、外部のオペレーションシステム（不図示）、コントローラ（不図示）又は外部の装置（不図示）に送信してもよい。
【０３２６】
通信システム構成（２９−２）の通信システムでは、通信システム構成（２９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３２７】
通信システム構成（３０−１）の通信システムは、送受信部１１（ＴＲｘ）と、プロキシ部１５とを備える（図７）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３２８】
送受信部１１（ＴＲｘ）は、自律制御を行い、又は、プロキシ部１５等の他の構成要素から制御され、又はプロキシ部１５等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３２９】
プロキシ部１５は、自律制御を行い、又は、送受信部１１（ＴＲｘ）等の他の構成要素から制御され、又は、送受信部１１（ＴＲｘ）等の他の構成要素を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３３０】
送受信部１１（ＴＲｘ）やプロキシ部１５は、送受信部１１（ＴＲｘ）若しくはプロキシ部１５等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはプロキシ部１５等の他の構成要素、外部のオペレーションシステム（不図示）、コントローラ（不図示）又は外部の装置（不図示）に送信してもよい。
【０３３１】
通信システム構成（３０−２）の通信システムでは、通信システム構成（３０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３３２】
通信システム構成（３１−１）の通信システムは、送受信部１１（ＴＲｘ）と、外部サーバ１６とを備える（図７）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３３３】
送受信部１１（ＴＲｘ）は、自律制御を行い、又は、外部サーバ１６等の他の構成要素から制御され、又は、外部サーバ１６等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３３４】
外部サーバ１６は、送受信部１１（ＴＲｘ）、外部のオペレーションシステム（不図示）、コントローラ（不図示）又は外部の装置（不図示）と接続される。外部サーバ１６は、送受信部１１（ＴＲｘ）等の他の構成要素を制御し、又は送受信部１１（ＴＲｘ）の他の構成要素を介して指示を転送する。
【０３３５】
送受信部１１（ＴＲｘ）又は外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０３３６】
通信システム構成（３１−２）の通信システムでは、通信システム構成（３１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３３７】
通信システム構成（３２−１）の通信システムは、送受信部１１（ＴＲｘ）を備える（図７）。異なる波長（λＡ〜λＮ）の光信号を送受信する送受信部１１（ＴＲｘ）が、上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３３８】
送受信部１１（ＴＲｘ）は、自律制御を行い、又は、他の構成要素から制御され、又は、他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３３９】
送受信部１１（ＴＲｘ）は、送受信部１１（ＴＲｘ）等の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の構成要素の内部、外部のオペレーションシステム（不図示）、コントローラ（不図示）又は外部の装置（不図示）に送信してもよい。
【０３４０】
通信システム構成（３２−２）の通信システムでは、通信システム構成（３２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３４１】
（第１の構成例）
ＯＬＴが送受信部１１を備え、実行部３と指示部５とを分離して機能配備する例について説明する。この場合、ＯＬＴは、送受信部１１に実行部３を備える。ＯＬＴは、送受信部１１の情報処理部や、ＣＰＵ（Ｃｅｎｔｒａｌ  Ｐｒｏｃｅｓｓｉｎｇ  Ｕｎｉｔ）等の演算処理可能な箇所に、指示部５を備える。実行部３が指示部５よりＰＯＮ側に配置されることが応答速度の観点から好ましいが、逆でもよく、同位置の別装置上でもよく、同一装置上の別ＶＭ上でもよい。
【０３４２】
実行部３と指示部５の入出力は、内部配線、バックボード、ＯＡＭ部１１４、主信号線、専用の配線、オペレーションシステム、コントローラ又は制御盤（Ｃｏｎｔ盤）等の経路のいずれでよい。ＯＮＵからの申告又は申告の複写を指示部５で直接終端して入力する場合、ＯＡＭ部１１４又は主信号にカプセル化してもよい。ＯＮＵからの申告又は申告の複写をいずれかの箇所で終端して、内部配線、バックボード、ＯＡＭ部１１４、主信号線、専用の配線、オペレーションシステム、コントローラ又は制御盤等の経路を経由して入力してもよい。ＯＡＭ部１１４や主信号線を用いる場合、ＯＡＭ部１１４や主信号にカプセル化することが望ましい。主信号線を通す場合はＯＳＵ又は他箇所のスイッチ部にて指示部５に振り分けることが望ましい。
【０３４３】
なお、第１の構成例は、通信システム構成（１−１）〜（３２−２）における送受信部１１と送受信部１１に演算処理可能な箇所を備える任意の構成に適用できる。
【０３４４】
（第２の構成例）
第２の構成例では、実行部３を送受信部１１に備え、指示部５をスイッチ部１２の例えば情報処理部や、ＣＰＵ等の演算処理可能な箇所に備える。その他は第１の構成例と同様である。なお、第２の構成例は、通信システム構成（１−１）〜（３２−２）における送受信部１１とスイッチ部１２に演算処理可能な箇所を備える任意の構成に適用できる。なお、送受信部１１とスイッチ部の演算処理可能な箇所の両方に実行部３及び指示部５が備わっていてもよい。
【０３４５】
（第３の構成例）
第３の構成例では、実行部３を送受信部１１に備え、指示部５をＯＳＵの例えば情報処理部や、ＣＰＵ等の演算処理可能な箇所に備える。その他は第１の構成例と同様である。なお、第３の構成例は、通信システム構成（１−１）〜（３２−２）における送受信部１１とＯＳＵに演算処理可能な箇所を備える任意の構成に適用できる。なお、送受信部１１とＯＳＵの演算処理可能な箇所の両方に実行部３及び指示部５が備わっていてもよい。
【０３４６】
（第４の構成例）
第４の構成例では、実行部３を送受信部１１に備え、指示部５をスイッチ部１３の例えば情報処理部や、ＣＰＵ等の演算処理可能な箇所に備える。その他は第１の構成例と同様である。なお、第４の構成例は、通信システム構成（１−１）〜（３２−２）における送受信部１１とスイッチ部１３に演算処理可能な箇所を備える任意の構成に適用できる。なお、送受信部１１とスイッチ部１３の演算処理可能な箇所の両方に実行部３及び指示部５が備わっていてもよい。
【０３４７】
（第５の構成例）
第５の構成例では、実行部３を送受信部１１に備え、指示部５をＯＬＴの例えば制御部１４、情報処理部、制御盤又はＣＰＵ盤等の演算処理可能な箇所に備える。その他は第１の構成例と同様である。なお、第５の構成例は、通信システム構成（１−１）〜（３２−２）における送受信部１１とＯＬＴに演算処理可能な箇所を備える任意の構成に適用できる。なお、送受信部１１とＯＬＴの演算処理可能な箇所の両方に実行部３及び指示部５が備わっていてもよい。
【０３４８】
（第６の構成例）
第６の構成例では、実行部３を送受信部１１に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第６の構成例は、通信システム構成（１−１）〜（３２−２）におけるＯＬＴ外部に演算処理可能な箇所を備える任意の構成に適用できる。なお、送受信部１１とＯＬＴ外部の演算処理可能な箇所の両方に実行部３及び指示部５が備わっていてもよい。
【０３４９】
（第７の構成例）
第７の構成例では、実行部３を送受信部１１に備え、指示部５をＯＬＴ外部の主信号ネットワーク中の例えばプロキシ部１５等の演算処理可能な箇所に備える。その他は第１の構成例と同様である。なお、第７の構成例は、通信システム構成（１−１）〜（３２−２）における送受信部１１とＯＬＴ外部の主信号ネットワーク中に演算処理可能な箇所を備える任意の構成に適用できる。なお、送受信部１１とＯＬＴ外部の主信号ネットワーク中の演算処理可能な箇所の両方に実行部３及び指示部５が備わっていてもよい。
【０３５０】
（第８の構成例）
第８の構成例では、実行部３をスイッチ部１２に備え、指示部５を送受信部１１の例えば情報処理部や、ＣＰＵ等の演算処理可能な箇所に備える。その他は第１の構成例と同様である。なお、第８の構成例は、通信システム構成（１−１）〜（３２−２）におけるスイッチ部１２と送受信部１１に演算処理可能な箇所を備える任意の構成に適用できる。なお、スイッチ部１２と送受信部１１の演算処理可能な箇所の両方に実行部３及び指示部５が備わっていてもよい。
【０３５１】
（第９の構成例）
第９の構成例では、実行部３をスイッチ部１２に備え、指示部５をスイッチ部１２の例えば情報処理部や、ＣＰＵ等の演算処理可能な箇所に備える。実行部３が指示部５よりＰＯＮ側に配置されることが応答速度の観点から好ましいが、逆でもよく、同位置の別装置上でもよく、同一装置上の別ＶＭ上でもよい。その他は第１の構成例と同様である。なお、第９の構成例は、通信システム構成（１−１）〜（３２−２）におけるスイッチ部１２とスイッチ部１２に演算処理可能な箇所を備える任意の構成に適用できる。
【０３５２】
（第１０の構成例）
第１０の構成例では、実行部３をスイッチ部１２に備え、指示部５をＯＳＵの例えば情報処理部や、ＣＰＵ等の演算処理可能な箇所に備える。その他は第１の構成例と同様である。なお、第１０の構成例は、通信システム構成（１−１）〜（３２−２）におけるスイッチ部１２とＯＳＵに演算処理可能な箇所を備える任意の構成に適用できる。なお、スイッチ部１２とＯＳＵの演算処理可能な箇所の両方に実行部３及び指示部５が備わっていてもよい。
【０３５３】
（第１１の構成例）
第１１の構成例では、実行部３をスイッチ部１２に備え、指示部５をスイッチ部１３の例えば情報処理部や、ＣＰＵ等に備える。その他は第１の構成例と同様である。なお、第１１の構成例は、通信システム構成（１−１）〜（３２−２）におけるスイッチ部１２とスイッチ部１３に演算処理可能な箇所を備える任意の構成に適用できる。なお、スイッチ部１２とＯＳＵの演算処理可能な箇所の両方に実行部３及び指示部５が備わっていてもよい。
【０３５４】
（第１２の構成例）
第１２の構成例では、実行部３をスイッチ部１２に備え、指示部５をＯＬＴの例えば制御部１４、情報処理部、制御盤又はＣＰＵ盤等の演算処理可能な箇所に備える。その他は第１の構成例と同様である。なお、第１２の構成例は、通信システム構成（１−１）〜（３２−２）におけるスイッチ部１２とＯＬＴに演算処理可能な箇所を備える任意の構成に適用できる。なお、スイッチ部１２とＯＬＴの演算処理可能な箇所の両方に実行部３及び指示部５が備わっていてもよい。
【０３５５】
（第１３の構成例）
第１３の構成例では、実行部３をスイッチ部１２に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第１３の構成例は、通信システム構成（１−１）〜（３２−２）におけるスイッチ部１２とＯＬＴ外部に演算処理可能な箇所を備える任意の構成に適用できる。なお、スイッチ部１２及びＯＬＴ外部の演算処理可能な箇所の両方に実行部３及び指示部５が備わっていてもよい。
【０３５６】
（第１４の構成例）
第１４の構成例では、実行部３をスイッチ部１２に備え、指示部５をＯＬＴ外部の主信号ネットワーク中の例えばプロキシ部１５等の演算処理が可能な箇所に備える。その他は第１の構成例と同様である。なお、第１４の構成例は、通信システム構成（１−１）〜（３２−２）におけるスイッチ部１２とＯＬＴ外部の主信号ネットワーク中に演算処理可能な箇所を備える任意の構成に適用できる。なお、スイッチ部１２とＯＬＴ外部の主信号ネットワーク中の演算処理可能な箇所の両方に実行部３及び指示部５が備わっていてもよい。
【０３５７】
（第１５の構成例）
第１５の構成例では、実行部３をＯＳＵに備え、指示部５を送受信部１１の例えば情報処理部や、ＣＰＵ等の演算処理可能な箇所に備える。その他は第１の構成例と同様である。なお、第１５の構成例は、通信システム構成（１−１）〜（３２−２）におけるＯＳＵと送受信部１１に演算処理可能な箇所を含む構成に適用できる。なお、ＯＳＵと送受信部１１の演算処理可能な箇所の両方に実行部３及び指示部５が備わっていてもよい。
【０３５８】
（第１６の構成例）
第１６の構成例では、実行部３をＯＳＵ、指示部５をスイッチ部１２の例えば情報処理部や、ＣＰＵ等の演算処理可能な箇所に備える。その他は第１の構成例と同様である。なお、第１６の構成例は、通信システム構成（１−１）〜（３２−２）におけるＯＳＵとスイッチ部１２に演算処理可能な箇所を備える任意の構成に適用できる。なお、ＯＳＵとスイッチ部１２の演算処理可能な箇所の両方に実行部３及び指示部５が備わっていてもよい。
【０３５９】
（第１７の構成例）
第１７の構成例では、実行部３をＯＳＵに備え、指示部５をＯＳＵの例えば情報処理部、ＣＰＵ等の演算処理可能な箇所に備える。実行部３が指示部５よりＰＯＮ近傍に配置されることが応答速度の観点から好ましいが、逆でもよく、同位置の別装置上でもよく、同一装置上の別ＶＭ上でもよい。その他は第１の構成例と同様である。なお、第１７の構成例は、通信システム構成（１−１）〜（３２−２）におけるＯＳＵとＯＳＵに演算処理可能な箇所を備える任意の構成に適用できる。
【０３６０】
（第１８の構成例）
第１８の構成例では、実行部３をＯＳＵに備え、指示部５をスイッチ部１３の例えば情報処理部や、ＣＰＵ等の演算処理可能な箇所に備える。その他は第１の構成例と同様である。なお、第１８の構成例は、通信システム構成（１−１）〜（３２−２）におけるＯＳＵとスイッチ部１３に演算処理可能な箇所を備える任意の構成に適用できる。なお、ＯＳＵとスイッチ部１３の演算処理可能な箇所の両方に実行部３及び指示部５が備わっていてもよい。
【０３６１】
（第１９の構成例）
第１９の構成例では、実行部３をＯＳＵに備え、指示部５をＯＬＴの例えば制御部１４、情報処理部、制御盤又はＣＰＵ盤等の演算処理可能な箇所に備える。その他は第１の構成例と同様である。なお、第１９の構成例は、通信システム構成（１−１）〜（３２−２）におけるＯＳＵとＯＬＴに演算処理可能な箇所を備える任意の構成に適用できる。なお、ＯＳＵ及びＯＬＴの演算処理可能な箇所の両方に実行部３及び指示部５が備わっていてもよい。
【０３６２】
（第２０の構成例）
第２０の構成例では、実行部３をＯＳＵに備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第２０の構成例は、通信システム構成（１−１）〜（３２−２）におけるＯＳＵとＯＬＴ外部に演算処理可能な箇所を備える任意の構成に適用できる。なお、ＯＳＵとＯＬＴ外部の演算処理可能な箇所の両方に実行部３及び指示部５が備わっていてもよい。
【０３６３】
（第２１の構成例）
第２１の構成例では、実行部３をＯＳＵに備え、指示部５をＯＬＴ外部の主信号ネットワーク中の例えばプロキシ部１５等の演算処理可能な箇所に備える。その他は第１の構成例と同様である。なお、第２１の構成例は、通信システム構成（１−１）〜（３２−２）におけるＯＳＵとＯＬＴ外部の主信号ネットワーク中の演算処理可能な箇所を備える任意の構成に適用できる。なお、ＯＳＵとＯＬＴ外部の主信号ネットワーク中の演算処理可能な箇所の両方に実行部３及び指示部５が備わっていてもよい。
【０３６４】
（第２２の構成例）
第２２の構成例では、実行部３をスイッチ部１３に備え、指示部５を送受信部１１の例えば情報処理部や、ＣＰＵ等の演算処理可能な箇所に備える。その他は第１の構成例と同様である。なお、第２２の構成例は、通信システム構成（１−１）〜（３２−２）におけるスイッチ部１３と送受信部１１に演算処理可能な箇所を備える任意の構成に適用できる。なお、スイッチ部１３及び送受信部１１の演算処理可能な箇所の両方に実行部３及び指示部５が備わっていてもよい。
【０３６５】
（第２３の構成例）
第２３の構成例では、実行部３をスイッチ部１３に備え、指示部５をスイッチ部１２に備える。その他は第１の構成例と同様である。なお、第２３の構成例は、通信システム構成（１−１）〜（３２−２）におけるスイッチ部１２とスイッチ部１３を備える任意の構成に適用できる。なお、スイッチ部１３及びスイッチ部１２の演算処理可能な箇所の両方に実行部３及び指示部５が備わっていてもよい。
【０３６６】
（第２４の構成例）
第２４の構成例では、実行部３をスイッチ部１３に備え、指示部５をＯＳＵの演算処理可能な箇所に備える。ＯＳＵの演算処理可能な箇所は、例えば、情報処理部、ＣＰＵである。その他は第１の構成例と同様である。なお、第２４の構成例は、通信システム構成（１−１）〜（３２−２）におけるＯＳＵに演算処理可能な箇所とスイッチ部１３を備える任意の構成に適用できる。なお、スイッチ部１３及びＯＳＵの演算処理可能な箇所の両方に実行部３及び指示部５が備わっていてもよい。
【０３６７】
（第２５の構成例）
第２５の構成例では、実行部３をスイッチ部１３に備え、指示部５をスイッチ部１３の例えば情報処理部や、ＣＰＵ等の演算処理可能な箇所に備える。その他は第１の構成例と同様である。実行部３が指示部５よりＰＯＮ側に配置されることが応答速度の観点から好ましいが、逆でもよく、同位置の別装置上でもよく、同一装置上の別ＶＭ（Ｖｉｒｔｕａｌ  Ｍａｃｈｉｎｅ）上でもよい。なお、第２５の構成例は、通信システム構成（１−１）〜（３２−２）におけるスイッチ部１３とスイッチ部１３に演算処理可能な箇所を備える任意の構成に適用できる。
【０３６８】
（第２６の構成例）
第２６の構成例では、実行部３をスイッチ部１３に備え、指示部５をＯＬＴの例えば制御部１４、情報処理部、制御盤又はＣＰＵ盤等の演算処理可能な箇所に備える。その他は第１の構成例と同様である。なお、第２６の構成例は、通信システム構成（１−１）〜（３２−２）におけるスイッチ部１３とＯＬＴに演算処理可能な箇所を備える任意の構成に適用できる。なお、スイッチ部１３及びＯＬＴの演算処理可能な箇所の両方に実行部３及び指示部５が備わっていてもよい。
【０３６９】
（第２７の構成例）
第２７の構成例では、実行部３をスイッチ部１３に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第２７の構成例は、通信システム構成（１−１）〜（３２−２）におけるスイッチ部１３とＯＬＴ外部の演算処理可能な箇所を備える任意の構成に適用できる。なお、スイッチ部１３及びＯＬＴ外部の演算処理可能な箇所の両方に実行部３及び指示部５が備わっていてもよい。
【０３７０】
（第２８の構成例）
第２８の構成例では、実行部３をスイッチ部１３に備え、指示部５をＯＬＴ外部の主信号ネットワーク中の例えばプロキシ部１５等の演算処理可能な箇所に備える。その他は第１の構成例と同様である。なお、第２８の構成例は、通信システム構成（１−１）〜（３２−２）におけるスイッチ部１３とＯＬＴ外部の主信号ネットワーク中に演算処理可能な箇所を備える任意の構成に適用できる。なお、スイッチ部１３とＯＬＴ外部の主信号ネットワーク中の演算処理可能な箇所の両方に実行部３及び指示部５が備わっていてもよい。
【０３７１】
（第２９の構成例）
第２９の構成例では、実行部３をＯＬＴの例えば制御部１４、情報処理部、制御盤又はＣＰＵ盤等に備え、指示部５を送受信部１１の情報処理部や、ＣＰＵ等の演算処理可能な箇所に備える。その他は第１の構成例と同様である。なお、第２９の構成例は、通信システム構成（１−１）〜（３２−２）におけるＯＬＴの例えば制御部１４、情報処理部、制御盤又はＣＰＵ盤等と送受信部１１に演算処理可能な箇所を備える任意の構成に適用できる。なお、ＯＬＴの例えば制御部１４、情報処理部、制御盤又はＣＰＵ盤等及び送受信部１１の演算処理可能な箇所の両方に実行部３及び指示部５が備わっていてもよい。
【０３７２】
（第３０の構成例）
第３０の構成例では、実行部３をＯＬＴの例えば制御部１４、情報処理部、制御盤又はＣＰＵ盤等に備え、指示部５をスイッチ部１２の例えば情報処理部や、ＣＰＵ等の演算処理可能な箇所に備える。その他は第１の構成例と同様である。なお、第３０の構成例は、通信システム構成（１−１）〜（３２−２）におけるＯＬＴの例えば制御部１４、情報処理部、制御盤又はＣＰＵ盤等とスイッチ部１２に演算処理可能な箇所を備える任意の構成に適用できる。なお、ＯＬＴの例えば制御部１４、情報処理部、制御盤又はＣＰＵ盤等及びスイッチ部１２の演算処理可能な箇所の両方に実行部３及び指示部５が備わっていてもよい。
【０３７３】
（第３１の構成例）
第３１の構成例では、実行部３をＯＬＴの例えば制御部１４、情報処理部、制御盤又はＣＰＵ盤等に備え、指示部５をＯＳＵの例えば情報処理部や、ＣＰＵ等の演算処理可能な箇所に備える。その他は第１の構成例と同様である。なお、第３１の構成例は、通信システム構成（１−１）〜（３２−２）におけるＯＬＴの例えば制御部１４、情報処理部、制御盤又はＣＰＵ盤等とＯＳＵに演算処理可能な箇所を備える任意の構成に適用できる。なお、ＯＬＴの例えば制御部１４、情報処理部、制御盤又はＣＰＵ盤等とＯＳＵの演算処理可能な箇所の両方に実行部３及び指示部５が備わっていてもよい。
【０３７４】
（第３２の構成例）
第３２の構成例では、実行部３をＯＬＴの例えば制御部１４、情報処理部、制御盤又はＣＰＵ盤等に備え、指示部５をスイッチ部１３の例えば情報処理部や、ＣＰＵ等の演算処理可能な箇所に備える。その他は第１の構成例と同様である。なお、第３２の構成例は、通信システム構成（１−１）〜（３２−２）におけるＯＬＴの例えば制御部１４、情報処理部、制御盤又はＣＰＵ盤等とスイッチ部１３に演算処理可能な箇所を備える任意の構成に適用できる。なお、ＯＬＴの例えば制御部１４、情報処理部、制御盤又はＣＰＵ盤等及びスイッチ部１３の演算処理可能な箇所の両方に実行部３及び指示部５が備わっていてもよい。
【０３７５】
（第３３の構成例）
第３３の構成例では、実行部３をＯＬＴの例えば制御部１４、情報処理部、制御盤又はＣＰＵ盤等に備え、指示部５をＯＬＴの例えば制御部１４、情報処理部、制御盤又はＣＰＵ盤等の演算処理可能な箇所に備える。実行部３が指示部５よりＰＯＮ側に配置されることが応答速度の観点から好ましいが、逆でもよく、同位置の別装置上でもよく、同一装置上の別ＶＭ上でもよい。その他は第１の構成例と同様である。なお、第３３の構成例は、通信システム構成（１−１）〜（３２−２）におけるＯＬＴの例えば制御部１４、情報処理部、制御盤又はＣＰＵ盤とＯＬＴに演算処理可能な箇所を備える構成に適用できる。
【０３７６】
（第３４の構成例）
第３４の構成例では、実行部３をＯＬＴの例えば制御部１４、情報処理部、制御盤又はＣＰＵ盤等に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第３４の構成例は、通信システム構成（１−１）〜（３２−２）におけるＯＬＴの例えば制御部１４、情報処理部、制御盤又はＣＰＵ盤等とＯＬＴ外部に演算処理可能な箇所を備える任意の構成に適用できる。なお、ＯＬＴの例えば制御部１４、情報処理部、制御盤又はＣＰＵ盤等とＯＬＴ外部の演算処理可能な箇所の両方に実行部３及び指示部５が備わっていてもよい。
【０３７７】
（第３５の構成例）
第３５の構成例では、実行部３をＯＬＴの例えば制御部１４、情報処理部、制御盤又はＣＰＵ盤等に備え、指示部５をＯＬＴ外部の主信号ネットワーク中の例えばプロキシ部１５等の演算処理可能な箇所に備える。その他は第１の構成例と同様である。なお、第３５の構成例は通信システム構成（１−１）〜（３２−２）におけるＯＬＴの例えば制御部１４、情報処理部、制御盤又はＣＰＵ盤等とＯＬＴ外部の主信号ネットワークに演算処理可能な箇所を備える任意の構成に適用できる。なお、ＯＬＴの例えば制御部１４、情報処理部、制御盤又はＣＰＵ盤等とＯＬＴ外部の主信号ネットワークの演算処理可能な箇所の両方に実行部３及び指示部５が備わっていてもよい。
【０３７８】
（第３６の構成例）
第３６の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５を送受信部１１の例えば情報処理部や、ＣＰＵ等の演算処理可能な箇所に備える。その他は第１の構成例と同様である。なお、第３６の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１の演算処理可能な箇所の両方に実行部３及び指示部５が備わっていてもよい。
【０３７９】
（第３７の構成例）
第３７の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をスイッチ部１２の例えば情報処理部や、ＣＰＵ等の演算処理可能な箇所に備える。その他は第１の構成例と同様である。なお、第３７の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２の演算処理可能な箇所の両方に実行部３及び指示部５が備わっていてもよい。
【０３８０】
（第３８の構成例）
第３８の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をＯＳＵの例えば情報処理部や、ＣＰＵ等の演算処理可能な箇所に備える。その他は第１の構成例と同様である。なお、第３８の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＳＵに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＳＵの演算処理可能な箇所の両方に実行部３及び指示部５が備わっていてもよい。
【０３８１】
（第３９の構成例）
第３９の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をスイッチ部１３の例えば情報処理部や、ＣＰＵ等の演算処理可能な箇所に備える。その他は第１の構成例と同様である。なお、第３９の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３の演算処理可能な箇所の両方に実行部３及び指示部５が備わっていてもよい。
【０３８２】
（第４０の構成例）
第４０の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をＯＬＴの例えば制御部１４、情報処理部、制御盤又はＣＰＵ盤等の演算処理可能な箇所に備える。その他は第１の構成例と同様である。なお、第４０の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＬＴの演算処理可能な箇所の両方に実行部３及び指示部５が備わっていてもよい。
【０３８３】
（第４１の構成例）
第４１の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備える。実行部３が指示部５よりＰＯＮ側に配置されることが応答速度の観点から好ましいが、逆でもよく、同位置の別サーバ上でもよく、同一サーバ上の別ＶＭ上でもよい。その他は第１の構成例と同様である。なお、第４１の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の演算処理可能な箇所の両方に実行部３及び指示部５が備わっていてもよい。
【０３８４】
（第４２の構成例）
第４２の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をＯＬＴ外部の主信号ネットワーク中の例えばプロキシ部１５等の演算処理可能な箇所に備える。その他は第１の構成例と同様である。なお、第４２の構成例は通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中の演算処理可能な箇所の両方に実行部３及び指示部５が備わっていてもよい。
【０３８５】
（第４３の構成例）
第４３の構成例では、実行部３をＯＬＴ外部の主信号ネットワーク中の例えばプロキシ部１５等に備え、指示部５を送受信部１１の例えば情報処理部や、ＣＰＵ等の演算処理可能な箇所に備える。その他は第１の構成例と同様である。なお、第４３の構成例は、通信システム構成（１−１）〜（３２−２）におけるＯＬＴ外部の主信号ネットワーク中の例えばプロキシ部１５等と送受信部１１の主信号ネットワーク中に演算処理可能な箇所を備える任意の構成に適用できる。なお、ＯＬＴ外部の主信号ネットワーク中の例えばプロキシ部１５等と送受信部１１の演算処理可能な箇所の両方に実行部３及び指示部５が備わっていてもよい。
【０３８６】
（第４４の構成例）
第４４の構成例では、実行部３をＯＬＴ外部の主信号ネットワーク中の例えばプロキシ部１５等に備え、指示部５をスイッチ部１２の例えば情報処理部や、ＣＰＵ等の演算処理可能な箇所に備える。その他は第１の構成例と同様である。なお、第４４の構成例は、通信システム構成（１−１）〜（３２−２）におけるＯＬＴ外部の主信号ネットワーク中の例えばプロキシ部１５等とスイッチ部１２に演算処理可能な箇所を備える任意の構成に適用できる。なお、ＯＬＴ外部の主信号ネットワーク中の例えばプロキシ部１５等とスイッチ部１２の演算処理可能な箇所の両方に実行部３及び指示部５が備わっていてもよい。
【０３８７】
（第４５の構成例）
第４５の構成例では、実行部３をＯＬＴ外部の主信号ネットワーク中の例えばプロキシ部１５等に備え、指示部５をＯＳＵの例えば情報処理部や、ＣＰＵ等の演算処理可能な箇所に備える。その他は第１の構成例と同様である。なお、第４５の構成例は、通信システム構成（１−１）〜（３２−２）におけるＯＬＴ外部の主信号ネットワーク中の例えばプロキシ部１５等とＯＳＵに演算処理可能な箇所を備える任意の構成に適用できる。なお、ＯＬＴ外部の主信号ネットワーク中の例えばプロキシ部１５等とＯＳＵの演算処理可能な箇所の両方に実行部３及び指示部５が備わっていてもよい。
【０３８８】
（第４６の構成例）
第４６の構成例では、実行部３をＯＬＴ外部の主信号ネットワーク中の例えばプロキシ部１５等に備え、指示部５をスイッチ部１３の例えば情報処理部や、ＣＰＵ等の演算処理可能な箇所に備える。その他は第１の構成例と同様である。なお、第４６の構成例は、通信システム構成（１−１）〜（３２−２）におけるＯＬＴ外部の主信号ネットワーク中の例えばプロキシ部１５等とスイッチ部１３に演算処理可能な箇所を備える任意の構成に適用できる。なお、ＯＬＴ外部の主信号ネットワーク中の例えばプロキシ部１５等とスイッチ部１３の演算処理可能な箇所の両方に実行部３及び指示部５が備わっていてもよい。
【０３８９】
（第４７の構成例）
第４７の構成例では、実行部３をＯＬＴ外部の主信号ネットワーク中の例えばプロキシ部１５等に備え、指示部５をＯＬＴの例えば制御部１４、情報処理部、制御盤又はＣＰＵ盤等の演算処理可能な箇所に備える。その他は第１の構成例と同様である。なお、第４７の構成例は、通信システム構成（１−１）〜（３２−２）におけるＯＬＴ外部の主信号ネットワーク中の例えばプロキシ部１５等とＯＬＴに演算処理可能な箇所を備える構成に適用できる。なお、ＯＬＴ外部の主信号ネットワーク中の例えばプロキシ部１５等とＯＬＴの演算処理可能な箇所の両方に実行部３及び指示部５が備わっていてもよい。
【０３９０】
（第４８の構成例）
第４８の構成例では、実行部３をＯＬＴ外部の主信号ネットワーク中の例えばプロキシ部１５等に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第４８の構成例は、通信システム構成（１−１）〜（３２−２）におけるＯＬＴ外部の主信号ネットワーク中の例えばプロキシ部１５とＯＬＴ外部に演算処理可能な箇所を備える任意の構成に適用できる。なお、ＯＬＴ外部の主信号ネットワーク中の例えばプロキシ部１５等とＯＬＴ外部の演算処理可能な箇所の両方に実行部３及び指示部５が備わっていてもよい。
【０３９１】
（第４９の構成例）
第４９の構成例では、実行部３をＯＬＴ外部の主信号ネットワーク中の例えばプロキシ部１５等に備え、指示部５をＯＬＴ外部の主信号ネットワーク中の例えばプロキシ部１５等の演算処理可能な個所に備える。実行部３が指示部５よりＰＯＮ側に配置されることが応答速度の観点から好ましいが、逆でもよく、同位置の別装置上でもよく、同一装置上の別ＶＭ上でもよい。その他は第１の構成例と同様である。なお、第４９の構成例は通信システム構成（１−１）〜（３２−２）におけるＯＬＴ外部の主信号ネットワーク中の例えばプロキシ部１５等とＯＬＴ外部の主信号ネットワーク中に演算処理可能な箇所を備える任意の構成に適用できる。
【０３９２】
なお、第１の構成例から第４９の構成例において、指示部５の設定又はアルゴリズムを変更するためのインタフェース（ＩＦ）を備え、指示部５のソフトウェアを変更できるとしてもよい。また、第１の構成例から第４９の構成例において、指示部５は装置の構成要素で、演算処理が可能な一か所の構成要素上に配置したが、演算処理が可能な複数の構成要素装置上、例えば複数の情報処理部での処理により実現してもよい。
【０３９３】
図９は、通信装置１００内の機能部間の信号／情報の流れを示す図である。同図に示す通信装置１００は、ＰＯＮ主信号処理機能部３００と、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０と、ＰＯＮマルチキャスト機能部３５０と、省電力制御機能部３６０と、周波数・時刻同期機能部３７０と、プロテクション機能部３８０とを備える。
ＰＯＮ主信号処理機能部３００は、ＰＯＮ主信号処理機能を有する。ＰＯＮアクセス制御機能部３２０は、ＰＯＮアクセス制御機能を有する。保守運用機能部３３０（ＰＬＯＡＭ処理、ＯＭＣＩ処理）は、保守運用機能を有する。Ｌ２主信号処理機能部３４０は、Ｌ２主信号処理機能を有する。ＰＯＮマルチキャスト機能部３５０は、ＰＯＮマルチキャスト機能を有する。省電力制御機能部３６０は、省電力制御機能を有する。周波数・時刻同期機能部３７０は、周波数・時刻同期機能を有する。プロテクション機能部３８０は、プロテクション機能を有する。ＰＭＤ部３１０は、主要８機能以外の機能を有する。
【０３９４】
ＰＯＮ主信号処理機能部３００は、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０とに接続されていてもよい。ＰＯＮマルチキャスト機能部３５０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。省電力制御機能部３６０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。周波数・時刻同期機能部３７０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。プロテクション機能部３８０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。
【０３９５】
図１０は、ＰＯＮ主信号処理機能部３００が有する機能構成の例を示す図である。ＰＯＮ主信号処理機能部３００は、上り信号の処理順（下り信号の処理は逆方向）に、ＰＨＹアダプテーションと、フレーム化と、サービスアダプテーションとを、ＰＯＮ主信号処理機能を構成する処理として備えていてもよい。これらの処理は、基本処理から構成されてもよい。基本処理は、同期ブロック生成／抽出と、スクランブル／デスクランブルと、ＦＥＣデコード／エンコードと、フレーム生成／分離と、ＧＥＭ（Ｇ−ＰＯＮ  Ｅｎｃａｐｓｕｌａｔｉｏｎ  Ｍｅｔｈｏｄ）カプセル化と、フラグメント処理と、暗号化とである。
【０３９６】
ＰＨＹアダプテーションは、同期ブロック抽出と、デスクランブルと、ＦＥＣデコーディングとを、上り信号の処理順に備えていてもよい。ＰＨＹアダプテーションは、ＦＥＣエンコーディングと、スクランブルと、同期ブロック生成とを、下り信号処理の順番で備えていてもよい。
【０３９７】
ＰＯＮ主信号処理機能部３００は、ＰＨＹアダプテーション、フレーム化又はサービスアダプテーションの処理を備えずに、同等の処理を基本処理の組み合わせで実現してもよい。ＰＨＹアダプテーション、フレーム化又はサービスアダプテーションの処理は、順番が入れ替わっていてもよい。ＰＨＹアダプテーションは、例えば、ＦＥＣ処理をＰＨＹアダプテーション以外に備えてもよい。
【０３９８】
ＰＯＮ主信号処理機能部３００の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が複数波長を処理するなら、複数波長分が求められる。
【０３９９】
図１１は、ＰＯＮアクセス制御機能部３２０が有する機能構成の例を示す図である。ＰＯＮアクセス制御機能部３２０が有するＰＯＮアクセス制御機能を構成する処理として、ＯＮＵ登録又は認証、ＤＢＡ、及び、λ設定切替（ＤＷＡ）を有する。これらの処理は、基本処理から構成されてもよい。例えば、ＯＮＵ登録又は認証は、初期処理を構成するレンジング、認証削除、登録、起動停止、ＤＢＡは帯域要求受信、トラフィック測定、履歴保持、割当計算、割当処理、設定切替計算、設定切替処理、設定切替状況把握の全て又はそのいくつか、λ設定切替は、帯域要求受信、トラフィック測定、履歴保持、割当計算、割当処理、設定切替計算、設定切替処理、設定切替状況把握の全て又はそのいくつかから構成されてもよい。ＯＮＵ登録又は認証、ＤＢＡ、λ設定切替（ＤＷＡ）は備えずに同等の処理を基本処理の組み合わせで実現してもよい。また、順番が入れ替わっていてもよい。
【０４００】
ＰＯＮアクセス制御機能部３２０の主要機能では、ＯＮＵ高速起動、ＤＢＡ周期内でのＢＷＭａｐ、λ設定切替等が必要に応じて求められる。機能分担の例として、登録又は認証としては、タイムクリティカルなレンジング処理を機器依存部１１０、その後の認証や鍵交換をアプリとしてもよい。ＤＢＡ・λ設定切替では、単純な繰り返し処理を機器依存部１１０、理想状態への反映をアプリとしてもよい。
【０４０１】
図１２は、Ｌ２主信号処理機能部３４０が有する機能構成の例を示す図である。Ｌ２主信号処理機能部３４０が有するＬ２主信号処理機能を構成する処理として、ＭＡＣ学習、ＶＬＡＮ制御、パス制御、帯域制御、優先制御、遅延制御、Ｃｏｐｙを有する。これらの処理は基本処理であるアドレス管理、Ｃｌａｓｓｉｆｉｅｒ（クラシファイア、分類部）、Ｍｏｄｉｆｉｅｒ（モディファイア、変更部）、Ｐｏｌｉｃｅｒ／Ｓｈａｐｅｒ（ポリサー／シェイパー）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）、Ｃｏｐｙ（コピー）、トラフィックモニタから構成されてもよい。ＭＡＣ学習、ＶＬＡＮ制御、パス制御、帯域制御、優先制御、遅延制御、Ｃｏｐｙは備えずに同等の処理を基本処理の組み合わせで実現してもよい。また、順番が入れ替わっていてもよい。
【０４０２】
Ｌ２主信号処理機能部３４０の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が、複数波長を処理するなら複数波長分が求められる。
【０４０３】
図１３は、保守運用機能部３３０が有する機能構成の第１例を示す図である。保守運用機能部３３０が有する保守運用機能を構成する処理として、ＯＮＵ、ＯＳＵ、ＯＬＴ又はＳＷの装置設定（手動、一括、自動、オペレーション契機）、設定バックアップ、ＦＷ更新、装置制御（リセット）、冗長構成対応を有する。これらの処理は、基本処理であるＣＬＩ−ＩＦ、装置管理ＩＦ、オペレーションＩＦ、汎用Ｃｏｎｆｉｇ−ＩＦ（汎用コンフィグ・インタフェース）（ＮＥＴＣＯＮＦ、ＳＮＭＰなど）、テーブル管理から構成されてもよい。装置設定、設定バックアップ、ＦＷ更新、装置制御、冗長構成対応は備えずに同等の処理を基本処理の組み合わせで実現してもよい。また、順番が入れ替わっていてもよい。
【０４０４】
保守運用機能部３３０の主要機能では、指示を受けてからＡＣＫ送信まで１００ミリ秒以内、指示を受けてから反映完了通知送信まで２００ミリ秒以内（ただし、データ転送を含む設定バックアップとＦＷ更新は規模（サイズ・ユーザ数）に応じて規定。）等の規定に従うことが求められる。機能分担の例としては、ハードのＣｏｎｆｉｇを除きアプリによる処理とし、ソフトや設定データはＯＮＵやＯＬＴで持たずに図７の外部サーバ１６上のアプリによる処理とすることもできる。コマンドの統一とシーケンスの定義をすることで実現することもできる。
【０４０５】
図１４は、保守運用機能部３３０が有する機能構成の第２例を示す図である。保守運用機能部３３０が有する機能を構成する処理として、装置の状態監視（ＣＰＵ／メモリ／電源／切替）、トラフィック監視、警報監視（ＯＮＵ異常、ＯＬＴ異常）、試験（ループバック）を有する。これらの処理は基本処理である警報通知、ログ記録、Ｌ３パケット生成／処理、テーブル管理から構成されてもよい。装置の状態監視、トラフィック監視、警報監視、試験は同等の処理を基本処理の組み合わせで実現してもよい。また、順番が入れ替わっていてもよい。
【０４０６】
保守運用機能部３３０の主要機能では、レイテンシが１００ｍｓ以内等の規定に従うことが求められる。機能分担の例として、通知／表示のＩＦのみアプリとし、モニタが必要な項目（ＣＰＵ負荷、メモリ利用量、電源状態、消費電力、イーサネット（登録商標）のリンク状態など）は機器依存部１１０であり、機器依存部１１０からの通知読み出し、通知のネットワーク（ＮＷ）送信、ファイルへの書き込みなどのＩＦをきるアプリによる処理とすることもできる。
【０４０７】
図１５は、保守運用機能部３３０が有する機能構成の第３例を示す図である。保守運用機能部３３０が有する保守運用機能を構成する処理として、高速を要する監視・制御の入出力（スリープ指示／返答、λ設定切替指示／返答など）を有する。本処理の手段として、物理層ＯＡＭ（ＰＬＯＡＭ：Ｐｈｙｓｉｃａｌ  Ｌａｙｅｒ  ＯＡＭ）メッセージ、及び、ヘッダ内のビット表示（Ｅｍｂｅｄｄｅｄ  ＯＡＭ）を利用する。これらの処理は基本処理であるＰＬＯＡＭ処理、Ｅｍｂｅｄｄｅｄ  ＯＡＭ処理、省電力制御機能部３６０との通信、プロテクション機能部３８０との通信、ＰＯＮアクセス制御機能部３２０との通信から構成されてもよい。高速を要する監視・制御の入出力は同等の処理を基本処理の組み合わせで実現してもよい。また、順番が入れ替わっていてもよい。保守運用機能部３３０の主要機能では、ＰＬＯＡＭ処理を７５０マイクロ秒以内とする等の規定に従うことが求められる。
【０４０８】
図１６は、ＰＯＮマルチキャスト機能部３５０が有する機能構成の例を示す図である。ＰＯＮマルチキャスト機能部３５０が有するＰＯＮマルチキャスト機能を構成する処理として、マルチキャストストリームの識別又は振り分け、ＭＬＤプロキシ／スヌーピング、ＯＮＵフィルタ設定、波長間設定移行を有する。これらの処理は基本処理であるＬ２識別・振り分け、Ｌ３パケット処理（ＩＰｖ６  Ｐａｒｓｅを備えるのが望ましい）、Ｌ３パケット生成、テーブル管理、ＯＭＣＩ機能との通信から構成されてもよい。マルチキャストストリームの識別又は振り分け、ＭＬＤプロキシ／スヌーピング、ＯＮＵフィルタ設定、波長間設定移行は同等の処理を基本処理の組み合わせで実現してもよい。また、順番が入れ替わっていてもよい。
【０４０９】
ＰＯＮマルチキャスト機能部３５０の主要機能では、識別／振り分けを１０Ｇｂｉｔ／ｓ／λと２．５Ｇｂｉｔ／ｓ／λの処理をそれぞれ波長毎に処理する場合、それぞれ１０Ｇｂｉｔ／ｓ／λと２．５Ｇｂｉｔ／ｓ／λ以上のストリーム処理が、複数波長を処理するなら複数波長分が求められる。さらに、ＰＯＮマルチキャスト機能部３５０の主要機能では、パケット処理としてザッピング性能（Ｚａｐｐｉｎｇ性能）（ＪＯＩＮレイテンシ）が、平均１．５秒以内等の規定に従うことが求められる。
【０４１０】
機能分担の例としては、マルチキャスト（ＭＣ）ストリームの識別・振分は高速な処理能力を持つＣＰＵ等であればソフト処理可だが、ハード＋ｃｏｎｆｉｇが望ましい。その他、上りに対するアプリ系やＯＮＵ設定は頻度や遅延制約が緩いためアプリによる処理とするである。
【０４１１】
図１７は、省電力制御機能部３６０が有する機能構成の例を示す図である。省電力制御機能部３６０が有する機能を構成する処理として、スリープ用プロキシ／トラフィックモニタ、ＯＮＵ波長設定、波長間設定移行を有する。これらの処理は基本処理であるＬ３パケット処理（ＩＰｖ６  Ｐａｒｓｅを備えるのが望ましい）、Ｌ３パケット生成、テーブル管理、ＯＳＵ省電力ステートダイアグラム（ＳＤ：Ｓｔａｔｅ  Ｄｉａｇｒａｍ）、ＯＭＣＩ機能との通信から構成されてもよい。スリープ用プロキシ／トラフィックモニタ、ＯＮＵ波長設定、波長間設定移行は同等の処理を基本処理の組み合わせで実現してもよい。また、順番が入れ替わっていてもよい。
【０４１２】
本主要機能では、送受信立ち上がり時間（受信器／送信器）を１０ミリ秒／５ミリ秒、立ち上がり時間（ＬＣ／ＯＳＵ／ＯＬＴ）を１００ミリ秒／１秒／１０秒等の規定に従うことが求められる。
【０４１３】
機能分担の例として、パワーセーブ（ＰＳ：Ｐｏｗｅｒ  Ｓａｖｅ）アプリや、信号によってはプロキシ処理もアプリによる処理とすることもできる。省電力制御状態遷移管理（ドライバ部）は速度が求められるがアプリによる処理とすることもできる。トラフィックモニタはコンフィグ（ｃｏｎｆｉｇ）のみアプリによる処理とすることもできる。
【０４１４】
図１８は、周波数・時刻同期機能部３７０が有する機能構成の例を示す図である。ＯＬＴは、ＳｙｎｃＥ（Ｓｙｎｃｈｒｏｎｏｕｓ  Ｅｔｈｅｒｎｅｔ（登録商標））（周波数同期用）及びＩＥＥＥ  １５８８ｖ２（時刻同期）により、自身のリアルタイムクロック（ＲＴＣ）を上位装置に従属同期させる。更に、ＯＭＣＩを利用して、ＰＯＮのスーパーフレームカウンタ（ＳＦＣ）と絶対時刻（ＴｏＤ：Ｔｉｍｅ  ｏｆ  Ｄａｙ）情報の対応をＯＮＵに通知する。これらの処理は基本処理であるリアルタイムクロックの保持等から構成されてもよい。同等の処理を基本処理の組み合わせで実現してもよい。また、順番が入れ替わっていてもよい。
【０４１５】
本主要機能では、周波数同期精度＋／−５０ｐｐｂ（ＬＴＥ  ＦＤＤ、同ＴＤＤ）、時刻同期精度＋／−１〜１．５マイクロ秒（ＬＴＥ  ＴＤＤ、スモールセル）、＋／−１マイクロ秒（Ｇ．９８７．３）等の規定に従うことが求められる。機能分担の例としては、リアルタイムクロック自体は機器依存部１１０であり、上位装置への時刻合わせ計算はアプリによる処理とすることもできる（精度により機器依存部１１０とすることもできる）。
【０４１６】
図１９は、プロテクション機能部３８０が有する機能構成の例を示す図である。プロテクション機能部３８０が有するプロテクション機能を構成する処理として、冗長切替（ＣＴ、ＳＷ、ＮＮＩ、ＣＯＮＴ、ＰＯＮ（Ｔｙｐｅ  Ａ、Ｂ、Ｃ））を備える。これらの処理は基本処理である冗長パス設定、 切替トリガ検出、切替通知送受信、切替処理等から構成されてもよい。同等の処理を基本処理の組み合わせで実現してもよい。また、順番が入れ替わっていてもよい。
【０４１７】
本主要機能では、強制切替は５０ミリ秒以下等の規定に従うことが求められる。機能分担の例としては、故障検出等のハードの切替トリガ検出と切替処理を除きアプリによる処理とすることもできる。冗長パスを予め設定せずに、切替トリガ検出時にＥＭＳ１４０側へ（から）指示する場合は機器依存、等である。
【０４１８】
なお、主要８機能は必要に応じて備えればよく、例えばＰＯＮ主信号処理機能、ＰＯＮアクセス制御機能、Ｌ２主信号処理機能、保守運用機能のみを備えてもよいし、それ以外の機能を備えてもよい。また、各機能のソフト化可否の評価は、２０１８年に想定されるＯＬＴの処理能力かつ、ソフトスイッチの適用は想定していない前提での一例である。想定する処理能力やソフトスイッチの適用を想定して適宜変更してもよい。ソフト化可の機能であっても、ソフト化しなくてもよい。各機能の内部の構成は同様の機能を実現できれば他の構成であってもよい。
【０４１９】
主要８機能に含まれるアルゴリズムを主なソフト化領域とする。ソフト化領域とした機能を機器無依存ＡＰＩ２１、２２上の機器無依存アプリ部１３０とする。例えば、差異化サービスに資するＯＮＵ登録又は認証機能、ＤＷＢＡ機能、設定・管理・監視制御機能及び省電力制御機能におけるアルゴリズムは機器無依存アプリ部１３０における拡張機能部１３１として扱われる。ＭＬＤプロキシアプリはマルチキャスト機能を含む。
【０４２０】
拡張機能部１３１は、アプリの内、機能の更新頻度や独自仕様等の実現等の重要度に応じて拡張機能部１３１とする。更新頻度が低いか独自仕様等の実現の要求の低いものは基本機能部１３２や機器無依存アプリ部１３０以外のミドルウェア部１２０や機器依存ソフトウェアやハードウェア部１１１及びハードウェア部１１２とすることが好ましい。特に、ソフトウェアの処理能力からくる制限がある機能は、ハードウェア部１１１及びハードウェア部１１２のままとすることが好ましい。例えば、主信号の優先処理や回線の利用効率を向上するＤＢＡ等の更改頻度が高いかサービス差異化に寄与する機能や、オペレータの業務フローに密接にかかわり合いオペレータ毎の独自仕様が要求される管理制御機能から拡張機能部１３１とする。
【０４２１】
図２０は、通信装置１００のアーキテクチャの詳細の例を示す図である。エンベデッドＯＡＭエンジン１１４ａ（Ｅｍｂｅｄｄｅｄ  ＯＡＭ  Ｅｎｇｉｎｅ）は、ミドルウェア部１２０を介して、ＤＢＡアプリ部及びプロテクションアプリ部と接続されている。ＰＬＯＡＭエンジン１１４ｂは、ミドルウェア部１２０を介して、ＤＷＢＡアプリ、ＯＮＵ登録認証、高速監視アプリ、省電力アプリ及びプロテクションアプリと接続されている。
【０４２２】
ＯＭＣＩは、ミドルウェア部１２０を介して、省電力アプリ及び低速監視アプリ（ＯＭＣＩ）と接続されている。Ｌ２機能部（Ｌ２  ｆｕｎｃｔｉｏｎ）は、ミドルウェア部１２０を介して、省電力アプリ及びＭＬＤプロキシアプリと接続されている。Ｌ２機能部は、ミドルウェア部１２０を介して、設定・管理アプリと更に接続されている。ＮＥ管理部１１５ａは、設定・管理アプリと接続されている。ＮＥコントロール１１５ｂは、低速監視アプリ（ＥＭＳ−ＩＦ）と接続されている。
【０４２３】
図２１は、通信装置１００が実行するアプリの例を示す図である。ＣＰＵの処理は、３グループに分類される。３グループは、Ｃｏｎｔ向きのＣＰＵと、ＯＳＵ向きのＣＰＵと、ＳＷ向きのＣＰＵとである。Ｃｏｎｔ向きのＣＰＵの処理は、低速監視アプリ（ＯＭＣＩ）と、低速監視アプリ（ＥＭＳ−ＩＦ）と、設定・管理アプリとを実行する処理である。ＳＷ向きのＣＰＵの処理は、ＭＬＤプロシキアプリを実行する処理である。ＯＳＵ向きのＣＰＵの処理は、省電力アプリと、プロテクションアプリと、高速監視アプリと、ＤＢＡアプリと、ＤＷＢＡアプリと、ＯＮＵ登録認証アプリとを実行する処理である。装置設定ＩＦは、ＥＭＳ−ＩＦの一部であってもよく、機器依存ＡＰＩ２５と同等であってもよい。
【０４２４】
各アプリがＣＰＵパッケージ上のＣＰＵで処理される例である。図２１では、各アプリをＯＬＴ内の制御部であるコントパッケージ（図２１におけるＣｏｎｔ．）向き、複数の光送受信機（図２１のλＣａｒｄ）を備えるＯＳＵパッケージ（図２１のＯＳＵ）向き、ＯＳＵ及び上位ネットワーク側の装置とデータの入出力を行うＳＷパッケージ向きの３グループに分類している。ＯＳＵグループを省電力アプリ、プロテクションアプリ、高速監視アプリ、ＤＢＡアプリ、ＤＷＢＡアプリ、ＯＮＵ登録認証アプリとし、ＳＷグループをＭＬＤプロキシアプリとし、ＣＯＮＴグループを低速監視アプリ（ＯＭＣＩ）、低速監視アプリ（ＥＭＳ−ＩＦ）、設定管理アプリとした。更に、ＣＰＵでの集中制御を想定しているが、分類した各グループのアプリをそれぞれのパッケージ（Ｃｏｎｔ、ＯＳＵ、ＳＷ）に分散配置してもよい。また上記の分類によらずに、Ｃｏｎｔ、ＯＳＵ、ＳＷのいずれか又はそれらの複数の組み合わせ上に配置してもよい。また、図２１の装置設定ＩＦはＥＭＳ−ＩＦの一部であってもよいし、図２の機器依存ＡＰＩ２５同等であってもよい。またアプリの処理はＣＰＵ上で行うとしたが、一部また全てを、処理機能を備える代替物、例えばＣＰＵ以外のＧＰＵやＮＰＵやＤＳＰ等のプロセッサやＦＰＧＡ上で処理してもよい。他の実施形態でも同様である。
【０４２５】
図２２は、ＣＰＵパッケージの代わりにサーバ等にアプリを配置した例である。アプリはサーバ等上で処理され、そのアプリの処理結果は、イーサネット（登録商標）フレーム等の伝送路で伝送できる形式により伝送路で伝送された後に、ＯＬＴに到着する。ここで、伝送路で伝送できる形式としては、イーサネット（登録商標）フレーム以外のフレームやＴＤＭ等の伝送であってもよい。また、処理結果の伝送には、変換機（図２２におけるＣＯＮＶ．）を介しているが、ＯＳＵやＳＷやλカードが変換機を介さずにアプリの処理結果を受けることが可能とすれば変換機は不要である。サーバ等は、図７の外部サーバ１６相当であってもよいし、プロキシ部１５相当であってもよい。
【０４２６】
図２３は、ＣＰＵ、スイッチ部（ＳＷ）及びＯＳＵの機能（処理）の例を示す図である。ＣＰＵは、省電力制御機能と、プロテクション機能とを、アプリによって実行する。ＣＰＵは、さらに、保守運用機能（Ｆａｕｌｔ  Ｍａｎａｇｅｍｅｎｔ）と、保守運用機能（ＧＴＣ／ＰＭＤ  ｃｏｎｆｉｇ）と、ＰＯＮアクセス処理機能（ＯＮＵ  ａｃｔｉｖａｔｉｏｎ）と、ＰＯＮアクセス処理機能（ＤＢＡ）と、ＰＯＮアクセス処理機能（λ割当変更）と、保守運用機能（Ｓｅｒｖｉｃｅ  Ｍａｎａｇｅｍｅｎｔ）と、保守運用機能（Ｅｑｕｉｐｍｅｎｔ  ｍａｎａｇｅｍｅｎｔ）とを実行する。またさらに、ＣＰＵは、保守運用機能（Ｆａｕｌｔ  Ｐｅｒｆｏｒｍａｎｃｅ  Ｍａｎａｇｅｍｅｎｔ）と、マルチキャスト機能（ＭＬＤ）とを、アプリによって実行する。
【０４２７】
スイッチ（ＳＷ）は、Ｌ２信号処理機能（ＶＬＡＮ）と、Ｌ２信号処理機能（ＱｏＳ、Ｑｕａｌｉｔｙ  ｏｆ  Ｓｅｒｖｉｃｅ）と、Ｌ２信号処理機能（Ｍｕｘ／Ｄｍｕｘ、ＸＣ、Ｃｒｏｓｓ  Ｃｏｎｎｅｃｔ）と、マルチキャスト機能（Ｃｏｐｙ）とを、アプリによって実行する。ＯＳＵのＭＡＣは、ＰＯＮ主信号処理機能（Ｓｅｃｕｒｉｔｙ）と、ＰＯＮ主信号処理機能（Ｆｒａｍｉｎｇ）と、ＰＯＮ主信号処理機能（ＦＥＣ）と、周波数・時刻同期機能とを、アプリによって実行する。
【０４２８】
図２３では、ＣＰＵの囲みが基本機能部１３２と独自機能での処理、ＯＳＵのＭＡＣがベンダ依存部分での処理の例を示しているが、この分類に限定しない。図２３のＣＰＵは、図２２のＣＰＵパッケージや、図２２のサーバ等上やそれ以外の処理能力を持つ箇所又はそれらの組み合わせであってもよい。ＯＳＵのＭＡＣは、ＯＳＵ処理をする専用のＬＳＩを想定しているが、同等の処理が可能であれば汎用ＬＳＩを用いてもよい。
【０４２９】
図２４は、主要８機能のアプリの処理とＧ．９８９．３機能との対応の例を示す図である。ＤＢＡアプリと、ＤＷＢＡアプリと、ＯＮＵ登録認証アプリと、省電力アプリと、プロテクションと、高速監視アプリとは、ＴＷＤＭ  ＴＣレイヤのＴＷＤＭ  ＴＣ機能部（ＴＷＤＭ  ＴＣ  ｆｕｎｃｔｉｏｎｓ）と接続されている。ＭＬＤプロシキは、Ｌ２機能部（Ｌ２  ｆｕｎｃｔｉｏｎ）と接続されている。Ｌ２機能部は、ユーザ・データ・クライアント（Ｕｓｅｒ  Ｄａｔａ  Ｃｌｉｅｎｔ）と接続されている。設定・管理アプリと、低速監視アプリ（ＯＭＣＩ）と、低速監視アプリ（ＯＳＳ−ＩＦ）とは、Ｌ２機能部に接続されている。設定・管理アプリと、低速監視アプリ（ＯＭＣＩ）と、低速監視アプリ（ＯＳＳ−ＩＦ）とは、更にＯＭＣＩクライアントに接続されている。
【０４３０】
図２５は、ＰＬＯＡＭ及びＯＭＣＩをＳＷ経由で取得する構成の例を示す図である。すなわち、図２５は、ＰＬＯＡＭ及びＯＭＣＩが、ユーザデータに加えて、図７の制御部１４又はプロキシ部１５又は外部サーバ１６から、対応するデータをＳＷ経由で取得する処理を示す。
【０４３１】
ユーザ・データ・クライアント（Ｕｓｅｒ  Ｄａｔａ  Ｃｌｉｅｎｔ）は、スイッチ部（ＳＷ）経由で、ユーザ・データ・アダプタ（Ｕｓｅｒ  Ｄａｔａ  Ａｄａｐｔｅｒ）からデータを取得する。ユーザ・データ・クライアントは、スイッチ部経由で、ユーザ・データ・アダプタにデータを送信する。ＣＰＵのＯＭＣＩクライアント（ＯＭＣＩ  Ｃｌｉｅｎｔ）は、スイッチ部経由で、ＯＭＣＩアダプタ（ＯＭＣＩ  Ａｄａｐｔｅｒ）からデータを取得する。ＯＭＣＩクライアントは、スイッチ部経由で、ＯＭＣＩアダプタにデータを送信する。
【０４３２】
ＣＰＵのＰＬＯＡＭプロセッサは、スイッチ部経由で、「ＡＭＣＣ  ＰＨＹ  アダプテーション・フレーミング部」（ＡＭＣＣ  ＰＨＹ  ａｄａｐｔａｔｉｏｎ  Ａｎｄ  ｆｒａｍｉｎｇ）から、データを取得する。ＣＰＵのＰＬＯＡＭプロセッサは、スイッチ部経由で、「ＡＭＣＣ  ＰＨＹ  アダプテーション・フレーミング部」に、データを送信する。また、ＣＰＵのＰＬＯＡＭプロセッサは、スイッチ部経由で、ＰＬＯＡＭパーティション部（ＰＬＯＡＭ  ｐａｒｔｉｔｉｏｎ）から、データを取得する。ＣＰＵのＰＬＯＡＭプロセッサは、スイッチ部経由で、ＰＬＯＡＭパーティション部に、データを送信する。
【０４３３】
ＴＷＤＭ  ＴＣレイヤのＴＷＤＭ  ＴＣ機能部（ＴＷＤＭ  ＴＣ  ｆｕｎｃｔｉｏｎｓ）は、スイッチ部経由で、エンベデッド・ヘッダ領域（Ｅｍｂｅｄｄｅｄ  ｈｅａｄｅｒ  ｆｉｅｌｄｓ）から、データを取得する。ＴＷＤＭ  ＴＣレイヤのＴＷＤＭ  ＴＣ機能部は、スイッチ部経由で、エンベデッド・ヘッダ領域にデータを送信する。
【０４３４】
なお、図２及び図３の例では、ソフト化領域を、基本機能部１３２、管理・制御エージェント部１３３、拡張機能部１３１、ミドルウェア部１２０としたが、ソフト化領域は、サービスアダプテーション（暗号化、フラグメント処理、ＧＥＭフレーム化／ＸＧＥＭフレーム化、ＰＨＹアダプテーションのＦＥＣ、スクランブル、同期ブロック生成／抽出、ＧＴＣ（ＧＰＯＮ  Ｔｒａｎｓｍｉｓｓｉｏｎ  Ｃｏｎｖｅｒｇｅｎｃｅｓ）フレーム化、ＰＨＹフレーム化、ＳＰ変換、符号化方式も対象としてもよい。アーキテクチャのソフト化機能の実装例とハードウェア部１１１及びハードウェア部１１２に対応する機能配備の例を説明する。機能配備は、例えば、ネットワーク機器又は外部のサーバにソフト化機能を備える。
【０４３５】
複数のＯＳＵ、スイッチ、情報処理部及び制御部を備えるＯＬＴを想定する。各ＯＳＵは、波長毎に異なる送受信部を備える。この場合、ミドルウェア部１２０が各ＯＳＵ及びスイッチに搭載され、機器無依存アプリ部１３０などのソフト化領域が情報処理部に搭載される。
【０４３６】
情報処理部すなわちＣＰＵは、機器無依存アプリ部１３０を実行する。機器無依存アプリ部１３０は、ＯＳＵ用の拡張機能部１３１と、スイッチ用の拡張機能部１３１と、制御部用の拡張機能部１３１とを含む。ＯＳＵ用の拡張機能部１３１は、例えば、省電力アプリ、プロテクションアプリ、ＤＢＡアプリ、ＯＮＵ登録認証アプリである。スイッチ用の拡張機能部１３１は、例えば、ＭＬＤプロキシアプリである。制御部用の拡張機能部１３１は、例えば、低速監視アプリ（ＯＭＣＩ）、低速監視アプリ（ＥＭＳ−ＩＦ（ＩｎｔｅｒＦａｃｅ））、設定・管理アプリである。ＥＭＳ１４０は、例えば、ＯＳＳ（Ｏｐｅｒａｔｉｏｎ  Ｓｕｐｐｏｒｔ  Ｓｙｓｔｅｍ）である。
【０４３７】
Ｇ．９８９．３の場合、例えば、図２０、２３〜２５に示すようになる。ＤＢＡアプリの場合、図２及び図３に示すミドルウェア部１２０又は図４及び図５に示す基本機能部１３２は、ＴＣレイヤのハードウェア部１１１及びハードウェア部１１２であるエンベデッドＯＡＭエンジン（Ｅｍｂｅｄｄｅｄ  ＯＡＭ  Ｅｎｇｉｎｅ）を動作させる。そして、ＰＭＤレイヤのハードウェア部１１１及びハードウェア部１１２である送受信部がＤＢＡアプリに従って受信する。なお、送受信部がＤＢＡに従わない上り信号でも受信する場合、ＤＢＡアプリに従わないとしてもよい。
【０４３８】
情報処理部は、これらのソフト化機能に限らず、それ以外のソフト化機能を備えていてもよい。ハードウェア部１１１及びハードウェア部１１２は、送受信部、ＯＳＵ、スイッチ、制御部、情報処理部に限らない。例えば、情報処理部は、送受信部、ＯＳＵ、スイッチ、制御部に含まれていてもよい。また図７に示すように、スイッチのＮＮＩ（Ｎｅｔｗｏｒｋ−Ｎｅｔｗｏｒｋ  Ｉｎｔｅｒｆａｃｅ）側に、スイッチに入出力する信号を処理するプロキシ部又は外部サーバを備えていてもよい。外部サーバは、複数の装置を備えるデータセンタ等のいわゆるクラウドと呼ばれる情報処理機能であってもよい。
【０４３９】
各機能は、処理能力や処理遅延の要求に応じて適宜配置してもよい。また、ＯＳＵにスイッチ部１２又はスイッチ部１３を備えていてもよいし、スイッチとは別途スイッチ（スイッチ部１３を備える場合のスイッチ部１２）を備えていてもよい。スイッチの機能はスイッチ部１２とスイッチ部１３で重複せずにスイッチの処理能力等に従って適宜分担することが望ましいが、重複してもよい。
【０４４０】
ソフト化機能を配備する箇所は、情報処理部に限らず、複数の演算処理可能な箇所に配置してもよい。例えば、ソフト化機能を配備する箇所は、送受信部、ＯＳＵのスイッチ、ＯＳＵのスイッチ以外、ＯＬＴの制御部、ＯＬＴのスイッチ、ＯＬＴの情報処理部、ＯＬＴのスイッチと制御部と情報処理部以外、スイッチのＮＮＩ側にスイッチに入出力する信号を処理するプロキシ部また外部サーバ等の処理装置のいずれかであってもよい。
【０４４１】
また、ソフト化機能の配置は、ソフト化機能毎であってもよいし、単一のソフト化機能を分割したソフト化機能の一部であってもよい。例えば、送受信部に関するものを送受信部以外の他の箇所、例えば、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＰＯＮ終端に関するものをＰＯＮ終端処理配備箇所以外の他の箇所、例えば、ＯＳＵの送受信部、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０４４２】
ＯＮＵのスイッチに関するものをＯＮＵのスイッチ以外の他の箇所、例えば、送受信部、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＯＬＴのスイッチに関するものをＯＬＴのスイッチ以外の他の箇所、例えば、送受信部、ＯＳＵのスイッチ、ＯＳＵの送受信部以外且つスイッチ以外、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
また、ソフト化機能を配備する箇所は拡張機能部１３１の配備の状況や、演算可能な箇所の演算能力や演算負荷や消費電力等に応じて、適宜変更してもよい。
【０４４３】
ＯＬＴの主信号処理に係る主要な機能と機能間の関係を説明する。ＯＬＴ機能をスイッチに移行する。ＰＨＹアダプテーション機能、フレーム化機能、サービスアダプテーション機能などのＰＯＮ区間処理を行うＰＯＮ主信号処理機能を、送受信部に配備する。ＯＮＵ登録又は認証機能、ＤＢＡ制御機能、ＤＷＡ機能などのＰＯＮアクセス制御機能を情報処理部に配備する。フレーム化で利用されるＶＬＡＮ制御、シェーパの前段の優先制御、マックス又はデマックス（ＭｕＸ／Ｄｍｕｘ）及びキュー（Ｑｕｅｕｅ）、並びにフレーム化の前段のシェーパなどのＬ２主信号処理機能をスイッチに配備する。
【０４４４】
シェーパの前段のコピー機能、コピーで利用されるＭＬＤプロキシなどのマルチキャスト機能をスイッチに配備する。このように、ＰＯＮに配備されていたＰＯＮ主信号処理機能及びＰＯＮアクセス制御機能をスイッチに配備することで、ＰＯＮ基本機能部１３２を縮小する。特に、Ｌ２主信号処理は重複を避け、スイッチに配備することが好ましい。
【０４４５】
なお、スイッチの機能として、Ｃｌａｓｓｉｆｉｅｒ（クラシファイア）、Ｍｏｄｉｆｉｅｒ（モディファイア）、Ｐｏｌｉｃｅｒ／Ｓｈａｐｅｒ（ポリサー／シェーパ）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）の順に備える前提で例示したが適宜変更してもよい。例えば、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒの全ての機能をスイッチで実施してもよいし、スイッチでＭｏｄｉｆｉｅｒ、Ｃｒｏｓｓ  Ｃｏｎｎｅｃｔ、Ｑｕｅｕｅ、Ｓｃｈｅｄｕｌｅｒのみ実施してもよい。
【０４４６】
更に、ＰＯＮ終端後のパス等を記載するＶＩＤ等をＯＮＵで付与すれば、Ｃｒｏｓｓ  Ｃｏｎｎｅｃｔ、Ｑｕｅｕｅ、Ｓｃｈｅｄｕｌｅｒすればよい。上位ネットワークが単一パスと見做せれば、Ｑｕｅｕｅ、Ｓｃｈｅｄｕｌｅｒでよい。また、Ｃｒｏｓｓ  Ｃｏｎｎｅｃｔでフレームが衝突しないようにＤＢＡすれば、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、とすることができる。更に、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、ＰＯＮ終端後のパス等を記載するＶＩＤ等をＯＮＵで付与すれば、Ｃｒｏｓｓ  Ｃｏｎｎｅｃｔのみとすることもできる。
【０４４７】
また、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒで、Ｃｌａｓｓｉｆｉｅｒ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｑｕｅｕｅ、Ｓｃｈｅｄｕｌｅｒとしてもよいし、Ｐｏｌｉｃｅｒ／Ｓｈａｐｅｒの前段にＱｕｅｕｅを置いて、Ｃｌａｓｓｉｆｉｅｒ、Ｍｏｄｉｆｉｅｒ、Ｑｕｅｕｅ、Ｐｏｌｉｃｅｒ／Ｓｈａｐｅｒ、Ｃｒｏｓｓ  Ｃｏｎｎｅｃｔ、Ｓｃｈｅｄｕｌｅｒとしたり、Ｃｌａｓｓｉｆｉｅｒ、Ｑｕｅｕｅ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｓｃｈｅｄｕｌｅｒとしたりしてもよい。ＰＯＮのバースト伝送や、マルチキャスト等の優先トラフィックを多重することによって生ずるバースト性による不要のＰｏｌｉｃｉｎｇ（ポリシング）／Ｓｈａｐｉｎｇ（シェイピング）や、受信側での平準化したトラフィックの受信を考慮するとＰｏｌｉｃｅｒ／Ｓｈａｐｅｒの前段にＱｕｅｕｅを置いて平準化した後にＰｏｌｉｃｉｎｇ／Ｓｈａｐｉｎｇによる処理を実行することが望ましい。
【０４４８】
以上のように、通信装置１００−１は、記憶制御部１４１−１と、機器制御部１４２−１とを備える。記憶制御部１４１−１は、記憶装置２００のメモリ２２０に、通信装置１００−１のＯＳＵパッケージ等の指示を記憶させる。ＯＳＵパッケージは、送受信部１１、又は、送受信部１１及びスイッチ部１２、又は、送受信部１１、スイッチ部１２及びスイッチ部１３、又は、送受信部１１及びスイッチ部１３に相当する。機器制御部１４２−１は、メモリ２２０に通信装置１００−２が記憶させた通信装置１００−２のＯＳＵパッケージ等の指示を取得する。機器制御部１４２−１は、通信装置１００−２のＯＳＵパッケージ等の指示に基づいて、通信装置１００−１のＯＳＵパッケージ等を動作させる。
【０４４９】
この構成によって、記憶制御部１４１−１は、通信装置１００の状態が特定の状態（スリープ状態等）に遷移した場合でも特定の状態に遷移しない記憶装置２００のメモリ２２０に、通信装置１００−１の機器の指示を記憶させる。
【０４５０】
これによって、通信装置１００−１は、状態遷移する通信装置１００−１が保持する指示を通信装置１００−２に継承させる場合、通信装置１００−１が特定の状態（スリープ状態等）に遷移するまでの時間を短くすることが可能となる。
【０４５１】
特定の状態への状態遷移に際して、スリープ動作等の主体は、スリープ動作等の主体（通信装置１００が備える機器）の指示を、スリープ動作等の主体とは独立している外部に保管することによって、動作を継承することが可能となる。特定の状態は、例えば、スリープ状態、運用系の通信装置１００の切替状態、ユーザ収容切替状態、マルチキャスト状態である。運用情報が通信装置１００の外部に保持されているため、他の通信装置１００への切替に際して、スリープ動作等の継承性が失われないようにすることが可能となる。通信装置１００は、機器が保持している情報の継承性を確保することが可能となる。
【０４５２】
また、通常の汎用化、ソフトウェア化したスイッチを実行部３として流用することによって、汎用化、ソフトウェア化したスイッチの安価且つ柔軟かつ迅速な機能追加が可能なＯＬＴを実現することが可能となる。
【０４５３】
以上示した通り、実施形態１−１は、指示部５と実行部３を分離配置することで、機器の保持する情報の継承性をスリープ、切替、ユーザ／収容替に要する時間を長大化することなく可能とする。
【０４５４】
以上示した実施形態１−１に係る構成は、以下の実施形態でも同様であり、適宜組み合わせてもよい。例えば、図２では、本システムが、実行部３の構成が送受信部１１（ＴＲｘ）、スイッチ部１２及びスイッチ部１３のみの場合を例示するが、送受信部１１（ＴＲｘ）、スイッチ部１２及びスイッチ部１３以外の箇所、それ以外の場所、ＰＯＮの終端する箇所や、制御部１４を実行部３としてもよい。
【０４５５】
（実施形態１−２）
実施形態１−１ではＴＷＤＭ−ＰＯＮに用いられる構成を例示したが、ＴＤＭ−ＰＯＮに適用してもよい。ＴＤＭ−ＰＯＮでは、λ設定切替（ＤＷＡ）のようなＯＮＵの間ＯＮＵ−ＯＬＴのＰＯＮ区間の波長リソースを波長分割多重する機能を備えていなくてもよいことを除けば実施形態１−１と同様である。
【０４５６】
（実施形態１−３）
実施形態１−１ではＴＷＤＭ−ＰＯＮに用いられる構成を例示したが、ＷＤＭ−ＰＯＮに適用してもよい。ＷＤＭ−ＰＯＮでは、ＤＢＡのようなＯＮＵの間ＯＮＵ−ＯＬＴのＰＯＮ区間の帯域リソースを時分割多重する機能を備えていなくてもよいことを除けば、実施形態１−３は実施形態１−１と同様である。
【０４５７】
（実施形態１−４）
本実施形態は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）−ＰＯＮ、ＣＤＭ（Ｃｏｄｅ  Ｄｉｖｉｓｉｏｎ  Ｍｕｌｔｉｐｌｅｘ）−ＰＯＮ、ＳＣＭ（Ｓｕｂｃａｒｒｉｅｒ  Ｍｕｌｔｉｐｌｅｘ）−ＰＯＮ、芯線分割多重を含めた組み合わせである。
実施形態１−１ではＴＷＤＭ−ＰＯＮに用いられる構成を例示したが、波長と時間以外のリソースを共用するＰＯＮに適用してもよい。例えば、１波長の電気の周波数リソースを分割多重するＯＦＤＭ−ＰＯＮ、１波長の電気の周波数リソースを分割多重するＳＣＭ−ＰＯＮ、符号で分割多重するＣＤＭ−ＰＯＮに適用してもよいし、芯線分割多重を併用してもよいし、マルチコアファイバ等を用いた空間分割多重を併用してもよいし、波長分割多重を用いなくてもよい。ＴＷＤＭ−ＰＯＮの波長リソースを波長分割多重する機能を、それぞれの多重するリソースに分割多重するに要する機能に対応する機能に読み替えれば同様である。
【０４５８】
（実施形態２）
実施形態２では、ＴＷＤＭ−ＰＯＮに用いられる構成が、ＧＥＭカプセル化を行う。この場合、ＧＥＭフレームを生成するアダプタをスイッチに備え、スイッチとそれ以外の部分の間でＧＥＭフレームを導通するようにする。ＧＥＭカプセル化までスイッチに移管することで、それ以外の部分のプロトコルスタックからＬ２機能部を除外し、スイッチとそれ以外の部分で、Ｌ２機能部の重畳を回避することができる。
【０４５９】
なお、ＴＷＤＭ−ＰＯＮを例に挙げたが、実施形態１−２〜実施形態１−４のように、ＰＯＮ区間での識別するためのフレームを同様に扱えばそれ以外のＰＯＮであっても同様の効果が得られる。例えば、ＩＥＥＥの規格のＧＥ−ＰＯＮ、１０ＧＥ−ＰＯＮ等であれば、ＧＥＭフレームの代わりに、ＬＬＩＤを付与してＬＬＩＤの付与されたフレームをスイッチとそれ以外の部分の間を導通するようすればよい。
【０４６０】
（実施形態３）
実施形態３では、ＴＷＤＭ−ＰＯＮに用いられる制御情報が、スイッチを経由する。この場合、ブリッジ機能関連をスイッチに移管する代わりに、制御情報を保持するＰＬＯＡＭ、Ｅｍｂｅｄｄｅｄ  ＯＡＭ、ＯＭＣＩのいずれかを必要に応じてフレーム化してスイッチ経由で処理する。制御情報をスイッチ経由で入出力することで、スイッチ以外の処理が軽くなる効果がある。なお、実施形態３の移管に加えて、実施形態１及び実施形態２のブリッジ機能のスイッチへの移管を行ってもよい。
【０４６１】
なお、ＴＷＤＭ−ＰＯＮを例に挙げたが、制御情報を同様に扱いスイッチ経由で処理すれば、実施形態１−２〜実施形態１−４のように、それ以外のＰＯＮであっても同様の効果が得られる。
【０４６２】
以上説明したように、他の装置と通信する通信装置１００は、他の装置とのやりとりに関するモジュルに予め想定される入力に対する応答を予め設定しておき、応答中又は応答後に該応答の妥当性を判断し、妥当ではない場合に、応答を修正する。
すなわち、通信装置１００の実行部３は、予め行われた設定に基づいて、他の装置からの入力に対する他の装置への入力である応答を出力する。また、実行部３は、指示部５からの指示に基づいて、他の通信装置への入力を出力する。指示部５は、実行部３が出力した応答の妥当性を検証し、応答が妥当ではないと判断した場合に、妥当ではないと判断された応答を是正するための他の装置への入力を出力するよう実行部３に指示する処理を行う。あるいは、指示部５は、応答が妥当ではないと判断した場合に、妥当ではないと判断された応答を是正するための他の装置への入力を出力するよう実行部３に指示する処理に代えて、又は、加えて、その応答の次に出力すべき応答を実行部３に設定する処理を行う。なお、指示部５は、実行部３に対する指示を、妥当ではない応答が許容される期間内に実行部３が応答を是正可能なタイミングまでに出力する。また、指示部５は、応答が妥当であると判断した場合、実行部３に指示を出力しないか、その応答の次に出力すべき応答を実行部３に設定する処理を行う。また、通信装置１００は、他の装置と通信する通信部を備えており、実行部３及び指示部５はそれぞれ、通信部の内部に備えられてもよく、外部に備えられてもよい。例えば、通信装置１００を構成するモジュルのうち、実行部３を処理能力が低いモジュルで実現し、指示部５を処理能力が高いモジュルで実現することができるが、逆でもよく、これに限らない。
【０４６３】
上述した実施形態における通信装置の少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、更に前述した機能をコンピュータシステムに既に記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【０４６４】
以上、この発明の実施形態について図面を参照して詳述してきたが、具体的な構成はこの実施形態に限られるものではない。上記の実施形態は例示に過ぎず、本発明は当業者の知識に基づいて種々の変更、改良を施した形態で実施することができ、この発明の要旨を逸脱しない範囲の設計等も含まれる。
【符号の説明】
【０４６５】
１  通信システム
３  実行部
５  指示部
１１  送受信部
１２  スイッチ部
１３  スイッチ部
１４  制御部
１５  プロキシ部
１６  外部サーバ
２１  機器無依存ＡＰＩ
２２  機器無依存ＡＰＩ
２３  機器依存ＡＰＩ
２４  機器依存ＡＰＩ
２５  機器依存ＡＰＩ
２６  ＡＰＩ
２７  機器無依存ＡＰＩ
１００  通信装置
１００−１  通信装置
１００−２  通信装置
１１０  機器依存部
１１１  ハードウェア部
１１２  ハードウェア部
１１３  ソフトウェア部
１１４  ＯＡＭ部
１１４ａ  エンベデッドＯＡＭエンジン
１１４ｂ  ＰＬＯＡＭエンジン
１１５  ＮＥ管理・制御部
１１５ａ  ＮＥ管理部
１１５ｂ  ＮＥコントロール
１２０  ミドルウェア部
１２１  ミドルウェア部
１３０  機器無依存アプリ部
１３１  拡張機能部
１３１−１  拡張機能部
１３１−２  拡張機能部
１３１−３  拡張機能部
１３２  基本機能部
１３３  管理・制御エージェント部
１４０  ＥＭＳ
１４１  記憶制御部
１４２  機器制御部
１５０  機器依存アプリ部
２００  記憶装置
２２０  メモリ
３００  ＰＯＮ主信号処理機能部
３１０  ＰＭＤ部
３２０  ＰＯＮアクセス制御機能部
３３０  保守運用機能部
３４０  Ｌ２主信号処理機能部
３５０  ＰＯＮマルチキャスト機能部
３６０  省電力制御機能部
３７０  周波数・時刻同期機能部
３８０  プロテクション機能部
【図１】
0006591928.tif 000002
【図２】
0006591928.tif 000003
【図３】
0006591928.tif 000004
【図４】
0006591928.tif 000005
【図５】
0006591928.tif 000006
【図６】
0006591928.tif 000007
【図７】
0006591928.tif 000008
【図８】
0006591928.tif 000009
【図９】
0006591928.tif 000010
【図１０】
0006591928.tif 000011
【図１１】
0006591928.tif 000012
【図１２】
0006591928.tif 000013
【図１３】
0006591928.tif 000014
【図１４】
0006591928.tif 000015
【図１５】
0006591928.tif 000016
【図１６】
0006591928.tif 000017
【図１７】
0006591928.tif 000018
【図１８】
0006591928.tif 000019
【図１９】
0006591928.tif 000020
【図２０】
0006591928.tif 000021
【図２１】
0006591928.tif 000022
【図２２】
0006591928.tif 000023
【図２３】
0006591928.tif 000024
【図２４】
0006591928.tif 000025
【図２５】
0006591928.tif 000026